(57)【要約】  ＦＤの実施／不実施の切り替えを柔軟に行う通信装置を提供する。  通信装置は、他の通信装置に対して、所定の周波数チャネル内で、受信用無線リソースを割り当てるとともに、時間軸上で少なくとも一部が前記受信用無線リソースと重複する送信用無線リソースを割り当てるリソース割り当て部と、前記受信用無線リソース及び前記送信用無線リソースに関する情報を他の通信装置に通知する通知部を具備する。前記リソース割り当て部は、さらに周波数軸上で少なくとも一部が前記受信用無線リソースと重複する送信用無線リソースを割り当てる。
2019142524.tif 000002
【特許請求の範囲】
【請求項１】
他の通信装置に対して、所定の周波数チャネル内で、受信用無線リソースを割り当てるとともに、時間軸上で少なくとも一部が前記受信用無線リソースと重複する送信用無線リソースを割り当てるリソース割り当て部と、
前記受信用無線リソース及び前記送信用無線リソースに関する情報を他の通信装置に通知する通知部と、
を具備する通信装置。
【請求項２】
前記リソース割り当て部は、さらに周波数軸上で少なくとも一部が前記受信用無線リソースと重複する送信用無線リソースを割り当てる、
請求項１に記載の通信装置。
【請求項３】
前記リソース割り当て部は、前記通信装置から他の通信装置へのデータを送信するために使用される前記受信用無線リソースを割り当てるとともに、他の通信装置から前記通信装置へ前記データに対する応答を送信するために使用される前記送信用無線リソースを割り当てる、
請求項１に記載の通信装置。
【請求項４】
前記リソース割り当て部は、前記受信用無線リソースの個数と前記送信用無線リソースの個数を同数とする、
請求項１に記載の通信装置。
【請求項５】
前記リソース割り当て部は、無線リソースを割り当てる所定の時間単位が複数に分割された時間単位で、受信用無線リソース及び送信用無線リソースの割り当てを行う、
請求項１に記載の通信装置。
【請求項６】
前記リソース割り当て部は、前記分割された時間単位の中で、受信用無線リソース及び送信用無線リソースを割り当てる他の通信装置を１回又は２回以上切り替える、
請求項５に記載の通信装置。
【請求項７】
前記リソース割り当て部は、前記分割された時間単位の前半で、前記通信装置からデータを送信するための受信用無線リソースと時間軸上で重複して、前記通信装置へデータを送信するための送信用無線リソースを割り当てるとともに、前記分割された時間単位の後半で、データに対する応答を送信するための受信用無線リソース又は送信用無線リソースのうち少なくとも一方を割り当てる、
請求項５に記載の通信装置。
【請求項８】
前記リソース割り当て部は、前記通信装置からデータを送信するための受信用無線リソースと重複する、前記通信装置へデータを送信するための送信用無線リソースを割り当てる通信装置を少なくとも１回切り替える、
請求項７に記載の通信装置。
【請求項９】
前記リソース割り当て部は、受信用無線リソースと時間軸上で重複する送信用無線リソースを２以上割り当てる場合に、送信用無線リソースのデータの個数を受信用無線リソースと同数とする、
請求項１に記載の通信装置。
【請求項１０】
送信用無線リソースを割り当てる通信装置の切り替えに合わせて、受信用無線リソースで前記通信装置からデータを送信するための送信パラメータの切り替えを行う、
請求項８に記載の通信装置。
【請求項１１】
前記通知部は、他の通信装置への受信用無線リソースの割り当ての通知と、他の通信装置への送信用無線リソースの割り当ての通知を、それぞれ異なるチャネルを通じて行う、
請求項１に記載の通信装置。
【請求項１２】
前記リソース割り当て部は、前記通信装置から他の通信装置へのデータを送信するための受信用無線リソースの割り当て中に、前記通信装置へ前記データに対する応答を送信するための送信用無線リソースを１回又は複数回割り当てる、
請求項１に記載の通信装置。
【請求項１３】
前記リソース割り当て部は、前記受信用無線リソースが２以上ある場合に、時間的に最後の受信用無線リソースと対になる送信用無線リソースは重複しないように割り当てる、
請求項１２に記載の通信装置。
【請求項１４】
前記リソース割り当て部は、受信用無線リソースで前記通信装置が送信するデータのＴｒａｎｓｐｏｒｔ  Ｂｌｏｃｋ、Ｃｏｄｅ  Ｂｌｏｃｋ、又はＣｏｄｅ  Ｂｌｏｃｋ  Ｇｒｏｕｐに対する応答を送信するための送信用無線リソースを、受信用無線リソースの割り当て中に１回又は複数回割り当てる、
請求項１２に記載の通信装置。
【請求項１５】
前記リソース割り当て部は、無線リソースを割り当てる所定の時間単位が複数に分割された時間単位と、受信用無線リソースで送信するデータのＴｒａｎｓｐｏｒｔ  Ｂｌｏｃｋ、Ｃｏｄｅ  Ｂｌｏｃｋ、又はＣｏｄｅ  Ｂｌｏｃｋ  Ｇｒｏｕｐの境界を関連付ける、
請求項１４に記載の通信装置。
【請求項１６】
前記リソース割り当て部は、分割された時間単位で前記通信装置から他の通信装置に送信されるデータに対する応答を送信するための送信用無線リソースを、それ以降の他の分割された時間単位の中に割り当てる、
請求項１５に記載の通信装置。
【請求項１７】
前記リソース割り当て部は、他の通信装置に対して、前記受信用無線リソースと少なくとも一部が重複する無線リソースにおいて、送信用無線リソースの割り当てなしに所定の信号を送信することを許容する、
請求項１に記載の通信装置。
【請求項１８】
前記所定の信号は、ランダムアクセス、Ｇｒａｎｔ−ｆｒｅｅアクセス、又はＧｒａｎｔ−ｌｅｓｓアクセスのうち少なくとも１つの信号である、
請求項１７に記載の通信装置。
【請求項１９】
前記リソース割り当て部は、第１の通信装置へ信号を送信しているときに、第２の通信装置から信号を受信する場合と受信してもリンク通信品質又はデータレートへの影響が小さい場合に、前記第１の通信装置に受信用無線リソースを割り当てるとともに前記第２の通信装置に送信用無線リソースを割り当てる、
請求項１に記載の通信装置。
【請求項２０】
他の通信装置に対して、所定の周波数チャネル内で、受信用無線リソースを割り当てるとともに、時間軸上で少なくとも一部が前記受信用無線リソースと重複する送信用無線リソースを割り当てるリソース割り当てステップと、
前記受信用無線リソース及び前記送信用無線リソースに関する情報を他の通信装置に通知する通知ステップと、
を有する通信方法。
【請求項２１】
所定の周波数チャネル内で割り当てられた受信用無線リソース、及び時間軸上で少なくとも一部が前記受信用無線リソースと重複して割り当てられた送信用無線リソースに関する情報の通知を他の通信装置から受け取る受け取り部と、
前記受信用無線リソースにおいて無線信号の受信処理を行うとともに前記送信用無線リソースにおいて無線信号の送信処理を行う通信部と、
を具備する通信装置。
【請求項２２】
前記通信部は、前記受信用無線リソースにおいて前記他の通信装置から送信されたデータを受信処理するとともに、前記送信用無線リソースを用いて前記データに対する応答の送信処理を行う、
請求項２１に記載の通信装置。
【請求項２３】
前記通信部は、無線リソースを割り当てる所定の時間単位が複数に分割された時間単位で割り当てられた前記受信用無線リソース及び前記送信用無線リソースを用いて前記他の通信装置から送信された信号の受信処理及び前記他の通信装置への信号の送信処理を行う、
請求項２１に記載の通信装置。
【請求項２４】
前記通信部は、前記分割された時間単位の前半で割り当てられた受信用無線リソースにおいて前記他の通信装置から送信されたデータを受信処理するとともに、前記分割された時間単位の後半で割り当てられた送信用無線リソースを用いて前記データに対する応答の送信処理を行う、
請求項２３に記載の通信装置。
【請求項２５】
前記通信部は、前記受信用無線リソースにおいて前記他の通信装置から送信されたデータを受信処理するとともに、前記受信用無線リソースと重複する前記送信用無線リソースを用いて前記他の通信装置へのデータの送信処理を行う、
請求項２４に記載の通信装置。
【請求項２６】
前記受け取り部は、前記受信用無線リソースの割り当ての通知と前記送信用無線リソースの割り当ての通知を、それぞれ異なるチャネルを通じて受け取る、
請求項２１に記載の通信装置。
【請求項２７】
前記通信部は、前記受信用無線リソースにおいて前記他の通信装置から送信されたデータの受信処理を行うとともに、前記受信用無線リソースの割り当て中に一回又は複数回割り当てられた送信用無線リソースにおいて前記他の通信装置へ前記データに対する応答の送信処理を行う、
請求項２１に記載の通信装置。
【請求項２８】
前記通信部は、前記受信用無線リソースにおいて受信したデータのＴｒａｎｓｐｏｒｔ  Ｂｌｏｃｋ、Ｃｏｄｅ  Ｂｌｏｃｋ、又はＣｏｄｅ  Ｂｌｏｃｋ  Ｇｒｏｕｐに対応して割り当てられた１回又は複数回の無線用送信リソースを用いて、Ｔｒａｎｓｐｏｒｔ  Ｂｌｏｃｋ、Ｃｏｄｅ  Ｂｌｏｃｋ、又はＣｏｄｅ  Ｂｌｏｃｋ  Ｇｒｏｕｐに対する応答の送信処理を行う、
請求項２７に記載の通信装置。
【請求項２９】
前記通信部は、前記受信用無線リソースにおいて、Ｔｒａｎｓｐｏｒｔ  Ｂｌｏｃｋ、Ｃｏｄｅ  Ｂｌｏｃｋ、又はＣｏｄｅ  Ｂｌｏｃｋ  Ｇｒｏｕｐの境界が無線リソースを割り当てる所定の時間単位が複数に分割された時間単位と関連付けられたデータの受信処理を行うとともに、受信時以降の他の分割された時間単位の中に割り当てられた送信用無線リソースを用いて受信データに対する応答の送信処理を行う、
請求項２８に記載の通信装置。
【請求項３０】
前記通信部は、前記通信装置に割り当てられた受信用無線リソース内となる前記他の分割された時間単位に割り当てられた送信用無線リソースを用いて、前記受信データに対する応答の送信処理を行う、
請求項２９に記載の通信装置。
【請求項３１】
前記通信部は、前記通信装置以外に割り当てられた受信用無線リソース内となる前記他の分割された時間単位に割り当てられた送信用無線リソースを用いて、前記受信データに対する応答の送信処理を行う、
請求項２９に記載の通信装置。
【請求項３２】
前記受け取り部は、前記通信装置又は他の通信装置に対して割り当てられた受信用無線リソースと少なくとも一部が重複する無線リソースを利用して、送信用無線リソースの割り当てなしに所定の信号を送信することが許容される旨の通知を受け取る、
請求項２１に記載の通信装置。
【請求項３３】
前記所定の信号は、ランダムアクセス、Ｇｒａｎｔ−ｆｒｅｅアクセス、又はＧｒａｎｔ−ｌｅｓｓアクセスのうち少なくとも１つの信号である、
請求項３１に記載の通信装置。
【請求項３４】
所定の周波数チャネル内で割り当てられた受信用無線リソース、及び時間軸上で少なくとも一部が前記受信用無線リソースと重複して割り当てられた送信用無線リソースに関する情報の通知を他の通信装置から受け取る受け取りステップと、
前記受信用無線リソースにおいて無線信号の受信処理を行うとともに前記送信用無線リソースにおいて無線信号の送信処理を行う通信ステップと、
を有する通信方法。
【発明の詳細な説明】
【技術分野】
【０００１】
本明細書で開示する技術は、全二重通信方式が適用される無線通信環境下で動作する通信装置及び通信方法に関する。
【背景技術】
【０００２】
無線リソースをより効率的に利用するために、全二重（Ｆｕｌｌ  Ｄｕｐｌｅｘ：ＦＤ）モードの導入が検討されている。例えば、非特許文献１は、ＦＤをセルラシステムの上りリンク、下りリンクに適用することを提案しており、通信容量（キャパシティ）の理論解析結果についても開示している。同文献によれば、ＦＤがセルラシステムの通信容量を最大約２倍に増加させられる。【０００３】
また、通信装置（主にリレー局）において、アクセスリンク（リレー局と端末）とバックホールリンク（基地局とリレー局）をＦＤするための技術が開示されている（例えば、特許文献１を参照のこと）。当該技術は、ＦＤの実施と不実施が混在しない（常にＦＤを実施する）通信システム、あるいはある程度長い期間の間、ＦＤの切り替えがないような通信システムが適用の対象となっている。このため、ＦＤの切り替わりの柔軟性と粒度が問題となる。また、切り替えの粒度が粗い場合、又は固定のタイミングのみでしか切り替えられない場合には、適切なＦＤを実施できる状況が制限されてしまい、通信システム全体として周波数利用効率や低遅延通信の性能（遅延削減効果）が向上しないことが懸念される。
【先行技術文献】
【特許文献】
【０００４】
【特許文献１】ＷＯ２０１５／０９８２２８
【非特許文献】
【０００５】
【非特許文献１】Ｓ．Ｇｏｙａｌ，ｅｔ  ａｌ．，“Ａｎａｌｙｚｉｎｇ  ａ  Ｆｕｌｌ−Ｄｕｐｌｅｘ  Ｃｅｌｌｕｌａｒ  Ｓｙｓｔｅｍ，”  Ｔｈｅ  ４７ｔｈ  Ａｎｎｕａｌ  Ｃｏｎｆｅｒｅｎｃｅ  ｏｎ  Ｉｎｆｏｒｍａｔｉｏｎ  Ｓｃｉｅｎｃｅｓ  ａｎｄ  Ｓｙｓｔｅｍｓ  ２０１３．
【発明の概要】
【発明が解決しようとする課題】
【０００６】
本明細書で開示する技術の目的は、ＦＤの実施／不実施の切り替えを柔軟に行うことができる通信装置及び通信方法を提供することにある。
【課題を解決するための手段】
【０００７】
本明細書で開示する技術は、上記課題を参酌してなされたものであり、その第１の側面は、
他の通信装置に対して、所定の周波数チャネル内で、受信用無線リソースを割り当てるとともに、時間軸上で少なくとも一部が前記受信用無線リソースと重複する送信用無線リソースを割り当てるリソース割り当て部と、
前記受信用無線リソース及び前記送信用無線リソースに関する情報を他の通信装置に通知する通知部と、
を具備する通信装置である。【０００８】
前記リソース割り当て部は、さらに周波数軸上で少なくとも一部が前記受信用無線リソースと重複する送信用無線リソースを割り当てる。【０００９】
前記リソース割り当て部は、前記通信装置から他の通信装置へのデータを送信するために使用される前記受信用無線リソースを割り当てるとともに、他の通信装置から前記通信装置へ前記データに対する応答を送信するために使用される前記送信用無線リソースを割り当てる。【００１０】
あるいは、前記リソース割り当て部は、無線リソースを割り当てる所定の時間単位が複数に分割された時間単位で、受信用無線リソース及び送信用無線リソースの割り当てを行う。そして、前記リソース割り当て部は、前記分割された時間単位の前半で、前記通信装置からデータを送信するための受信用無線リソースと時間軸上で重複して、前記通信装置へデータを送信するための送信用無線リソースを割り当てるとともに、前記分割された時間単位の後半で、データに対する応答を送信するための受信用無線リソース又は送信用無線リソースのうち少なくとも一方を割り当てる。【００１１】
また、前記リソース割り当て部は、第１の通信装置へ信号を送信しているときに、第２の通信装置から信号を受信する場合と受信してもリンク通信品質又はデータレートへの影響が小さい場合に、前記第１の通信装置に受信用無線リソースを割り当てるとともに前記第２の通信装置に送信用無線リソースを割り当てる。【００１２】
また、本明細書で開示する技術の第２の側面は、
他の通信装置に対して、所定の周波数チャネル内で、受信用無線リソースを割り当てるとともに、時間軸上で少なくとも一部が前記受信用無線リソースと重複する送信用無線リソースを割り当てるリソース割り当てステップと、
前記受信用無線リソース及び前記送信用無線リソースに関する情報を他の通信装置に通知する通知ステップと、
を有する通信方法である。【００１３】
また、本明細書で開示する技術の第３の側面は、
所定の周波数チャネル内で割り当てられた受信用無線リソース、及び時間軸上で少なくとも一部が前記受信用無線リソースと重複して割り当てられた送信用無線リソースに関する情報の通知を他の通信装置から受け取る受け取り部と、
前記受信用無線リソースにおいて無線信号の受信処理を行うとともに前記送信用無線リソースにおいて無線信号の送信処理を行う通信部と、
を具備する通信装置である。【００１４】
前記通信部は、前記受信用無線リソースにおいて前記他の通信装置から送信されたデータを受信処理するとともに、前記送信用無線リソースを用いて前記データに対する応答の送信処理を行う。【００１５】
あるいは、前記通信部は、前記受信用無線リソースにおいて前記他の通信装置から送信されたデータの受信処理を行うとともに、前記受信用無線リソースの割り当て中に一回又は複数回割り当てられた送信用無線リソースにおいて前記他の通信装置へ前記データに対する応答の送信処理を行う。【００１６】
また、本明細書で開示する技術の第４の側面は、
所定の周波数チャネル内で割り当てられた受信用無線リソース、及び時間軸上で少なくとも一部が前記受信用無線リソースと重複して割り当てられた送信用無線リソースに関する情報の通知を他の通信装置から受け取る受け取りステップと、
前記受信用無線リソースにおいて無線信号の受信処理を行うとともに前記送信用無線リソースにおいて無線信号の送信処理を行う通信ステップと、
を有する通信方法である。
【発明の効果】
【００１７】
本明細書で開示する技術によれば、ＦＤの実施／不実施の切り替えを柔軟に行うことができる通信装置及び通信方法を提供することができる。【００１８】
なお、本明細書に記載された効果は、あくまでも例示であり、本発明の効果はこれに限定されるものではない。また、本発明が、上記の効果以外に、さらに付加的な効果を奏する場合もある。【００１９】
本明細書で開示する技術のさらに他の目的、特徴や利点は、後述する実施形態や添付する図面に基づくより詳細な説明によって明らかになるであろう。
【図面の簡単な説明】
【００２０】
【図１】図１は、通信システムの構成例を示した図である。
【図２】図２は、基地局と端末（ＵＥ）の両方でＦＤ通信を実施している通信シーケンス例を示した図である。
【図３】図３は、ＦＤ通信を実施する通信シーケンス例を示した図である。
【図４】図４は、ＦＤ通信を実施する他の通信シーケンス例を示した図である。
【図５】図５は、ＦＤ通信を実施するさらに他の通信シーケンス例を示した図である。
【図６】図６は、ＦＤに対応する通信装置の構成例を示した図である。
【図７】図７は、ＦＤ可能なペアリングを評価するための処理手順を示したフローチャートである。
【図８】図８は、リソース割り当て単位内でのＦＤの切り替えを含む通信シーケンス例を示した図である。
【図９】図９は、リソース割り当て単位内でのＦＤの切り替えを含む通信シーケンス例（分割された時間単位内で２回のＦＤの切り替えがある例）を示した図である。
【図１０】図１０は、リソース割り当て単位内でのＦＤの切り替えを含む通信シーケンス例（ＦＤの切り替えに合わせて送信パラメータを切り替える例）を示した図である。
【図１１】図１１は、ＦＤの切り替えによりユーザデータを送信（又は受信）しながらＡＣＫ／ＮＡＣＫを受信（又は送信）する通信シーケンス例を示した図である。
【図１２】図１２は、通信装置（基地局又は端末）がＦＤの切り替えに伴う自己干渉キャンセラの動作を制御するための処理手順を示したフローチャートである。
【図１３】図１３は、ＦＤの切り替えによりユーザデータを送信（又は受信）しながらＡＣＫ／ＮＡＣＫを受信（又は送信）する他の通信シーケンス例を示した図である。
【図１４】図１４は、ＦＤの切り替えにより、ユーザデータを送信（又は受信）すると同時にＡＣＫ／ＮＡＣＫを受信（又は送信）するさらに他の通信シーケンス例を示した図である。
【図１５】図１５は、端末がユーザデータの受信とＡＣＫ／ＮＡＣＫの送信のタイミングを制御するための処理手順を示したフローチャートである。
【図１６】図１６は、種類若しくは属性が異なる物理チャネルを用いてＦＤを実施する場合の通信シーケンス例を示した図である。
【図１７】図１７は、種類若しくは属性が異なる物理チャネルを用いてＦＤを実施する場合の他の通信シーケンス例を示した図である。
【図１８】図１８は、ランダムアクセスまで考慮した場合の、切り替えに伴う自己干渉キャンセラの動作を制御するための処理手順を示したフローチャートである。
【図１９】図１９は、ＦＤのための端末のグループ設定を含む、基地局と端末間の通信シーケンス例を示した図である。
【図２０】図２０は、ＦＤでペアリングされる上りリンクの端末と下りリンクの端末の相対的な関係を例示した図である。
【図２１】図２１は、端末毎に個別にＦＤペアリングの適性を判定するための処理手順を示したフローチャートである。
【図２２】図２２は、ＬＴＥの下りリンクサブフレームの一例を示した図である。
【図２３】図２３は、ＬＴＥの上りリンクサブフレームの一例を示した図である。
【図２４】図２４は、ＮＲの下りリンクサブフレームの一例を示した図である。
【図２５】図２５は、ＮＲの上りリンクサブフレームの一例を示した図である。
【図２６】図２６は、基地局装置１の構成を概略的に示したブロック図である。
【図２７】図２７は、端末装置２の構成を概略的に示したブロック図である。
【発明を実施するための形態】
【００２１】
以下、図面を参照しながら本明細書で開示する技術の実施形態について詳細に説明する。
【００２２】
Ａ．想定システム
図１には、本明細書で開示する技術が適用される通信システムの構成例を模式的に示している。通信システムは、１以上の端末と、１以上の基地局で構成される。ここで言う端末は、ＵＥ（Ｕｓｅｒ  Ｅｑｕｉｐｍｅｎｔ）の他、Ｕｓｅｒ  Ｔｅｒｍｉｎａｌ、Ｍｏｂｉｌｅ  Ｔｅｒｍｉｎａｌ、Ｕｓｅｒ  Ｓｔａｔｉｏｎ、Ｍｏｂｉｌｅ  Ｓｔａｔｉｏｎ、車両（Ｖｅｈｉｃｌｅ）、ドローン（Ｄｒｏｎｅ）、衛星地上局（ＥａｒｔｈＳｔａｔｉｏｎ）などを含む。また、基地局は、ＢＳ（Ｂａｓｅ  Ｓｔａｔｉｏｎ）の他、ｅＮＢ（ｅｖｏｌｖｅｄ  ＮｏｄｅＢ：ＬＴＥの基地局）、ｇＮＢ（５Ｇに対応した基地局）、Ａｃｃｅｓｓ  Ｐｏｉｎｔ、衛星宇宙局（Ｓａｔｅｌｌｉｔｅ  Ｓｔａｔｉｏｎ、Ｓｐａｃｅ  Ｂａｃｋｂｏｒｎｅ  Ｐｌａｔｆｏｒｍ）などを含む。
【００２３】
そして、本実施形態では、図１に示す通信システムにおいて、ある周波数チャネル（コンポーネントキャリア（Ｃｏｍｐｏｎｅｎｔ  Ｃａｒｒｉｅｒ：ＣＣ）、など）の中で、同一又は一部が重複する時間リソース（例：サブフレーム、スロット、シンボルなど）を下りリンク及び上りリンクに同時に割り当てること、すなわち帯域内全二重通信（Ｉｎ−ＢａｎｄＦｕｌｌ Ｄｕｐｌｅｘ）が可能であることを想定している。周波数チャネル（ＣＣ）については、ＴＤＤのようなＵｎｐａｉｒｅｄ  Ｓｐｅｃｔｒｕｍ（Ｕｎｐａｉｒｅｄ  Ｆｒｅｑｕｅｎｃｙ  Ｃｈａｎｎｅｌ）、つまり、上りと下りで別のチャネルが用意されていないケースを想定している。
【００２４】
ＦＤ実施時には、ある基地局又は端末において、ある周波数チャネル（ＣＣ）内の時間リソース（無線フレーム（Ｒａｄｉｏ  Ｆｒａｍｅ）、サブフレーム（Ｓｕｂｆｒａｍｅ）、スロット（Ｓｌｏｔ）、ミニスロット（Ｍｉｎｉ  Ｓｌｏｔ）、シンボル（Ｓｙｍｂｏｌ）など）で送信と受信が同時に実行される。なお、スロットは、ＬＴＥでは７シンボル、ＮＲでは１４シンボルで構成される。また、ミニスロットは、スロットよりも短い時間リソースで定義される。具体的には、ミニスロットは、１４シンボルよりも少ないシンボル数で構成される。
【００２５】
また、基地局と端末の両方でＦＤを実施することを想定に含める。図２には、基地局と端末（ＵＥ）の両方でＦＤ通信を実施している通信シーケンス例を示している。同図において、横軸は時間軸であり、各時間軸上に描かれた四角は時間軸に対応する通信装置からその時刻に送信される信号（パケット、フレーム、スロット、又はサブフレーム）であり、四角から伸びる矢印は信号が送信される方向を示している。また、基地局には２台の端末ＵＥ１及びＵＥ２が接続しているものとする。
【００２６】
図２に示す通信シーケンスの前半では、ＢＳがＵＥ１への下りリンク（Ｄｏｗｎｌｉｎｋ：ＤＬ）信号の送信を行うと同時に、ＵＥ２がＢＳへの上りリンク（Ｕｐｌｉｎｋ：ＵＬ）信号の送信を行っている。ここで、下りリンク信号と上りリンク信号は、同一又は重複する周波数リソース、且つ同一又は重複する時間リソースを使用することを想定している。したがって、ＢＳは、ＦＤを実施し、ＵＥ１への下りリンク信号の送信とＵＥ２からの上りリンク信号の受信を同時に行っている。
【００２７】
また、図２に示す通信シーケンスの後半では、ＢＳがＵＥ１への下りリンク（Ｄｏｗｎｌｉｎｋ：ＤＬ）信号の送信を行うと同時に、ＵＥ１がＢＳへの上りリンク（Ｕｐｌｉｎｋ：ＵＬ）信号の送信を行っている。ここで、下りリンク信号と上りリンク信号は、同一又は重複する周波数リソース、且つ同一又は重複する時間リソースを使用することを想定している。したがって、ＢＳは、ＦＤを実施し、ＵＥ１への下りリンク信号の送信とＵＥ１からの上りリンク信号の受信を同時に行っている。また、ＵＥ１もＦＤを実施して、ＢＳからの下りリンク信号の受信とＢＳへの上りリンク信号の送信を同時に行っている
【００２８】
ＦＤを実施する通信装置（基地局、端末）は、ＦＤ実施時に発生する自己干渉（Ｓｅｌｆ−Ｉｎｔｅｒｆｅｒｅｎｃｅ）を除去又は軽減するための自己干渉キャンセラを装備することが好ましい。なお、図２に示した通信シーケンスの前半部分のように、基地局のみがＦＤを実施する場合には、端末は必ずしも自己干渉キャンセラを持たなくてもよい。
【００２９】
また、ＦＤ非実施時には、基地局及び端末において、重複しない周波数・時間リソースで（例えば、従来通りのＦＤＤ（周波数分割多重）、又はＴＤＤ（時分割多重）方式で）、送信又は受信が実行される。
【００３０】
図１に示したような通信システム内には、ＦＤを実施中の通信装置と、ＦＤを実施していない通信装置が混在し得る。また、ＦＤの実施は、通信装置毎に、時間の経過とともに変更され得る。
【００３１】
端末への周波数・時間無線リソースの割り当て、及びＦＤの実施有無は、基地局から設定される。図３には、ＦＤ通信を実施する通信シーケンス例を示している。但し、図３には、基地局が異なる端末をＦＤペアリングする通信シーケンス例を示している。
【００３２】
基地局は、自局に接続している各端末ＵＥ１、ＵＥ２に対して、端末で期待できるリンク通信品質又はリンク通信路品質や干渉状況の測定の設定・指示を通知する（ＳＥＱ３０１）。ここで言うリンク通信品質は、Ｃｈａｎｎｅｌ  ＳｔａｔｅＩｎｆｏｒｍａｔｉｏｎ（ＣＳＩ）、Ｃｈａｎｎｅｌ  Ｑｕａｌｉｔｙ  Ｉｎｄｉｃａｔｏｒ（ＣＱＩ）、Ｐｒｅｃｏｄｉｎｇ  Ｍａｔｒｉｘ  Ｉｎｄｉｃａｔｏｒ（ＰＭＩ）、Ｒａｎｋ  Ｉｎｄｉｃａｔｏｒ（ＲＩ）、Ｒｅｆｅｒｅｎｃｅ  Ｓｉｇｎａｌ  Ｒｅｃｅｉｖｅｄ  Ｐｏｗｅｒ（ＲＳＲＰ）、Ｒｅｆｅｒｅｎｃｅ  Ｓｉｇｎａｌ  Ｒｅｃｅｉｖｅｄ  Ｑｕａｌｉｔｙ（ＲＳＲＱ）、Ｒｅｃｅｉｃｅｄ  Ｓｉｇｎａｌ  Ｓｔｒｅｎｇｔｈ  Ｉｎｄｉｃａｔｏｒ（ＲＳＳＩ）、Ｄｅｌａｙ  Ｓｐｒｅａｄ、Ａｎｇｌｅ  Ｓｐｒｅａｄなどで表される。また、干渉状況は、セル間干渉（Ｉｎｔｅｒ−Ｃｅｌｌ  Ｉｎｔｅｒｆｅｒｅｎｃｅ）、セル内干渉（Ｉｎｔｒａ−Ｃｅｌｌ  Ｉｎｔｅｒｆｅｒｅｎｃｅ）、リンク間干渉（Ｃｒｏｓｓ−Ｌｉｎｋ  Ｉｎｔｅｒｆｅｒｅｎｃｅ）、さらにセル間リンク間干渉、セル内リンク間干渉に分けてもよい。
【００３３】
セル間干渉は、端末が接続しているセル以外のセルから発生する干渉のことであり、下りリンクの信号同士、上りリンクの信号同士、又はサイドリンクの信号同士が干渉する。また、セル内干渉は、端末が接続しているセル内で発生する干渉のことであり、下りリンクの信号同士、上りリンクの信号同士、又はサイドリンクの信号同士が干渉する。また、リンク間干渉は、上りリンク信号と下りリンク信号、上りリンク信号とサイドリンク信号、下りリンク信号とサイドリンク信号というように、送受信方向が異なる信号によって発生する干渉である。
【００３４】
各端末ＵＥ１、ＵＥ２は、基地局からの指示に従って、通信品質測定及び端末間干渉測定を実施する。端末間干渉測定時には、一方の端末から他方の端末へテスト信号が送信される（ＳＥＱ３０２）。図示の例では、ＵＥ２からＵＥ１へテスト信号が送信される。そして、端末ＵＥ１は、受信したテスト信号に基づいて端末ＵＥ２との干渉を測定して（ＳＥＱ３０３）、その測定結果を基地局へ報告する（ＳＥＱ３０４）。なお、図示を省略したが、ＵＥ１からＵＥ２へもテスト信号が送信され、端末ＵＥ２は、受信したテスト信号に基づく干渉の測定結果を同様に基地局へ報告する。
【００３５】
基地局は、各端末ＵＥ１、ＵＥ２からの測定結果の報告も考慮して、各端末ＵＥ１、ＵＥ２とのＦＤの実施有無を確認し、ＦＤを実施する端末ペアを決定するとともに（ＳＥＱ３０５）、ＦＤに利用する周波数リソース、時間リソース、変調方式、誤り訂正符号化率、ＭＩＭＯ（Ｍｕｌｔｉｐｌｅ  Ｉｎｐｕｔ  Ｍｕｌｔｉｐｌｅ  Ｏｕｔｐｕｔ）パラメータを含むスケジューリングを行う（ＳＥＱ３０６）。図３に示す例では、基地局は、一方の端末ＵＥ１の下りリンクと他方の端末ＵＥ２の上りリンクをＦＤのペアリングとして、端末ＵＥ１への下りリンク信号の送信タイミングと他方の端末ＵＥ２からの上りリンク信号の送信タイミングを含むスケジューリングを行う。そして、基地局は、スケジューリング情報を、物理層信号処理を制御するための情報（Ｃｏｎｔｒｏｌ  Ｉｎｆｏｒｍａｔｉｏｎ）で無線リソースの割り当て毎に通知し、又は、システム情報（Ｓｙｓｔｅｍ  Ｉｎｆｏｒｍａｔｉｏｎ）やＲＲＣシグナリングでＳｅｍｉ−ｓｔａｔｉｃ（準静的）に通知する（ＳＥＱ３０７）。
【００３６】
その後、基地局及び各端末ＵＥ１、ＵＥ２は、通知した（若しくは通知された）スケジューリング情報に基づき、ＦＤ通信又はＮｏｎ−ＦＤの通信を実施する。具体的には、基地局は、一方の端末ＵＥ１への下りリンクと他方の端末ＵＥ２からの上りリンクをＦＤのペアリングとして、基地局のみがＦＤを実施する（ＳＥＱ３０８）。
【００３７】
また、図４には、ＦＤ通信を実施する他の通信シーケンス例を示している。但し、図４は、基地局が同一端末でＦＤを実施する例を示している。通信システムとして、ＦＤに対応できる端末とＦＤに対応しない端末が混在してもよい。その場合、図４に示すように、端末のＣａｐａｂｉｌｉｔｙを基地局に対して事前に通知しておくことが望ましい。この通知によって、基地局は、ＦＤに対応しない端末については、当初からＦＤのペアリング・スケジューリングに含めないようにすることで、スケジューリングの複雑度を下げることが可能となる。ここで、「ＦＤに対応しない」の例として、リンク間干渉の測定機能がないことや、自己干渉キャンセラがないことなどが挙げられる。
【００３８】
まず、端末ＵＥ１は、基地局に自局のＣａｐａｂｉｌｌｉｔｙを通知する（ＳＥＱ４０１）。基地局は、受信したＣａｐａｂｉｌｉｔｙに基づいて、端末ＵＥ１がＦＤに対応していることを把握する。
【００３９】
次いで、端末ＵＥ１は、基地局との下りリンク及び上りリンクのリンク品質を測定し（ＳＥＱ４０２）、その測定結果を基地局に通知する（ＳＥＱ４０３）。基地局は、通知されたリンク品質も考慮して、端末ＵＥ１への下りリンクと端末ＵＥ１からの上りリンクをＦＤのペアリングとする場合における、ＦＤに利用する周波数リソース、時間リソース、変調方式、誤り訂正符号化率、ＭＩＭＯパラメータを含むスケジューリングを行う（ＳＥＱ４０４）。そして、基地局は、スケジューリング情報を端末ＵＥ１に通知する（ＳＥＱ４０５）。基地局は、無線リソースの割り当て毎の制御情報、又はシステム情報やＲＲＣシグナリングで、端末ＵＥ１にスケジューリング情報を通知することができる。
【００４０】
その後、基地局及び端末ＵＥ１は、通知した（若しくは通知された）スケジューリング情報に基づき、ＦＤ通信又はＮｏｎ−ＦＤの通信を実施する。具体的には、端末ＵＥ１への下りリンクと端末ＵＥ１からの上りリンクをＦＤのペアリングとして、基地局及び端末ＵＥ１がともにＦＤを実施する（ＳＥＱ４０６）。
【００４１】
また、図５には、ＦＤ通信を実施するさらに他の通信シーケンス例を示している。但し、図５は、図３と同様に、基地局が異なる端末をＦＤペアリングする例を示している。
【００４２】
まず、各端末ＵＥ１、ＵＥ２は、基地局に自局のＣａｐａｂｉｌｌｉｔｙを通知する（ＳＥＱ５０１）。基地局は、受信したＣａｐａｂｉｌｉｔｙに基づいて、各端末ＵＥ１、ＵＥ２がＦＤに対応しているかどうかを把握する。
【００４３】
次いで、基地局は、自局に接続している各端末ＵＥ１、ＵＥ２に対して、端末で期待できるリンク通信品質又はリンク通信路品質や干渉状況の測定の設定・指示を通知する（ＳＥＱ５０２）。
【００４４】
各端末ＵＥ１、ＵＥ２は、基地局からの指示に従って、通信品質測定及び端末間干渉測定を実施する。具体的には、端末ＵＥ１、ＵＥ２間で参照信号を送信し合って（ＳＥＱ５０３）、受信した参照信号に基づいて端末間干渉を測定する（ＳＥＱ５０４）。また、基地局は各端末ＵＥ１、ＵＥ２に対して参照信号を送信し（ＳＥＱ５０５）、各端末ＵＥ１、ＵＥ２は受信した参照信号に基づいて下りリンクの通信品質を測定する（ＳＥＱ５０６）。そして、各端末ＵＥ１、ＵＥ２は、干渉状況並びに下りリンク通信品質の測定結果を基地局へ報告する（ＳＥＱ５０９）。
【００４５】
また、各端末ＵＥ１、ＵＥ２は、基地局へ、参照信号をそれぞれ送信する（ＳＥＱ５０７）。そして、基地局は、受信した各参照信号に基づいて、各端末ＵＥ１、ＵＥ２の上りリンクの通信品質を測定する（ＳＥＱ５０８）。
【００４６】
基地局は、各端末ＵＥ１、ＵＥ２からのフィードバックと自らの測定結果に基づいて、ＦＤの実施有無を確認し、ＦＤを実施する端末ペアを決定するとともに（ＳＥＱ５１０）、ＦＤに利用する周波数リソース、時間リソース、変調方式、誤り訂正符号化率、ＭＩＭＯパラメータを含むスケジューリングを行う（ＳＥＱ５１１）。図５に示す例では、基地局は、一方の端末ＵＥ１の下りリンクと他方の端末ＵＥ２の上りリンクをＦＤのペアリングとして、端末ＵＥ１への下りリンク信号の送信タイミングと他方の端末ＵＥ２からの上りリンク信号の送信タイミングを含むスケジューリングを行う。そして、基地局は、スケジューリング情報を、物理層信号処理の制御情報で無線リソースの割り当て毎に各端末ＵＥ１、ＵＥ２に通知し、又は、システム情報やＲＲＣシグナリングで準静的に通知する（ＳＥＱ５１２）。
【００４７】
その後、基地局及び各端末ＵＥ１、ＵＥ２は、通知した（若しくは通知された）スケジューリング情報に基づき、ＦＤ通信又はＮｏｎ−ＦＤの通信を実施する。具体的には、基地局は、一方の端末ＵＥ１への下りリンクと他方の端末ＵＥ２からの上りリンクをＦＤのペアリングとして、基地局のみがＦＤを実施する（ＳＥＱ５１３）。
【００４８】
Ｂ．通信装置構成
図６には、ＦＤに対応する通信装置６００の構成例を示している。図３〜図５に示した通信シーケンスにおいて、ＦＤを実施する基地局並びに端末は、図６に示す装置構成を装備しているものと理解されたい。図６中の上半分が物理層送信信号処理部に相当し、下半分が物理層受信信号処理部に相当する。
【００４９】
通信装置６００の物理層送信信号処理部は、ＣＲＣ（Ｃｙｃｌｉｃ  Ｒｅｄｕｎｄａｎｃｙ  Ｃｈｅｃｋ）符号化部６０１と、ＦＥＣ（Ｆｏｒｗａｒｄ  Ｅｒｒｏｒ  Ｃｏｒｒｅｃｔｉｏｎ）符号化部６０２と、符号化率調整部６０３と、スクランブラ／インタリーバ６０４と、変調部６０５と、直並列変換部６０６と、空間信号処理部６０７と、波形整形部６０８と、アナログＲＦ（Ｒａｄｉｏ  Ｆｒｅｑｕｅｎｃｙ）送信処理部６０９を備えている。物理層送信制御部６１１は、物理層又は上位層からの制御情報に従って、上記の各部６０１〜６０９の動作をコントロールする。
【００５０】
物理層送信信号処理では、まず、上位レイヤから送信要求されるユーザデータ（データビット系列）は、ＣＲＣ符号化部６０１によりＣＲＣ符号化された後、ＦＥＣ符号化部６０２による誤り訂正（ＦＥＣ）符号化、及び、符号化率調整部６０３による符号化率調整（Ｒａｔｅ  Ｍａｔｃｈｉｎｇ）がなされる。符号化率は、スケジューリングの結果から求められる符号化率に適合するように調整される。スケジューリングの結果の例として、ＭＣＳ（Ｍｏｄｕｌａｔｉｏｎ  ａｎｄ  Ｃｏｄｉｎｇ  Ｓｃｈｅｍｅ）が挙げられる。なお、データ送信を要求する上位レイヤは、Ｌ３（ＩＰ（Ｉｎｔｅｒｎｅｔ  Ｐｒｏｔｏｃｏｌ））、又はＬ２（ＳＤＡＰ（Ｓｅｒｖｉｃｅ  Ｄａｔａ  Ａｄａｐｔａｔｉｏｎ  Ｐｒｏｔｏｃｏｌ）、ＰＤＣＰ（Ｐａｃｋｅｔ  Ｄａｔａ  Ｃｏｎｖｅｒｇｅｎｃｅ  Ｐｒｏｔｏｃｏｌ））、ＲＬＣ（Ｒａｄｉｏ  Ｌｉｎｋ  Ｃｏｎｔｒｏｌ）、ＭＡＣ（Ｍｅｄｉａ  Ａｃｃｅｓｓ  Ｃｏｎｔｒｏｌ）などである。
【００５１】
その後、スクランブラ／インタリーバ６０４によって送信ビット系列に対するスクランブル又はインタリーブが実施される。ここで、スクランブルパターン及びインタリーブパターンは、ユーザ固有（例えば、送信装置あるいは受信装置のユーザＩＤやＲＮＴＩ（Ｒａｄｉｏ  Ｎｅｔｗｏｒｋ  Ｔｅｍｐｏｒａｒｙ  Ｉｄｅｎｔｉｆｉｅｒ）で決められる）、且つリンク種別固有（例えば上りリンク、下りリンク、サイドリンク、アクセスリンク、バックホールリンクなど）のパターンであることが望ましい。特にリンク種別固有のパターンは、ＦＤを実施する際に、自己干渉キャンセラの効果を高めることに有効である。
【００５２】
スクランブル又はインタリーブされた後の送信ビット系列は、変調部６０５によって実数又は複素数のシンボル系列に変換される。具体的には、ＰＳＫ（Ｐｈａｓｅ  Ｓｈｉｆｔ  Ｋｅｙｉｎｇ：位相偏移変調）やＱＡＭ（Ｑｕａｄｒａｔｕｒｅ  Ａｍｐｌｉｔｕｄｅ  Ｍｏｄｕｌａｔｉｏｎ：直角位相振幅変調）などの変調が施される。どの変調レベルが適用されるかは、スケジューリングの結果（例えばＭＣＳ）から決められる。
【００５３】
変調後のシンボル系列は、直並列変換部６０６によってＭＩＭＯのために直並列変換（Ｓｅｒｉａｌ−ｔｏ−Ｐａｒａｌｌｅｌ  Ｃｏｎｖｅｒｓｉｏｎ）され、空間信号処理部６０７によって例えば、Ｓｐａｔｉａｌ  Ｐｒｅｃｏｄｉｎｇ、Ｓｐａｔｉａｌ  Ｐｏｗｅｒ  Ｌｏａｄｉｎｇなどの空間信号処理が実施される。直並列変換の並列数は、空間ストリーム（Ｓｐａｔｉａｌ  Ｓｔｒｅａｍ）や空間レイヤ（Ｓｐａｔｉａｌ  Ｌａｙｅｒ）に相当する。直並列変換の並列数及び空間信号処理の種類は、スケジューリングの結果（例えば、Ｒａｎｋ  Ｉｎｄｉｃａｔｏｒ、Ｐｒｅｃｏｄｉｎｇ  Ｍａｔｒｉｘ  Ｉｎｄｉｃａｔｏｒ）から決められる。
【００５４】
その後、波形整形部６０８によって、各ストリームの波形（Ｗａｖｅｆｏｒｍ）整形処理を実施する。波形整形処理として、例えば、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、フーリエ変換、逆フーリエ変換などが挙げられる。波形整形処理は、リンク種別に応じて、又はスケジューリングの結果に応じて異なる種類の波形整形をしてもよい。例えば、下りリンクであればＯＦＤＭＡ、上りリンクであればＯＦＤＭＡ又はＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）（又はＤＦＴ−Ｓｐｒｅａｄ  ＯＦＤＭＡ）、サイドリンクであればＯＦＤＭＡ又はＳＣ−ＦＤＭＡ（又はＤＦＴ−Ｓｐｒｅａｄ  ＯＦＤＭＡ）などとしてもよい。波形整形処理後は、アナログＲＦ送信処理部６０９が、実際に信号を送信するキャリア周波数に応じて、アナログ信号処理及びＲＦ信号処理を実施し、アンテナから送信する。通信装置６００は、空間ストリーム数に応じた本数のアンテナを装備しているものとする。
【００５５】
また、通信装置６００の物理層受信信号処理部は、アナログＲＦ受信処理部６２１と、波形復調部６２２と、等化部６２３と、並直列変換部６２４と、復調部６２５と、デスクランブラ／デインタリーバ６２６と、復号率調整部６２７と、ＦＥＣ復号部６２８と、ＣＲＣ復号部６２９を備えている。物理層受信制御部６３１は、物理層又は上位層からの制御情報に従って、上記の各部６２１〜６２９の動作をコントロールする。
【００５６】
ＦＤの場合、受信側では、通信相手となる他の通信装置からの所望信号、周囲からの干渉信号、及び通信装置自身からの自己干渉信号が混在した信号をアンテナで受信することとなる。各アンテナの受信信号は、それぞれサーキュレータを介してアナログＲＦ受信処理部６２１に入力される。物理層受信信号処理では、まず、アナログＲＦ受信処理部６２１で、受信信号をアナログ信号処理並びにＲＦ信号処理する際に、アナログ領域での自己干渉信号を除去あるいは軽減する。ＦＤ非実施時であれば、アナログＲＦ受信処理部６２１での自己干渉信号除去はオフにしてもよい。ＦＤのオン／オフについては、スケジューリングの結果によって決められることが望ましい。
【００５７】
その後、波形復調部６２２で、所望信号の波形に応じた受信側の波形復調処理を実施する。波形復調処理として、例えば、ＯＦＤＭ復調、フーリエ変換、逆フーリエ変換などが挙げられる。そして、等化部６２３では、所望信号が受けた電波伝搬の変動を補償するための等化処理（Ｅｑｕａｌｉｚａｔｉｏｎ）を実施する。この等化処理は、伝搬伝搬の変動量を推定するためのチャネル推定（Ｃｈａｎｎｅｌ  Ｅｓｔｉｍａｔｉｏｎ）を実施する。また、ＦＤ時には、等化部６２３で、ディジタル領域での自己干渉信号の除去あるいは軽減するための処理を実施する。但し、自己干渉信号除去又は軽減は、後段のディジタル復調やＦＥＣ復号の結果をフィードバックさせて、ターボ等化（Ｔｕｒｂｏ  Ｅｑｕａｌｉｚａｉｔｉｏｎ）や繰り返し等化（Ｉｔｅｒａｔｉｖｅ  Ｅｑｕａｌｉｚａｔｉｏｎ）としてもよい。また、ＦＤ非実施時は、ディジタル部の自己干渉信号除去あるいは軽減するための処理もオフにしてもよい。
【００５８】
等化処理後は、並直列変換部６２４で、空間ストリーム・空間レイヤを並直列変換（Ｐａｒａｌｌｅｌ−ｔｏ−Ｓｅｒｉａｌ  Ｃｏｎｖｅｒｓｉｏｎ）した後、復調部６２５で、受信複素シンボル系列からソフトビット系列（ＬＬＲ（Ｌｏｇ  Ｌｉｋｅｌｉｈｏｏｄ  Ｒａｔｉｏ）、Ｓｏｆｔ  Ｉｎｆｏｒｍａｔｉｏｎなど）へ変換する。この変換は、スケジューリングの結果（例えばＭＣＳ）によって決められることが望ましい。
【００５９】
その後、デスクランブラ／デインタリーバ６２６で、送信側で利用されたスクランブルパターン、インタリーブパターンに対応するデスクランブル又はデインターリーブを実施する。これらのパターンは、ユーザ固有（例えば、例えば送信装置あるいは受信装置のユーザＩＤやＲＮＴＩで決められる）且つリンク種別固有（例えば上りリンク、下りリンク、サイドリンク、アクセスリンク、バックホールリンク、など）のパターンであることが望ましい。
【００６０】
その後、復号率調整部６２７及びＦＥＣ復号部６２８によって、送信側で利用されたＦＥＣ符号化方法、ＦＥＣ符号化率に対応する符号化率変換（Ｒａｔｅ  Ｄｅ−ｍａｔｃｈｉｎｇ）やＦＥＣ復号（Ｄｅｃｏｄｉｎｇ）が実施され、ソフトビット系列からユーザデータのビット系列が復号される。復号方法、符号化率などは、スケジューリングの結果（例えばＭＣＳ）から決められる。復号されたビット系列は、ＣＲＣ復号部６２９によって、ＣＲＣによってビット誤りが発生しているか否かが判定される。復号されたユーザデータのビット系列及びＣＲＣの判定結果は、上位レイヤ（前述）に転送され、その後の動作が決定する。ＣＲＣでビット誤りが検出されなければＡＣＫが通信相手に送信される。一方、ビット誤りが検出された場合には、ＮＡＣＫが通信相手に送信される。この場合には、その後で再送（例えばＨＡＲＱ（Ｈｙｂｒｉｄ  Ａｕｔｏｍａｔｉｃ  Ｒｅｐｅａｔ  Ｒｅｑｕｅｓｔ））などの処理に入っていく。
【００６１】
送信側及び受信側の物理層信号処理を制御するための制御情報（Ｃｏｎｔｒｏｌ  Ｉｎｆｏｒｍａｔｉｏｎ）は、基地局のスケジューリングの結果が反映されている。この情報は、例えば、物理下りリンク制御チャネル（Ｐｈｙｓｉｃａｌ  Ｄｏｗｎｌｉｎｋ  Ｃｏｎｔｒｏｌ  Ｃｈａｎｎｅｌ：ＰＤＣＣＨ）で送られる下りリンク制御情報（Ｄｏｗｎｌｉｎｋ  Ｃｏｎｔｒｏｌ  Ｉｎｆｏｒｍａｔｉｏｎ：ＤＣＩ）や、物理報知チャネル（Ｐｈｙｓｉｃａｌ  Ｂｒｏａｄｃａｓｔ  Ｃｈａｎｎｅｌ：ＰＢＣＨ）や物理下りリンク共有チャネル（ＰｈｙｓｉｃａｌＤｏｗｎｌｉｎｋ Ｓｈａｒｅｄ Ｃｈａｎｎｅｌ：ＰＤＳＣＨ）で送られるＲＲＣ（Ｒａｄｉｏ  Ｒｅｓｏｕｒｃｅ  Ｃｏｎｔｒｏｌ）シグナリングでやり取りされる。
【００６２】
Ｃ．ＦＤの切り替え手段
本実施形態では、ＦＤの実施の有無は、原則として基地局がスケジューリングの一環として決める。そのためには、どの端末のどのリンクが、別のどの端末のどのリンクとＦＤができるかを、基地局が評価しておくことが必要になる。
【００６３】
例えば、基地局がある端末へ下りリンク信号を送信しているときに、他の端末からの上りリンク信号を受信しても（言い換えれば、他の端末からの上りリンク信号の送信を開始しても）、リンク通信品質やデータレート（又は、周波数利用効率）に悪影響を及ぼさない（若しくは、影響が小さい）ときに、これらの端末をＦＤする端末としてペアリングすることができる。
【００６４】
図７には、基地局において、ＦＤ可能な（若しくは、ＦＤに適する）ペアリングを評価するための処理手順をフローチャートの形式で示している。このペアリング評価は、基地局（あるいは基地局が制御するセル）と接続している端末及びリンク種別のすべての組み合わせに対して評価することが望ましい。
【００６５】
ペアリングの評価は、まず２つの端末（図７中の端末ｍと端末ｎ）について、異なるリンク種別を想定する。同図中では、端末ｍの下りリンク（ＤＬ）と端末ｎの上りリンク（ＵＬ）をＦＤする場合について評価する（リンク種別は、端末ｍの上りリンクと端末ｎの下りリンクとしてもよい）（ステップＳ７０１）。そして、端末ｍと端末ｎの両方がＦＤに対応しているかどうかを判定する（ステップＳ７０２）。端末がＦＤに対応しているかの情報は、例えば、上述した図５に示したような基地局と端末間のプロトコル若しくは通信シーケンスの中で把握することができる。
【００６６】
ここで、端末ｍと端末ｎの両方がＦＤに対応していない場合には（ステップＳ７０２のＮｏ）、その組み合わせはＦＤに適さないものとして判定する（ステップＳ７０７）。
【００６７】
また、端末ｍと端末ｎの両方がＦＤに対応する場合には（ステップＳ７０２のＹｅｓ）、続いて、端末ｍの下りリンク（あるいは上りリンク）のリンク通信品質について、端末ｎの上りリンク（あるいは下りリンク）とＦＤを実施しない場合と、端末ｎの上りリンク（あるいは下りリンク）とＦＤを実施する場合とで比較をする（ステップＳ７０３）。例えば、ＦＤを実施する場合と実施しない場合とで、達成可能と考えられるＭＣＳ又はＣＱＩのレベルに基づいて、リンク通信品質を比較することができる（後述）。
【００６８】
そして、ＦＤを実施する場合と実施しない場合のリンク品質の比較結果が所定の条件を満たす場合には（ステップＳ７０４のＹｅｓ）、端末ｍの下りリンク（あるいは上りリンク）と端末ｎの上りリンク（あるいは下りリンク）はＦＤのペアリングが可能であると判定する（ステップＳ７０５）。他方、ＦＤを実施する場合と実施しない場合のリンク品質の比較結果が所定の条件を満たさない場合には（ステップＳ７０４のＮｏ）、その組み合わせはＦＤに適さないものとして判定する（ステップＳ７０７）。
【００６９】
上記の判定フローについて、まだ評価していない端末の組み合わせ、及びリンク種別の組み合わせが残っている場合には（ステップＳ７０６のＹｅｓ）、その残っている組み合わせについて評価を続ける（ステップＳ７０８）。基地局は、自局に接続している端末（若しくは、基地局が制御するセルに接続している端末）のすべてのペア（リンク方向を含む、総当たりで）に対して、ＦＤのペアリングの適正を評価する。そして、すべての組み合わせについて評価を終えたら（ステップＳ７０６のＮｏ）、本処理を終了とする。
【００７０】
上記の判定ステップＳ７０４において、端末ｍの下りリンク（あるいは上りリンク）のリンク通信品質について、端末ｎの上りリンク（あるいは下りリンク）とＦＤを実施しない場合と、端末ｎの上りリンク（あるいは下りリンク）とＦＤを実施する場合とで比較をする際の「所定の条件」として、以下の（ａ）、（ｂ）のようなものが考えられる。
【００７１】
（ａ）非ＦＤ時（ＨＤ（Ｈａｌｆ  Ｄｕｐｌｅｘ）時）に相当するとき（又は、ＦＤ時に相当しないとき）に測定したリンク品質測定値と、ＦＤ時に相当するときに測定したリンク品質測定値の結果がほぼ変わらない。
【００７２】
（ｂ）非ＦＤ時（ＨＤ時）に相当するとき（又は、ＦＤ時に相当しないとき)に達成可能と考えられるデータレート（又は周波数利用効率）と、ＦＤ時に相当するときに達成可能と考えられるデータレート（又は周波数利用効率）が、ほぼ変わらない。
【００７３】
上記において、「ほぼ変わらない」の意味として、リンク品質測定値、データレート、周波数利用効率について、アナログ値的にはＦＤを実施した方がＦＤを実施しない場合より劣化はするが、離散値化した場合にはＦＤを実施した方がＦＤを実施しない場合が同じ範囲に収まる、又は高々所定の離散値分（例えば１レベル分）しか劣化しないということを意味する。データレート、周波数利用効率を離散値化した例として、ＭＣＳやＣＱＩを挙げることができる。ＦＤを実施したときのＭＣＳレベルやＣＱＩレベルが、ＦＤを実施しないときと変わらない、若しくは所定レベル未満の劣化に過ぎない場合には、リンク通信品質が「ほぼ変わらない」とみなすことができる。ＭＣＳの例を表１及び表２に、ＣＱＩの例を表３及び表４に、それぞれ示しておく。
【００７４】
【表１】
2019142524.tif 000003
【００７５】
【表２】
2019142524.tif 000004
【００７６】
【表３】
2019142524.tif 000005
【００７７】
【表４】
2019142524.tif 000006
【００７８】
上記の表１並びに表２は、離散値化されたＭＣＳの例である。表１及び表２中の「ＭＣＳ  Ｉｎｄｅｘ」が、リンク通信品質が離散値化された値を意味する。ＭＣＳ  Ｉｎｄｅｘの値によって、ＰＳＫ又はＱＡＭの変調レベルとＦＥＣ符号化率が定まる。これらの表はＱＰＳＫ／１６ＱＡＭ／６４ＱＡＭをカバーする。なお、表１及び表２は、３ＧＰＰ規格書ＴＳ３６．２１３（Ｖ１４．４．０）のＳｅｃｔｉｏｎ７．１．７にも記載されている。
【００７９】
また、上記の表３並びに表４は、離散化されたＣＱＩの例である。表３及び表４中の「ＣＱＩ  Ｉｎｄｅｘ」が、リンク通信品質が離散化された値を意味する。ＣＱＩ  Ｉｎｄｅｘの値によって、ＰＳＫ又はＱＡＭの変調レベルとＦＥＣ符号化率が定まる。これらの表はＱＰＳＫ／１６ＱＡＭ／６４ＱＡＭ／２５６ＱＡＭをカバーする。なお、表３及び表４は、３ＧＰＰ規格書ＴＳ３６．２１３（Ｖ１４．４．０）のＳｅｃｔｏｉｎ  ７．２．３にも記載されている。
【００８０】
上記のようなリンク品質の測定値、若しくは通信品質値の離散値を「ほぼ変わらない」ようにＦＤのペアリングを設定することによって、ＦＤの切り替えが発生した場合においても、切り替え前後で同じ通信品質を維持することが可能である。また、ＭＣＳやＣＱＩなどの制御情報（Ｃｏｎｔｒｏｌ  Ｉｎｆｏｒｍａｔｉｏｎ）をＦＤの切り替え前後で変える必要がないため、切り替えのためにやり取りすべき基地局と端末の間のＣｏｎｔｒｏｌ  Ｉｎｆｏｒｍａｔｉｏｎの量を減らすことができる。最良のケースでは、ＦＤ切り替え時のＣｏｎｔｒｏｌ  Ｉｎｆｏｒｍａｔｉｏｎのやり取りを無くすことも可能となる。例えば、ＭＣＳの通知には５ビットが使用され、ＣＱＩの通知には４ビットが使用される。ＦＤの切り替え前後でＭＣＳやＣＱＩを変更しないことにより、Ｃｏｎｔｒｏｌ  Ｉｎｆｏｒｍａｔｉｏｎから、ＭＣＳ又はＣＱＩのビット数分だけデータ量を削減することができる。
【００８１】
基地局と端末の間で、上記の表１〜表４のような内容を事前に把握していることが望ましい。例えば、ルックアップテーブルの形で、基地局及び各端末の装置内に事前に実装しておいてもよい。
【００８２】
また、図７に示したフローチャート中の判定ステップＳ７０４において、端末ｍの下りリンク（あるいは上りリンク）のリンク通信品質について、端末ｎの上りリンク（あるいは下りリンク）とＦＤを実施しない場合と、端末ｎの上りリンク（あるいは下りリンク）とＦＤを実施する場合とで比較をする際の「所定の条件」を、以下のような考慮をしてもよい。
【００８３】
ＦＤでペアリングされる上りリンクの端末と下りリンクの端末の相対的な関係を考慮してもよい（図２０を参照のこと）。
【００８４】
例えば、ＦＤのペアリングをする際に、ペアリングされる上りリンクの端末と基地局間の距離と、基地局と下りリンクの端末間の距離とを直接的に考慮してもよい。ここで言う距離は、２次元の距離、又は３次元の距離である。具体的には、ペアリングされる上りリンクの端末は、ペアリングされる下りリンクの端末に比べて、接続している基地局と比較的近いこと（セルの中心に比較的近いこと）が望ましい。例えば、上りリンクの端末の送信電力を抑制することで、基地局から下りリンクの端末に送信する下りリンク信号への干渉を抑制して、上りリンク信号及び下りリンク信号の通信品質を保つことができる。
【００８５】
また、ＦＤのペアリングをする際に、ペアリングされる上りリンクの端末と基地局の間のパスロスと下りリンクの端末と基地局の間のパスロスを考慮してもよい。この場合、ペアリングされる上りリンク端末は、ペアリングされる下りリンク端末に比べて、パスロスが小さいことが望ましい。
【００８６】
また、ＦＤのペアリングをする際に、上りリンクの端末のＲＳＲＰ、ＲＳＲＱ、又はＲＳＳＩと、下りリンクの端末のＲＳＲＰ、ＲＳＲＱ、又はＲＳＳＩを考慮してもよい。この場合には、ペアリングされる上りリンク端末は、ペアリングされる下りリンク端末に比べて、ＲＳＲＰ、ＲＳＲＱ、又はＲＳＳＩが大きいことが望ましい。
【００８７】
また、ＦＤのペアリングをする際に、上りリンク端末のＣＱＩ又はＭＣＳと下りリンク端末のＣＱＩ又はＭＣＳを考慮してもよい。この場合、ペアリングされる上りリンク端末は、ペアリングされる下りリンク端末に比べて、ＣＱＩ又はＭＣＳが大きいことが望ましい。
【００８８】
上記の説明では、ペアリングされる上りリンク端末と下りリンク端末の相対的な指標（距離、パスロス、ＲＳＲＰ、ＲＳＲＱ、ＲＳＳＩ、ＣＱＩ、ＭＣＳなど）でペアリングの適正を判定しているが、端末毎に個別に（独立して）、上りリンクの端末としてのペアリングの適正並びに下りリンクの端末としてのペアリングの適性の判定を実施するようにしてもよい。
【００８９】
例えば、上りリンクについて、距離、パスロス、ＲＳＲＰ、ＲＳＲＱ、ＲＳＳＩ、ＣＱＩ、ＭＣＳなどの指標に対して所定の閾値を設け、端末がその上りリンクの閾値を上回る（指標によってはその閾値を下回る）場合には、その端末を上りリンクの端末としてペアリングされる適性があると判定できる。同様に、下りリンクについて、距離、パスロス、ＲＳＲＰ、ＲＳＲＱ、ＲＳＳＩ、ＣＱＩ、ＭＣＳなどの指標に対して所定の閾値を設け、端末がその下りリンクの閾値を下回る（指標によってはその閾値を上回る）場合に、その端末を下りリンクの端末としてペアリングされる適性があると判定できる。
【００９０】
なお、各指標の上りリンクの閾値と下りリンクの閾値は、上りリンク、下りリンクそれぞれ個別の値でもよいし、同一（共通）の値となってもよい。ある指標については上りリンク閾値と下りリンク閾値が共通であるが、他の指標については上りリンク閾値と下りリンク閾値が個別の値であってもよい。
【００９１】
図２１には、端末毎に個別に（独立して）、上りリンクの端末としてのペアリングの適正並びに下りリンクの端末としてのペアリングの適性を判定するための処理手順をフローチャートの形式で示している。図示の処理手順は、例えば基地局が配下の各端末に対して個別に実施するが、各端末が自ら実施して判定結果を接続先の基地局に通知するようにしてもよい。
【００９２】
まず、処理対象とする端末が、所定の指標について、上りリンクの閾値の条件を満たすかどうかをチェックする（ステップＳ２１０１）。
【００９３】
そして、所定の指標について上りリンクの閾値の条件を満たす場合には（ステップＳ２１０１のＹｅｓ）、当該端末は上りリンクの端末としてペアリングされる適性があると判定する（ステップＳ２１０２）。また、同指標について上りリンクの閾値の条件を満たさない場合には（ステップＳ２１０１のＮｏ）、当該端末は上りリンクの端末としてペアリングされる適性がないと判定する（ステップＳ２１０３）。
【００９４】
続いて、処理対象とする端末が、所定の指標について、下りリンクの閾値の条件を満たすかどうかをチェックする（ステップＳ２１０４）。
【００９５】
そして、所定の指標について下りリンクの閾値の条件を満たす場合には（ステップＳ２１０４のＹｅｓ）、当該端末は下りリンクの端末としてペアリングされる適性があると判定する（ステップＳ２１０５）。また、同指標について下りリンクの閾値の条件を満たさない場合には（ステップＳ２１０４のＮｏ）、当該端末は上りリンクの端末としてペアリングされる適性がないと判定する（ステップＳ２１０６）。
【００９６】
このように、上りリンクの端末としてペアリングされる適性の有無、及び下りリンクの端末としてペアリングされる適性の有無を、端末毎に個別に（独立して）判定した上で、それぞれ適性がある端末同士をＦＤペアリングすることが可能となる。なお、端末によっては、上りリンクの端末としての指標の条件と下りリンクの端末としての指標の条件を両方とも満たす場合もあり得る。
【００９７】
本明細書で言う「ＦＤの切り替え」とは、ある通信装置（端末又は基地局）から見て、ＦＤの有無（又はＦＤとＨＤ（ＴＤＤ又はＦＤＤ））の状況が変わること（ＦＤからＨＤへの変化、又はＨＤからＦＤへの変化）を意味する。また、ＦＤ実施中の通信装置のペア（ＦＤされている各リンクの通信装置のペア・組み合わせ）が変わることも「ＦＤの切り替え」に相当する。
【００９８】
Ｄ．実施例１
ここでは、リソース割り当て単位内でＦＤを切り替える実施例について説明する。実施例１では、主に基地局がＦＤを実施するが、端末はＦＤを実施しない。具体的には、基地局は、ある端末へ下りリンクの送信と、別の端末からの上りリンクの受信を同時に行う実施例である。
【００９９】
端末が通信（下りリンクの受信、上りリンクの送信、サイドリンクの送信など）に使うための無線リソース（周波数リソース（リソースブロックなど）や、時間リソース（サブフレーム、スロット、ミニスロットなど））は、基地局からスケジューリングの結果によって端末毎に割り当てられる。従来のＦＤでは、無線リソースを割り当てる単位時間（例えば、サブフレーム、スロットなど）内でリンク種別（下りリンクから上りリンクへ、又は上りリンクから下りリンクへ）が切り替わることはなかった。これに対し、本実施形態では、ユーザに割り当てた時間リソース単位内でＦＤを切り替える。
【０１００】
ここで言う、割り当てられる「無線リソース」とは、具体的にはユーザデータに関連する情報を運ぶための無線リソース（例えば、物理下りリンク共有チャネル（ＰＤＳＣＨ）、物理上りリンク共有チャネル（Ｐｈｙｓｉｃａｌ  Ｕｐｌｉｎｋ  Ｓｈａｒｅｄ  Ｃｈａｎｎｅｌ：ＰＵＳＣＨ）、サイドリンク共有チャネル（Ｐｈｙｓｉｃａｌ  Ｓｉｄｅｌｉｎｋ  Ｓｈａｒｅｄ  Ｃｈａｎｎｅｌ：ＰＳＳＣＨ）など）であることが望ましい。
【０１０１】
図８には、１台の基地局（ＢＳ）と、この基地局に接続している２台の端末ＵＥ１及びＵＥ２からなる通信システムにおいて、リソース割り当て単位内でのＦＤの切り替えを含む通信シーケンス例を示している。同図において、横軸は時間軸である。また、通信装置毎の時間軸の上側が送信処理を意味し、下側が受信処理を意味しているものと理解されたい。また、同図では、所定の時間単位（例えばサブフレーム、スロット）が２つの分割された時間単位（例えばミニスロット、シンボル）に分割され、分割された時間単位でＦＤの切り替えを実施する通信シーケンス例を示している。
【０１０２】
無線リソースの先頭のＣｏｎｔｒｏｌは、制御チャネルである。ＢＳは、この制御チャネルを使って、無線リソース毎のスケジューリング情報などを含む制御情報（Ｃｏｎｔｒｏｌ  Ｉｎｆｏｒｍａｔｉｏｎ）などを各端末ＵＥ１、ＵＥ２へ通知する。
【０１０３】
１つ目のミニスロットでは、ＦＤが実施されない（すなわち、ＨＤのみが実施されている）。ＢＳは、ＵＥ１へ下りリンク（ＤＬ）信号を送信している。また、ＵＥ１は、そのミニスロットの最後に、対象の下りリンク信号に対するＡＣＫ／ＮＡＣＫを送っている。
【０１０４】
２つ目のミニスロットでは、ＢＳによりＦＤが実施され、且つ、同ミニスロット内でＦＤを実施する端末ペアの切り替えが１回だけ発生している。このミニスロットの前半では、ＢＳは、ＵＥ１への下りリンク信号を送信するのと同時に、ＵＥ２からの上りリンク信号を受信している。そして、２つ目のミニスロットの最後に、ＢＳは、ＦＤを実施する端末ペアを切り替えて、ＵＥ１からの下りリンク信号に対するＡＣＫ／ＮＡＣＫを受信するのと同時に、ＵＥ２へ上りリンク信号に対するＡＣＫ／ＮＡＣＫを送っている。下りリンク信号と上りリンク信号は、同一又は重複する周波数リソース、且つ同一又は重複する時間リソースを使用することを想定している。
【０１０５】
図８の２つ目のミニスロットのような場合、前半の下りリンクと上りリンクの信号は、ユーザデータを運ぶ信号であることが望ましい。また、同ミニスロットの後半のＦＤ切り替え後の下りリンクと上りリンクの信号は、少なくとも一方はＡＣＫ／ＮＡＣＫについての信号であることが望ましい。また、ミニスロットの前半のユーザデータを運ぶ信号の時間的な長さ（例えばシンボル数、シンボル長とシンボル数の積など）は同一であることが望ましい。言い換えれば、下りリンク信号用に割り当てるリソースの個数と、上りリンク信号用に割り当てるリソースの個数は同数であることが望ましい。ＢＳからＵＥ１への下りリンクのユーザデータと、ＵＥ２からＢＳへの上りリンクのユーザデータの時間的な長さが同一（言い換えれば、両データフレームの終端位置が揃っている）であると、自己干渉キャンセラの制御が容易になるからである。同様の理由で、ＵＥ１からのＡＣＫ／ＮＡＣＫの受信タイミングが、ＢＳがＵＥ２へＡＣＫ／ＮＡＣＫを送信開始するタイミングと揃っていることが好ましい。
【０１０６】
また、図８に示すように、１つの時間単位（ミニスロット）内でユーザデータとＡＣＫ／ＮＡＣＫのＦＤ切り替えを行う場合、割り当てられた時間リソース内でのＦＤの切り替えの回数は所定の回数（例えば１回）を上限とすることが望ましい。この所定の回数、並びに切り替えが発生するタイミング（例えばシンボル数で指定）は、Ｃｏｎｔｒｏｌ  Ｉｎｆｏｒｍａｔｉｏｎで基地局から端末へ通知されることが望ましい。
【０１０７】
図９には、ミニスロット内で２回のＦＤ切り替えがある場合の通信シーケンス例を示している。同図では、１台の基地局（ＢＳ）と、この基地局に接続している３台の端末ＵＥ１、ＵＥ２、ＵＥ３からなる通信システムを想定している。また、同図の横軸は時間軸であり、通信装置毎の時間軸の上側が送信処理を意味し、下側が受信処理を意味している。そして、所定の時間単位（例えばサブフレーム、スロット）が２つの分割された時間単位（例えばミニスロット、シンボル）に分割されている。
【０１０８】
ＢＳは、無線リソースの先頭の制御チャネル（Ｃｏｎｔｒｏｌ）を使って、無線リソース毎のスケジューリング情報などを含む制御情報（Ｃｏｎｔｒｏｌ  Ｉｎｆｏｒｍａｔｉｏｎ）などを各端末ＵＥ１、ＵＥ２、ＵＥ３へ通知する。
【０１０９】
１つ目のミニスロットでは、ＦＤが実施されない（すなわち、ＨＤのみが実施されている）。ＢＳは、ＵＥ１へ下りリンク（ＤＬ）信号を送信している。また、ＵＥ１は、そのミニスロットの最後に、対象の下りリンク信号に対するＡＣＫ／ＮＡＣＫを送っている。
【０１１０】
２つ目のミニスロットでは、ＢＳによりＦＤが実施され、且つ、同ミニスロット内でＦＤを実施する端末ペアの切り替えが２回発生している。このミニスロットの前半では、ＢＳは、ＵＥ１への下りリンク信号を送信するのと同時に、上りリンクを受信している。下りリンク信号と上りリンク信号は、同一又は重複する周波数リソース、且つ同一又は重複する時間リソースを使用することを想定している。
【０１１１】
１回目のＦＤの切り替わりは、上りリンクの送信装置がＵＥ２からＵＥ３に切り替わるときとなる。このとき、先に説明したＦＤのペアリングの条件を採用している場合、ＵＥ１の下りリンクの通信品質はＨＤとＦＤを含めほぼ変わらないことから、継続して同じ送信パラメータ（Ｃｏｎｔｒｏｌ  Ｉｎｆｏｒｍａｔｉｏｎ、ＭＣＳなど）を利用した送信をしても、ＵＥ１は下りリンク信号を受信することが可能である。つまり、ＵＥ２が送信している期間とＵＥ３が送信している期間の間で、下りリンク信号のＭＣＳなどの送信パラメータを変えることを不要にすることができる。
【０１１２】
２つ目のミニスロット内での２回目のＦＤの切り替えは、図８に示した例と同様に、ユーザデータ信号の送信からＡＣＫ／ＮＡＣＫ信号の送信に切り替わるところである。すなわち、２つ目のミニスロットの最後に、ＢＳは、ＦＤを実施する端末ペアを切り替えて、ＵＥ１からの下りリンク信号に対するＡＣＫ／ＮＡＣＫを受信するのと同時に、ＵＥ２及びＵＥ３へ上りリンク信号に対するＡＣＫ／ＮＡＣＫを送っている。
【０１１３】
図９に示した通り、ＦＤの切り替えによらずＭＣＳなどの送信パラメータを変更せずに使うことが、シグナリングの簡素化や自己干渉キャンセラの制御の観点からは望まれる。但し、ＦＤの切り替えに合わせてＭＣＳなどの送信パラメータを切り替えることをしてもよい。
【０１１４】
なお、ＢＳからＵＥ１への下りリンクのユーザデータの時間的長さ（例えばシンボル数、シンボル長とシンボル数の積など）と、ＵＥ２からＢＳへの上りリンクのユーザデータ及びＵＥ３からＢＳへの上りリンクのユーザデータの合計の時間的な長さとが同一（言い換えれば、両データフレームの終端位置が揃っている）であることが望ましい。何故なら、自己干渉キャンセラの制御が容易になるからである。言い換えれば、下りリンク信号用に割り当てるリソースの個数と、上りリンク信号用に割り当てるリソースの個数は同数であることが望ましい。また、同様の理由で、ＵＥ１からのＡＣＫ／ＮＡＣＫの受信タイミングが、ＢＳがＵＥ２及びＵＥ３へＡＣＫ／ＮＡＣＫを送信開始するタイミングと揃っていることが好ましい。
【０１１５】
図９に示した通信シーケンス例では、ミニスロット内でのＢＳからＵＥ１への下りリンクのユーザデータの送信中に、上りリンクのユーザデータの送信装置がＵＥ２からＵＥ３に切り替わる際に、シグナリングの簡素化などの観点から、ＭＣＳなどの送信パラメータを変更しないことを想定している。もちろん、上りリンクのユーザデータの送信装置が切り替わる際に、ＭＣＳなどの送信パラメータの切り替えを併せて行うようにしてもよい。
【０１１６】
図１０には、ミニスロット内でのＦＤ切り替えがあり、且つ、ＦＤの切り替えに合わせてＭＣＳなどの送信パラメータを切り替える場合の通信シーケンス例を示している。同図では、図９と同様に、１台の基地局（ＢＳ）と、この基地局に接続している３台の端末ＵＥ１、ＵＥ２、ＵＥ３からなる通信システムを想定している。また、同図の横軸は時間軸であり、通信装置毎の時間軸の上側が送信処理を意味し、下側が受信処理を意味している。そして、所定の時間単位（例えばサブフレーム、スロット）が２つの分割された時間単位（例えばミニスロット、シンボル）に分割されている。
【０１１７】
ＢＳは、無線リソースの先頭の制御チャネル（Ｃｏｎｔｒｏｌ）を使って、無線リソース毎のスケジューリング情報などを含む制御情報（Ｃｏｎｔｒｏｌ  Ｉｎｆｏｒｍａｔｉｏｎ）などを各端末ＵＥ１、ＵＥ２、ＵＥ３へ通知する。
【０１１８】
１つ目のミニスロットでは、ＦＤが実施されない（すなわち、ＨＤのみが実施されている）。ＢＳは、ＵＥ１へ下りリンク（ＤＬ）信号を送信している。また、ＵＥ１は、そのミニスロットの最後に、対象の下りリンク信号に対するＡＣＫ／ＮＡＣＫを送っている。
【０１１９】
２つ目のミニスロットでは、ＢＳによりＦＤが実施され、且つ、同ミニスロット内でＦＤを実施する端末ペアの切り替えが２回発生している。このミニスロットの前半では、ＢＳは、ＵＥ１への下りリンク信号を送信するのと同時に、上りリンクを受信している。下りリンク信号と上りリンク信号は、同一又は重複する周波数リソース、且つ同一又は重複する時間リソースを使用することを想定している。
【０１２０】
１回目のＦＤの切り替わりは、上りリンクの送信装置がＵＥ２からＵＥ３に切り替わるときとなる。このとき、ＭＣＳの切り替わるタイミング（例えば、シンボル数、シンボル長×シンボル数など）を、ＦＤの切り替わりのタイミングで揃えていることが望ましい。すなわち、図１０中のＵＥ１への下りリンク信号のＭＣＳが切り替わる境界と、ＵＥ２からの上りリンク信号とＵＥ３からの上りリンク信号の境界が一致していることが望ましい。ＢＳがＵＥ２への下りリンク信号を送信するときのＭＣＳをＭＣＳ１とし、ＵＥ３への下りリンク信号を送信するときのＭＣＳをＭＣＳ２とする。
【０１２１】
また、同一の端末への信号（図１０中の場合ＵＥ１への下りリンク信号）を２以上の数に分ける場合、分け方として、トランスポートブロック（Ｔｒａｎｓｐｏｒｔ  Ｂｌｏｃｋ、１以上のコードブロックで構成される）として分ける場合と、コードブロック（Ｃｏｄｅ  Ｂｌｏｃｋ、又はＣｏｄｅ  Ｂｌｏｃｋ  Ｇｒｏｕｐ）として分ける場合が考えられる。つまり、トランスポートブロック又はコードブロックの境界が、上述したＭＣＳ及びＦＤが切り替わる境界に相当するように分けることが考えられる。このように分けた場合、それぞれのトランスポートブロック又はコードブロックでＭＣＳなど送信パラメータを変えてもよい（特に、トランスポートブロックの場合に送信パラメータを変えることが望ましい）。送信パラメータを変える場合は、Ｃｏｎｔｒｏｌ  Ｉｎｆｏｒｍａｔｉｏｎとして基地局から端末へ通知しておくことが望ましい。
【０１２２】
２つ目のミニスロット内での２回目のＦＤの切り替えは、図９に示した例と同様に、ユーザデータ信号の送信からＡＣＫ／ＮＡＣＫ信号の送信に切り替わるところである。すなわち、２つ目のミニスロットの最後に、ＢＳは、ＦＤを実施する端末ペアを切り替えて、ＵＥ１からの下りリンク信号に対するＡＣＫ／ＮＡＣＫを受信するのと同時に、ＵＥ２及びＵＥ３へ上りリンク信号に対するＡＣＫ／ＮＡＣＫを送っている。
【０１２３】
Ｅ．実施例２
ここでは、通信装置が、ＦＤの切り替えにより、ユーザデータを送信（又は受信）しながら、ＡＣＫ／ＮＡＣＫを受信（又は送信）する実施例について説明する。これにより、低遅延通信を実現するためのＲｏｕｎｄ−ｔｒｉｐ  Ｄｅｌａｙの削減に大きく貢献することが可能となる。
【０１２４】
また、上記の実施例１では、主に基地局がＦＤを実施するのに対し、実施例２では基地局及び端末がともにＦＤを実施することとなる。具体的には、基地局は、ある端末への下りリンクの送信とその端末からの上りリンクの受信を同時に行うとともに、端末側では、基地局からの下りリンクの受信と基地局への上りリンクの送信を同時に行う実施例である。
【０１２５】
図１１には、１台の基地局（ＢＳ）と１台の端末ＵＥ１からなる通信システムにおいて、ＦＤの切り替えにより、ユーザデータを送信（又は受信）しながら、ＡＣＫ／ＮＡＣＫを受信（又は送信）する通信シーケンス例を示している。同図の横軸は時間軸であり、通信装置毎の時間軸の上側が送信処理を意味し、下側が受信処理を意味している。そして、割り当てられた所定の時間単位（例えばサブフレーム、スロット）が複数（図示の例では４つ）の分割された時間単位（例えばミニスロット、シンボル）に分割されている。
【０１２６】
ＢＳは、無線リソースの先頭の制御チャネル（Ｃｏｎｔｒｏｌ）を使って、無線リソース毎のスケジューリング情報などを含む制御情報（Ｃｏｎｔｒｏｌ  Ｉｎｆｏｒｍａｔｉｏｎ）などを端末ＵＥ１へ通知する。
【０１２７】
ＢＳは、ＵＥ１への下りリンク（ＤＬ）信号を送信している。これに対し、ＵＥ１は、割り当てられた所定の時間単位（例えばサブフレームやスロット）内での下りリンク信号を継続して受信したまま、受信した信号で運ばれるデータに対応するＡＣＫ／ＮＡＣＫを上りリンク（ＵＬ）信号で送信する。下りリンク信号と上りリンク信号は、同一又は重複する周波数リソース、且つ同一又は重複する時間リソースを使用することを想定している。したがって、ＢＳは、ＦＤを実施して、ＵＥ１への下りリンク信号の送信と、ＵＥ１からのＡＣＫ／ＮＡＣＫの受信を同時に行っている。また、ＵＥ１も、ＦＤを実施して、ＢＳからの下りリンク信号の受信と、ＢＳへのＡＣＫ／ＮＡＣＫ信号の送信を同時に行っている。
【０１２８】
また、図１１に示す通信シーケンス例では、ＵＥ１は、割り当てられた所定の時間単位内で、ＢＳからの下りリンク信号に対応するＡＣＫ／ＮＡＣＫを複数回にわたり送信している。例えば、ＵＥ１は、下りリンク信号のトランスポートブロック、コードブロック又はコードブロックグループに対応するＡＣＫ／ＮＡＣＫを送信する。
【０１２９】
割り当てられた所定の時間単位中にＵＥ１がＡＣＫ／ＮＡＣＫを送信するタイミング及び回数については、ＢＳからＵＥ１へ、下りリンク制御情報（Ｄｏｗｎｌｉｎｋ  Ｃｏｎｔｃｏｌ  Ｉｎｆｏｒｍａｔｉｏｎ）で無線リソースの割り当て毎に動的に指定されるか、システム情報（Ｓｙｓｔｅｍ  Ｉｎｆｏｒｍａｔｉｏｎ）やＲＲＣシグナリングで準静的に指定されることが望ましい（下りリンク制御情報（Ｄｏｗｎｌｉｎｋ  Ｃｏｎｔｃｏｌ  Ｉｎｆｏｒｍａｔｉｏｎ）は、物理下りリンク制御チャネル（ＰＤＣＣＨ）を用いて送信される。他方、システム情報（Ｓｙｓｔｅｍ  Ｉｎｆｏｒｍａｔｉｏｎ）やＲＲＣシグナリングは、物理報知チャネル（Ｐｈｙｓｉｃａｌ  Ｂｒｏａｄｃａｓｔ  Ｃｈａｎｎｅｌ）や物理下りリンク共有チャネル（Ｐｈｙｓｉｃａｌ  Ｄｏｗｎｌｉｎｋ  Ｓｈａｒｅｄ  Ｃｈａｎｎｅｌ）を用いて送信される）。したがって、ＵＥ１への、ＢＳからの下りリンク信号の受信用無線リソースの割り当ての通知と、ＵＥ１からの上りリンク信号の送信用無線リソースの割り当ての通知は、それぞれ異なるチャネルを通じて行われることになる。
【０１３０】
ＦＤは、ＢＳとＵＥ１の間でＡＣＫ／ＮＡＣＫの送受信中に発生する。したがって、ＦＤの切り替えタイミングをＢＳとＵＥ１の間で事前に通知又は指定されていれば、自己干渉キャンセラをその期間（及び数シンボル分前後も含む期間）のみ動作させることが可能となり、受信時の信号処理負荷並びに消費電力を削減することに貢献する。
【０１３１】
また、ＵＥ１に下りリンク信号の受信用無線リソースとして割り当てられた所定の時間単位の最後のパート（例えば、所定の時間単位における最後のミニスロット又はシンボル）については、ＵＥ１は受信した信号のＡＣＫ／ＮＡＣＫを返す必要があるので、下りリンク信号は受信し終わっている必要がある。したがって、最後のＡＣＫ／ＮＡＣＫのときのみ、それ以前に信号の受信が終わっているように信号（下りリンク信号、並びにＡＣＫ／ＮＡＣＫ）の配置を設定することが望ましい。言い換えれば、受信用無線リソースが２以上ある場合に、時間的に最後の受信用無線リソース（最後のミニスロット又はシンボル）と対になる送信用無線リソースは、時間的に重複しない。
【０１３２】
図１２には、通信装置（基地局又は端末）が、ＦＤの切り替えに伴う自己干渉キャンセラの動作を制御するための処理手順をフローチャートの形式で示している。
【０１３３】
通信装置は、対象の無線リソースにおいて信号を送信し（ステップＳ１２０１のＹｅｓ）、且つ、対象の無線リソースにおいて信号を受信する場合には（ステップＳ１２０２のＹｅｓ）、自己干渉キャンセラを動作させる（ステップＳ１２０３）。
【０１３４】
他方、通信装置は、対象の無線リソースにおいて信号を送信しない場合（ステップＳ１２０１のＮｏ）、又は、対象の無線リソースにおいて信号を送信するが（ステップＳ１２０１のＹｅｓ）、受信しない場合（ステップＳ１２０２のＮｏ）、言い換えればＦＤを実施しない場合には、自己干渉キャンセラを動作させない（ステップＳ１２０５）。
【０１３５】
そして、通信装置は、自己干渉キャンセラを動作させながら、若しくは自己干渉キャンセラを動作させずに、受信信号に対する復調及び復号処理を行った後（ステップＳ１２０４）、次の対象の無線リソースの処理に移行する（ステップＳ１２０６）。
【０１３６】
図１３には、１台の基地局（ＢＳ）と１台の端末ＵＥ１からなる通信システムにおいて、ＦＤの切り替えにより、ユーザデータを送信（又は受信）すると同時にＡＣＫ／ＮＡＣＫを受信（又は送信）する他の通信シーケンス例を示している。同図の横軸は時間軸であり、通信装置毎の時間軸の上側が送信処理を意味し、下側が受信処理を意味している。
【０１３７】
ＢＳは、無線リソースの先頭の制御チャネル（Ｃｏｎｔｒｏｌ）を使って、無線リソース毎のスケジューリング情報などを含む制御情報（Ｃｏｎｔｒｏｌ  Ｉｎｆｏｒｍａｔｉｏｎ）などを端末ＵＥ１へ通知する。
【０１３８】
ＢＳは、ＵＥ１への下りリンク（ＤＬ）信号を送信している。これに対し、ＵＥ１は、割り当てられた所定の時間単位（例えばサブフレームやスロット）内での下りリンク信号を継続して受信したまま、受信した信号で運ばれるデータに対応するＡＣＫ／ＮＡＣＫを上りリンク（ＵＬ）信号で送信する。下りリンク信号と上りリンク信号は、同一又は重複する周波数リソース、且つ同一又は重複する時間リソースを使用することを想定している。したがって、ＢＳは、ＦＤを実施して、ＵＥ１への下りリンク信号の送信と、ＵＥ１からのＡＣＫ／ＮＡＣＫの受信を同時に行っている。また、ＵＥ１も、ＦＤを実施して、ＢＳからの下りリンク信号の受信と、ＢＳへのＡＣＫ／ＮＡＣＫ信号の送信を同時に行っている。
【０１３９】
図１３に示す例では、割り当てられた所定の時間単位（例えばサブフレーム、スロット）が複数（図示の例では４つ）の分割された時間単位（例えばミニスロット、シンボル）に分割されているが、その分割と、データ（ＵＥ１への下りリンク信号で伝送されるユーザデータ）のトランスポートブロック（Ｔｒａｎｓｐｏｒｔ  Ｂｌｏｃｋ：ＴＢ）、コードブロック（Ｃｏｄｅ  Ｂｌｏｃｋ：ＣＢ）、コードブロックグループ（ＣＢ  Ｇｒｏｕｐ：ＣＢＧ）の境界を関連付けることで、ＡＣＫ／ＮＡＣＫの計算を簡単にすることができる。
【０１４０】
分割された区間としては、ミニスロットなどを考えることができる。割り当て中にＡＣＫ／ＮＡＣＫを送信するタイミング・回数については、ＢＳからＵＥ１へ、制御情報で割り当て毎に動的に指定されるか、又は、システム情報（Ｓｙｓｔｅｍ  Ｉｎｆｏｒｍａｔｉｏｎ）やＲＲＣシグナリングで準静的に指定されることが望ましい。指定の方法として、例えば、第ａ番目のミニスロットで受信したデータに対するＡＣＫ／ＮＡＣＫを第（ａ＋ｂ）番目（図１３中ではｂ＝１に相当）で送信するというように指定してもよい。
【０１４１】
ここで、第（ａ＋ｂ）番目のミニスロットがＵＥ１に割り当てられていない場合（具体的には、第ａ番目のミニスロットが図１３中の最後のミニスロットに相当）、ＵＥ１は第ａ番目のミニスロットでＡＣＫ／ＮＡＣＫを送信するということにする。このような場合や、ＵＥ１に受信用無線リソースとして割り当てられた最後のパート（所定の時間単位における最後のミニスロット）については、受信した信号のＡＣＫ／ＮＡＣＫを返す必要があるので、下りリンク信号は受信し終わっている必要がある。したがって、ＡＣＫ／ＮＡＣＫのとき、それ以前に信号の受信が終わっているように信号（下りリンク信号、並びにＡＣＫ／ＮＡＣＫ）の配置を設定することが望ましい。
【０１４２】
ユーザデータを載せた信号を送信する際の送信パラメータ（ＭＣＳなど）については、上述したＦＤペアリングを考慮したペアリングをした場合、ＡＣＫ／ＮＡＣＫの送信にＦＤが実施されることの有無によらず、同一の送信パラメータを利用することが可能である。制御情報（Ｃｏｎｔｒｏｌ  Ｉｎｆｏｒｍａｔｉｏｎ）、システム情報（Ｓｙｓｔｅｍ  Ｉｎｆｏｒｍａｔｉｏｎ）、ＲＲＣシグナリングの簡素化やオーバーヘッド削減の観点から、同一の送信パラメータを利用することが望ましい。
【０１４３】
他方、同一の送信パラメータでなければならないという縛りはないので、ＡＣＫ／ＮＡＣＫ送信時のＦＤの実施の有無に応じて、送信パラメータを変更してもよい。この場合、ＭＣＳを考慮すると、ＡＣＫ／ＮＡＣＫ送信時にＦＤ（及び一般にＦＤ）が実施されているときの値は、ＡＣＫ／ＮＡＣＫ送信時のＦＤ（及び一般にＦＤ）が実施されていないときの値より、データレート（周波数利用効率）の点で同じかそれよりも小さい値を利用することが望ましい。例えば、上記の表１のＭＣＳ  Ｉｎｄｅｘについて、非ＦＤ時の場合のＭＣＳ  Ｉｎｄｅｘが２０であった場合には、ＦＤ時のＭＣＳ  Ｉｎｄｅｘは２０以下であることが望ましい。
【０１４４】
図１４には、１台の基地局（ＢＳ）と、この基地局に接続している２台の端末ＵＥ１及びＵＥ２からなる通信システムにおいて、ＦＤの切り替えにより、ユーザデータを送信（又は受信）すると同時にＡＣＫ／ＮＡＣＫを受信（又は送信）するさらに他の通信シーケンス例を示している。同図の横軸は時間軸であり、通信装置毎の時間軸の上側が送信処理を意味し、下側が受信処理を意味している。そして、所定の時間単位（例えばサブフレーム、スロット）が２つの分割された時間単位（例えばミニスロット、シンボル）に分割されている。
【０１４５】
ＢＳは、無線リソースの先頭の制御チャネル（Ｃｏｎｔｒｏｌ）を使って、無線リソース毎のスケジューリング情報などを含む制御情報（Ｃｏｎｔｒｏｌ  Ｉｎｆｏｒｍａｔｉｏｎ）などを各端末ＵＥ１、ＵＥ２へ通知する。
【０１４６】
１つ目のミニスロットはＵＥ２の下りリンク信号の受信用に割り当てられ、２つ目のミニスロットはＵＥ１の下りリンク信号の受信用に割り当てられているものとする。
【０１４７】
１つ目のミニスロットでは、ＦＤが実施されない（すなわち、ＨＤのみが実施されない）。すなわち、ＢＳは、ＦＤを実施せず（すなわち、ＨＤのみを実施して）、ＵＥ２への下りリンク信号（ＤＬ）を送信している。ここで、ＢＳは１つ目のミニスロットの終端に達するまで下りリンク信号を送信し続けているので、ＵＥ２は、自分の受信用に割り当てられたリソース（ミニスロット）でＡＣＫ／ＮＡＣＫを送信することができない。
【０１４８】
２つ目のミニスロットでは、ＢＳは、ＵＥ１への下りリンク信号を送信している。ここで、２つ目のミニスロットはＵＥ２には割り当てられていないが、ＡＣＫ／ＮＡＣＫの送信が許容される。そこで、ＵＥ２は、１つ目のミニスロットで受信した下りリンク信号に対するＡＣＫ／ＮＡＣＫを、ＢＳに送信することができる。下りリンク信号と上りリンク信号は、同一又は重複する周波数リソース、且つ同一又は重複する時間リソースを使用することを想定している。したがって、ＢＳは、２つ目のミニスロットでは、ＦＤを実施して、ＵＥ１への下りリンク信号を送信すると同時に、ＵＥ２からのＡＣＫ／ＮＡＣＫ信号を受信する。また、ＵＥ１は、２つ目のミニスロットの最後に、対象の下りリンク信号に対するＡＣＫ／ＮＡＣＫを送っている。
【０１４９】
要するに、図１４に示す通信シーケンス例では、第ａ番目のミニスロットで受信した信号のデータに対するＡＣＫ／ＮＡＣＫの送信が、第（ａ＋ｂ）番目のミニスロットの割り当てを問わず許容される。したがって、端末側では下りリンク信号の受信用に割り当てられた時間単位（ミニスロット、シンボルなど）でＡＣＫ／ＮＡＣＫを送信できなくても、例えば他の端末の下りリンク信号の受信に割り当てられた時間単位を使って（すなわち、受信が完了した後に）、ＦＤを実施することなくＡＣＫ／ＮＡＣＫを送信することができる訳である。
【０１５０】
図１５には、図１２〜図１４に示した通信シーケンスにおいて、端末として動作する通信装置がユーザデータの受信とＡＣＫ／ＮＡＣＫの送信のタイミングを制御するための処理手順をフローチャートの形式で示している。
【０１５１】
まず、端末は、接続先の基地局から、ＡＣＫ／ＮＡＣＫの送信タイミングに関する制御情報、システム情報、ＲＲＣ情報などを受信する（ステップＳ１５０１）。下りリンク制御情報（Ｄｏｗｎｌｉｎｋ  Ｃｏｎｔｃｏｌ  Ｉｎｆｏｒｍａｔｉｏｎ）は、物理下りリンク制御チャネル（ＰＤＣＣＨ）を用いて送信される。他方、システム情報（Ｓｙｓｔｅｍ  Ｉｎｆｏｒｍａｔｉｏｎ）やＲＲＣシグナリングは、物理報知チャネル（Ｐｈｙｓｉｃａｌ  Ｂｒｏａｄｃａｓｔ  Ｃｈａｎｎｅｌ）や物理下りリンク共有チャネル（Ｐｈｙｓｉｃａｌ  Ｄｏｗｎｌｉｎｋ  Ｓｈａｒｅｄ  Ｃｈａｎｎｅｌ）を用いて送信される。
【０１５２】
そして、端末は、第ａ番目の無線リソースが自分の信号受信のために割り当てられているかどうかをチェックする（ステップＳ１５０２）。但し、ａの初期値は１とする。第ａ番目の無線リソースが信号受信のために割り当てられていない場合には（ステップＳ１５０２のＮｏ）、ａを１だけインクリメントして（ステップＳ１５０８）、次の無線リソースの処理に移行する。
【０１５３】
一方、第ａ番目の無線リソースが信号受信のために割り当てられている場合には（ステップＳ１５０２のＮｏ）、端末は、第ａ番目の無線リソースで送信される信号のデータを受信し、復号及び復調処理を行う（ステップＳ１５０３）。
【０１５４】
次いで、端末は、第（ａ＋ｂ）番目の無線リソースが信号受信又は信号送信のために割り当てられているかどうかをチェックする（ステップＳ１５０４）。また、第（ａ＋ｂ）番目の無線リソースが信号受信又は信号送信のために割り当てられていない場合には（ステップＳ１５０４のＮｏ）、端末は、割り当てられていない無線リソースでのＡＣＫ／ＮＡＣＫ送信が許容されているかどうかをさらにチェックする（ステップＳ１５０６）。
【０１５５】
第（ａ＋ｂ）番目の無線リソースが信号受信又は信号送信のために割り当てられている場合（ステップＳ１５０４のＹｅｓ）、又は、割り当てられていない無線リソースでのＡＣＫ／ＮＡＣＫ送信が許容されている場合には（ステップＳ１５０６のＹｅｓ）、端末は、第（ａ＋ｂ）番目の無線リソースで、第ａ番目の無線リソースで受信したデータに対するＡＣＫ／ＮＡＣＫを送信する（ステップＳ１５０５）。
【０１５６】
また、割り当てられていない無線リソースでのＡＣＫ／ＮＡＣＫ送信が許容されていない場合には（ステップＳ１５０６のＮｏ）、端末は、第ａ番目の無線リソースで、第ａ番目の無線リソースで受信したデータに対するＡＣＫ／ＮＡＣＫを送信する（ステップＳ１５０７）。
【０１５７】
その後、端末は、ａを１だけインクリメントして（ステップＳ１５０８）、次の無線リソースの処理に移行する。
【０１５８】
Ｆ．実施例３
ここでは、種類若しくは属性が異なる物理チャネルを用いてＦＤを実施する実施例について説明する。前述した実施例１及び２では、基本的には、同じ物理チャネル（例えば、共有チャネル（Ｓｈａｒｅｄ  Ｃｈａｎｎｅｌ：ＳＣＨ））でＦＤを実施する実施例と言える。
【０１５９】
種類若しくは属性が異なる物理チャネルを用いたＦＤの１つとして、物理下りリンク共有チャネル（Ｐｈｙｓｉｃａｌ  Ｄｏｗｎｌｉｎｋ  Ｓｈａｒｅｄ  Ｃｈａｎｎｅｌ：ＰＤＳＣＨ）と物理ランダムアクセスチャネル（Ｐｈｙｓｉｃａｌ  Ｒａｎｄｏｍ  Ａｃｃｅｓｓ  Ｃｈａｎｎｅｌ：ＰＲＡＣＨ）のＦＤが挙げられる。
【０１６０】
図１６には、種類若しくは属性が異なる物理チャネルを用いてＦＤを実施する場合の通信シーケンス例を示している。同図では、１台の基地局（ＢＳ）と、この基地局に接続している４台の端末ＵＥ１、ＵＥ２、ＵＥ３、ＵＥ４からなる通信システムを想定している。また、同図の横軸は時間軸であり、通信装置毎の時間軸の上側が送信処理を意味し、下側が受信処理を意味している。そして、所定の時間単位（例えばサブフレーム、スロット）が４つの分割された時間単位（例えばミニスロット、シンボル）に分割されている。
【０１６１】
ＢＳは、無線リソースの先頭の制御チャネル（Ｃｏｎｔｒｏｌ）を使って、無線リソース毎のスケジューリング情報などを含む制御情報（Ｃｏｎｔｒｏｌ  Ｉｎｆｏｒｍａｔｉｏｎ）などを各端末ＵＥ１、ＵＥ２、ＵＥ３、ＵＥ４へ通知する。図示の例では、各端末ＵＥ１、ＵＥ２、ＵＥ３、ＵＥ４に対しこの無線リソースが物理ランダムアクセスチャネルＰＲＡＣＨに割り当てられることが通知されるとともに、端末ＵＥ４に対しては同じ無線リソースが物理下りリンク共有チャネルＰＤＳＣＨに割り当てられていることが通知される。ＰＲＡＣＨは、具体的には、端末が基地局に対する初期接続並びに再接続用に使用することが許容された物理チャネルである。
【０１６２】
そして、無線リソース内では、ＢＳからＵＥ４へ下りリンク信号が送信されるのと同時に、各端末ＵＥ１、ＵＥ２、ＵＥ３、ＵＥ４は同じ無線リソースを上りリンクのランダムアクセスとして使用している。
【０１６３】
ＢＳは、端末ＵＥ４への下りリンク信号を送信するのと同時に、各端末ＵＥ１、ＵＥ２、ＵＥ３、ＵＥ４からの上りリンク信号のランダムアクセスを受信している。下りリンク信号と上りリンク信号は、同一又は重複する周波数リソース、且つ同一又は重複する時間リソースを使用することを想定している。したがって、ＢＳではＦＤの送受信が発生することとなる。一方、端末側では、必ずしも送受信が同時に発生する訳ではない。各端末ＵＥ１、ＵＥ２、ＵＥ３は上りリンク信号のランダムアクセスを行うのみで、ＦＤを実施しない。但し、ＵＥ４は、下りリンク信号を受信しながら、自身がランダムアクセスをすることも許容されるので、ＦＤの送受信が発生し得る。
【０１６４】
なお、ＰＤＳＣＨとして割り当てられた所定の時間単位の最後のパート（例えば、所定の時間単位における最後のミニスロット又はシンボル）については、ＵＥ４は受信した信号のＡＣＫ／ＮＡＣＫを返す必要があるので、下りリンク信号は受信し終わっている必要がある。したがって、最後のＡＣＫ／ＮＡＣＫのときのみ、それ以前に信号の受信が終わっているように信号（下りリンク信号、並びにＡＣＫ／ＮＡＣＫ）の配置を設定することが望ましい。
【０１６５】
図１７には、種類若しくは属性が異なる物理チャネルを用いてＦＤを実施する場合の他の通信シーケンス例を示している。同図でも、１台の基地局（ＢＳ）と、この基地局に接続している４台の端末ＵＥ１、ＵＥ２、ＵＥ３、ＵＥ４からなる通信システムを想定している。また、同図の横軸は時間軸であり、通信装置毎の時間軸の上側が送信処理を意味し、下側が受信処理を意味している。そして、所定の時間単位（例えばサブフレーム、スロット）が４つの分割された時間単位（例えばミニスロット、シンボル）に分割されている。図１７に示す通信シーケンスは、各端末ＵＥ１、ＵＥ２、ＵＥ３、ＵＥ４からの上りリンク信号のランダムアクセスのタイミングを所定の範囲に制限している点で、図１６に示した通信シーケンス例とは相違する。
【０１６６】
ＢＳは、無線リソースの先頭の制御チャネル（Ｃｏｎｔｒｏｌ）を使って、無線リソース毎のスケジューリング情報などを含む制御情報（Ｃｏｎｔｒｏｌ  Ｉｎｆｏｒｍａｔｉｏｎ）などを各端末ＵＥ１、ＵＥ２、ＵＥ３、ＵＥ４へ通知する。図示の例では、各端末ＵＥ１、ＵＥ２、ＵＥ３、ＵＥ４に対しこの無線リソースが物理ランダムアクセスチャネルＰＲＡＣＨに割り当てられることが通知されるとともに、端末ＵＥ４に対しては同じ無線リソースが物理下りリンク共有チャネルＰＤＳＣＨに割り当てられていることが通知される。
【０１６７】
無線リソース内では、ＢＳからＵＥ４へ下りリンク信号が送信されるのと同時に、各端末ＵＥ１、ＵＥ２、ＵＥ３、ＵＥ４は同じ無線リソースを上りリンクのランダムアクセスとして使用する。
【０１６８】
ＢＳは、端末ＵＥ４への下りリンク信号を送信するのと同時に、各端末ＵＥ１、ＵＥ２、ＵＥ３、ＵＥ４からの上りリンク信号のランダムアクセスを受信する。下りリンク信号と上りリンク信号は、同一又は重複する周波数リソース、且つ同一又は重複する時間リソースを使用することを想定している。したがって、ＢＳではＦＤの送受信が発生することとなる。一方、端末側では、必ずしも送受信が同時に発生する訳ではない。
【０１６９】
ここで、各端末ＵＥ１、ＵＥ２、ＵＥ３、ＵＥ４がランダムアクセスのタイミングを所定の範囲に制限されている。図１７に示す例では、所定の時間単位（サブフレーム、スロットなど）が分割されたミニスロットの境界付近にランダムアクセスのタイミングが制限されている。したがって、ＢＳのようにＦＤを実施する通信装置は、自己干渉キャンセラの動作期間をミニスロットの境界付近で短縮することができる。これは、受信機の負荷や消費電力の観点で有効である。他方、ランダムアクセスのタイミングを制限しない場合には、ＢＳは対象とする無線リソース（サブフレーム、スロット）の期間中、常に自己干渉キャンセラを動作させてランダムアクセスを待ち受ける必要がある。
【０１７０】
図１８には、通信装置が、ランダムアクセスまで考慮した場合の、ＦＤ切り替えに伴う自己干渉キャンセラの動作を制御するための処理手順をフローチャートの形式で示している。
【０１７１】
通信装置は、対象の無線リソースにおいて信号を送信し（ステップＳ１８０１のＹｅｓ）、且つ、対象の無線リソースにおいて信号を受信する場合には（ステップＳ１８０２のＹｅｓ）、対象の無線リソースにおいてランダムアクセス（ＲＡ）信号を受信するか（ステップＳ１８０３）、及び、ランダムアクセス信号の送信タイミングが所定の範囲に制限されているかどうか（ステップＳ１８０４）、をさらにチェックする。
【０１７２】
ステップＳ１８０１〜１８０４の判別結果がすべて肯定的、すなわち、対象の無線リソースにおいて送受信を同時に行い、且つ所定の範囲でランダムアクセス信号を待ち受ける場合には（ステップＳ１８０４のＹｅｓ）、通信装置は、対象の無線リソースにおいて、ランダムアクセス信号の送信タイミングが制限されている範囲及びその前後のタイミングで、自己干渉キャンセラを動作させる（ステップＳ１８０５）。
【０１７３】
また、対象の無線リソースにおいて送受信を同時に行い、且つ、送信タイミングが制限されないランダムアクセス信号を受信する場合には（ステップＳ１８０４のＮｏ）、通信装置は、対象の無線リソース全体にわたって自己干渉キャンセラを動作させる（ステップＳ１８０７）。
【０１７４】
また、対象の無線リソースにおいて送受信を同時に行うが、ランダムアクセス信号を受信しない場合には（ステップＳ１８０３のＮｏ）、通信装置は、対象の無線リソースにおいて、特に受信用に割り当てられたタイミング及びその前後の時間で自己干渉キャンセラを動作させる（ステップＳ１８０８）。
【０１７５】
また、対象の無線リソースにおいて信号を送信しない場合（ステップＳ１８０１のＮｏ）、又は、対象の無線リソースにおいて信号を送信するが（ステップＳ１８０１のＹｅｓ）、受信しない場合には（ステップＳ１８０２のＮｏ）、言い換えれば対象の無線リソースにおいてＦＤを実施しない場合には、通信装置は、自己干渉キャンセラを動作させない（ステップＳ１８０９）。
【０１７６】
そして、通信装置は、自己干渉キャンセラを動作させながら、若しくは自己干渉キャンセラを動作させずに、受信信号に対する復調及び復号処理を行った後（ステップＳ１８０６）、次の対象の無線リソースの処理に移行する（ステップＳ１８１０）。
【０１７７】
上記では、種類若しくは属性が異なる物理チャネルを用いたＦＤの一例として、物理下りリンク共有チャネル（ＰＤＳＣＨ）と物理ランダムアクセスチャネル（ＰＲＡＣＨ）のＦＤを挙げた。この場合、基地局がＦＤを実施する際に上りリンクで送信される信号は、図１６、図１７、及び図１８でも示したように、ランダムアクセス信号となる。
【０１７８】
種類若しくは属性が異なる物理チャネルを用いたＦＤの他の例として、物理下りリンク共有チャネル（ＰＤＳＣＨ）とＧｒａｎｔ−ｆｒｅｅ（又は、Ｇｒａｎｔ−ｌｅｓｓ）上りリンクチャネルのＦＤも挙げられる。
【０１７９】
ここで、Ｇｒａｎｔ−ｆｒｅｅ（又は、Ｇｒａｎｔ−ｌｅｓｓ）上りリンクチャネルとは、基地局から端末に対して、具体的な無線リソース（周波数軸上のリソースブロック、時間軸上のサブフレーム、スロット、ミニスロットなど）の割り当てや指定がなくても、端末が上りリンクの信号を送信してよいチャネルを指す（先述の上りリンク共有チャネルは、基地局からの無線リソースの割り当てが必要である）。
【０１８０】
Ｇｒａｎｔ−ｆｒｅｅ（又は、Ｇｒａｎｔ−ｌｅｓｓ）上りリンクチャネルで送信するデータは、上位レイヤユーザデータであることが望ましい。上りリンクでもユーザデータの信号を送信するというＦＤを実施可能とすることで、上りリンクの低遅延通信が可能になる。
【０１８１】
Ｇｒａｎｔ−ｆｒｅｅ（又は、Ｇｒａｎｔ−ｌｅｓｓ）は、動作としてはランダムアクセスに似ている。したがって、図１６や図１７に示したものと同様の通信シーケンスに従って、物理下りリンク共有チャネル（ＰＤＳＣＨ）とＧｒａｎｔ−ｆｒｅｅ（又は、Ｇｒａｎｔ−ｌｅｓｓ）上りリンクチャネルのＦＤを実施することができる。また、ＦＤを実施する基地局などの通信装置は、図１８に示したものと同様の処理手順に従って、ＦＤ切り替えに伴う自己干渉キャンセラの動作を制御することができる。
【０１８２】
下りリンク共有チャネルと、ランダムアクセスチャネルあるいはＧｒａｎｔ−ｌｅｓｓ（Ｇｒａｎｔ−ｆｒｅｅ）チャネルを用いてＦＤを実施する場合、ランダムアクセスチャネル、Ｇｒａｎｔ−ｌｅｓｓ（Ｇｒａｎｔ−ｆｒｅｅ）チャネルで送信することができる端末に制限を加えることで、安定したＦＤを実現することが可能である。既に説明したとおり、ＦＤを実施することができる端末のペアには、リンク品質特性の観点で向き不向きが存在する。そのため、ランダムアクセス、Ｇｒａｎｔ−ｌｅｓｓ又はＧｒａｎｔ−ｆｒｅｅアクセスをＦＤで実施する場合にも、どの端末を許容するかということを選択することが望ましい。そこで、本実施例では、ＦＤでランダムアクセス、Ｇｒａｎｔ−ｌｅｓｓ又はＧｒａｎｔ−ｆｒｅｅを許容する端末のグループを設定することとする。
【０１８３】
図１９には、ＦＤのための端末のグループ設定を含む、基地局と端末間の通信シーケンス例を示している。端末グルーピングを決める役割は、基地局が果たすことが望ましい。
【０１８４】
まず基地局は、自局に接続している各端末ＵＥ１、ＵＥ２、ＵＥ３に対して、端末で期待できる端末間干渉状況の測定の設定・指示を通知する（ＳＥＱ１９０１）。
【０１８５】
各端末ＵＥ１、ＵＥ２、ＵＥ３は、基地局からの指示に従って、端末間干渉測定を実施する（ＳＥＱ１９０２）。この端末間干渉測定フェーズでは、端末間でテスト信号や参照信号を送信し合い、各端末は、他の端末から受信したテスト信号や参照信号に基づいて端末間干渉を測定する。そして、各端末ＵＥ１、ＵＥ２、ＵＥ３は、端末間干渉の測定結果を、基地局へ報告する（ＳＥＱ１９０３）。
【０１８６】
基地局は、各端末ＵＥ１、ＵＥ２、ＵＥ３からのフィードバックと自らの測定結果に基づいて、ＦＤの実施有無を確認し、ＦＤを実施する端末ペアを決定するとともに（ＳＥＱ１９０４）、ＦＤでランダムアクセス、Ｇｒａｎｔ−ｌｅｓｓ又はＧｒａｎｔ−ｆｒｅｅを許容する端末のグループを設定する（ＳＥＱ１９０５）。そして、基地局は、ＦＤの端末ペアリング並びにランダムアクセスを許容する端末グルーピングの結果を各端末ＵＥ１、ＵＥ２、ＵＥ３に設定する（ＳＥＱ１９０６）。
【０１８７】
その後、基地局は、ＦＤ並びにランダムアクセスに利用する周波数リソース、時間リソース、変調方式、誤り訂正符号化率、ＭＩＭＯパラメータを含むスケジューリングを行う（ＳＥＱ１９０７）。そして、基地局は、スケジューリング情報を、物理層信号処理の制御情報で無線リソースの割り当て毎に各端末ＵＥ１、ＵＥ２、ＵＥ３に通知し、又は、システム情報やＲＲＣシグナリングで準静的に通知する（ＳＥＱ１９０８）。
【０１８８】
そして、当該通信システム内では、基地局によるスケジューリング結果に従って、ＦＤを含む通信が実施される（ＳＥＱ１９０９）。
【０１８９】
本実施例（若しくは、図１９に示した通信シーケンス）において、端末グルーピングとして、「ある端末が下りリンク信号を受信する際に、同時に上りリンクランダムアクセス、Ｇｒａｎｔ−ｌｅｓｓ、Ｇｒａｎｔ−ｆｒｅｅアクセスをしてもよい端末のグループ」を決めることができる。例えば、ＦＤを実施する適切な端末ペアをグループとして拡張することができる。以下の表５には、端末グループの構成例を示している。
【０１９０】
【表５】
2019142524.tif 000007
【０１９１】
上記の表５では、ＵＥ１が下りリンク信号を受信するときに上りリンクランダムアクセスやＧｒａｎｔ−ｌｅｓｓアクセスなどをしてもよいグループには、ＵＥ１とＵＥ２が含まれる。同様に、ＵＥ２が下りリンク信号を受信するときに上りリンクランダムアクセスやＧｒａｎｔ−ｌｅｓｓアクセスなどをしてもよいグループにはＵＥ１が含まれ、ＵＥ３が下りリンク信号を受信するときに上りリンクランダムアクセスやＧｒａｎｔ−ｌｅｓｓアクセスなどをしてもよいグループにはＵＥ１、ＵＥ２、ＵＥ３が含まれる。
【０１９２】
ここで、ＵＥ１に対するグループにＵＥ１自身が含まれるようなことがあってもよい。これは、ＵＥ１自身がＦＤの同時送受信に対応しているような場合に、自身が下りリンク信号を受信しながら、同時にランダムアクセスやＧｒａｎｔ−ｌｅｓｓアクセスなどをしてもよいことを意味する（図１７中のＵＥ４のような状況に相当する）。
【０１９３】
上述した実施例１〜３によれば、同一周波数チャネル（コンポーネントキャリアなど）内の同一又は一部が重複する時間無線リソース（無線リソース、サブフレーム、スロット、ミニスロット、シンボルなど）で送信と受信を同時に行うＦｕｌｌ  Ｄｕｐｌｅｘ（Ｉｎ−ｂａｎｄ  Ｆｕｌｌ  Ｄｕｐｌｅｘ、Ｓｉｎｇｌｅ  Ｃｈａｎｎｅｌ  Ｆｕｌｌ  Ｄｕｐｌｅｘ、全二重複信通信、ＦＤ）において、ＦＤの実施／不実施の動的切り替えを実現し、その中でＦｕｌｌ  Ｄｕｐｌｅｘの柔軟性並びに利用機会を高め、システムの観点での周波数利用効率や低遅延通信の性能向上を達成することができる。
【０１９４】
Ｇ．本実施形態における無線アクセス技術
この項では、本明細書で開示する実施形態に適用される無線アクセス技術について説明しておく。
【０１９５】
本実施形態において、基地局装置１及び端末装置２は、それぞれ１つ以上の無線アクセス技術（ＲＡＴ）をサポートする。例えば、ＲＡＴは、ＬＴＥ（Ｌｏｎｇ  Ｔｅｒｍ  Ｅｖｏｌｕｔｉｏｎ）及びＮＲ（Ｎｅｗ  Ｒａｄｉｏ）を含む。１つのＲＡＴは、１つのセル（コンポーネントキャリア）に対応する。すなわち、複数のＲＡＴがサポートされる場合、それらのＲＡＴは、それぞれ異なるセルに対応する。本実施形態において、セルは、下りリンクリソース、上りリンクリソース、及び／又は、サイドリンクの組み合わせである。また、以下の説明において、ＬＴＥに対応するセルはＬＴＥセルと呼称され、ＮＲに対応するセルはＮＲセルと呼称される。
【０１９６】
下りリンクの通信は、基地局装置１から端末装置２に対する通信である。上りリンクの通信は、端末装置２から基地局装置１に対する通信である。サイドリンクの通信は、端末装置２から別の端末装置２に対する通信である。
【０１９７】
サイドリンクの通信は、端末装置間の近接直接検出及び近接直接通信のために定義される。サイドリンクの通信には、上りリンク及び下りリンクと同様なフレーム構成を用いることができる。また、サイドリンクの通信は、上りリンクリソース及び／又は下りリンクリソースの一部（サブセット）に制限され得る。
【０１９８】
基地局装置１及び端末装置２は、下りリンク、上りリンク及び／又はサイドリンクにおいて、１つ以上のセルの集合を用いる通信をサポートできる。複数のセルの集合は、キャリアアグリゲーション又はデュアルコネクティビティとも呼称される。キャリアアグリゲーションとデュアルコネクティビティの詳細は後述される。また、それぞれのセルは、所定の周波数帯域幅を用いる。所定の周波数帯域幅における最大値、最小値及び設定可能な値は、あらかじめ規定できる。
【０１９９】
Ｇ−１．本実施形態における無線フレーム構成
本実施形態において、１０ｍｓ（ミリ秒）で構成される無線フレーム（ｒａｄｉｏ  ｆｒａｍｅ）が規定される。無線フレームのそれぞれは２つのハーフフレームから構成される。ハーフフレームの時間間隔は、５ｍｓである。ハーフフレームのそれぞれは、５つのサブフレームから構成される。サブフレームの時間間隔は、１ｍｓであり、２つの連続するスロットによって定義される。スロットの時間間隔は、０．５ｍｓである。無線フレーム内のｉ番目のサブフレームは、（２×ｉ）番目のスロットと（２×ｉ＋１）番目のスロットとから構成される。つまり、無線フレームのそれぞれにおいて、１０個のサブフレームが規定される。
【０２００】
サブフレームは、下りリンクサブフレーム、上りリンクサブフレーム、スペシャルサブフレーム及びサイドリンクサブフレームなどを含む。
【０２０１】
下りリンクサブフレームは、下りリンク送信のために予約されるサブフレームである。上りリンクサブフレームは、上りリンク送信のために予約されるサブフレームである。スペシャルサブフレームは、３つのフィールドから構成される。３つのフィールドは、ＤｗＰＴＳ（Ｄｏｗｎｌｉｎｋ  Ｐｉｌｏｔ  Ｔｉｍｅ  Ｓｌｏｔ）、ＧＰ（Ｇｕａｒｄ  Ｐｅｒｉｏｄ）、及びＵｐＰＴＳ（Ｕｐｌｉｎｋ  Ｐｉｌｏｔ  Ｔｉｍｅ  Ｓｌｏｔ）を含む。ＤｗＰＴＳ、ＧＰ、及びＵｐＰＴＳの合計の長さは１ｍｓである。ＤｗＰＴＳは下りリンク送信のために予約されるフィールドである。ＵｐＰＴＳは上りリンク送信のために予約されるフィールドである。ＧＰは下りリンク送信及び上りリンク送信が行われないフィールドである。なお、スペシャルサブフレームは、ＤｗＰＴＳ及びＧＰのみによって構成されてもよいし、ＧＰ及びＵｐＰＴＳのみによって構成されてもよい。スペシャルサブフレームは、ＴＤＤにおいて下りリンクサブフレームと上りリンクサブフレームとの間に配置され、下りリンクサブフレームから上りリンクサブフレームに切り替えるために用いられる。サイドリンクサブフレームは、サイドリンク通信のために予約又は設定されるサブフレームである。サイドリンクは、端末装置間の近接直接通信及び近接直接検出のために用いられる。
【０２０２】
単一の無線フレームは、下りリンクサブフレーム、上りリンクサブフレーム、スペシャルサブフレーム及び／又はサイドリンクサブフレームから構成される。また、単一の無線フレームは、下りリンクサブフレーム、上りリンクサブフレーム、スペシャルサブフレーム又はサイドリンクサブフレームのみで構成されてもよい。
【０２０３】
複数の無線フレーム構成がサポートされる。無線フレーム構成は、フレーム構成タイプで規定される。フレーム構成タイプ１は、ＦＤＤのみに適用できる。フレーム構成タイプ２は、ＴＤＤのみに適用できる。フレーム構成タイプ３は、ＬＡＡ（Ｌｉｃｅｎｓｅｄ  Ａｓｓｉｓｔｅｄ  Ａｃｃｅｓｓ）セカンダリーセルの運用のみに適用できる。
【０２０４】
フレーム構成タイプ２において、複数の上りリンク−下りリンク構成が規定される。上りリンク−下りリンク構成において、１つの無線フレームにおける１０のサブフレームのそれぞれは、下りリンクサブフレーム、上りリンクサブフレーム、及びスペシャルサブフレームのいずれかに対応する。サブフレーム０、サブフレーム５及びＤｗＰＴＳは常に下りリンク送信のために予約される。ＵｐＰＴＳ及びそのスペシャルサブフレームの直後のサブフレームは常に上りリンク送信のために予約される。
【０２０５】
フレーム構成タイプ３において、１つの無線フレーム内の１０のサブフレームが下りリンク送信のために予約される。端末装置２は、ＰＤＳＣＨ又は検出信号が送信されないサブフレームを空のサブフレームとして扱うことができる。端末装置２は、所定の信号、チャネル及び／又は下りリンク送信があるサブフレームで検出されない限り、そのサブフレームにいかなる信号及び／又はチャネルも存在しないと想定する。下りリンク送信は、１つ又は複数の連続したサブフレームで専有される。その下りリンク送信の最初のサブフレームは、そのサブフレーム内のどこからでも開始されてもよい。その下りリンク送信の最後のサブフレームは、完全に専有されるか、ＤｗＰＴＳで規定される時間間隔で専有されるか、のいずれかであってもよい。
【０２０６】
なお、フレーム構成タイプ３において、１つの無線フレーム内の１０のサブフレームが上りリンク送信のために予約されてもよい。また、１つの無線フレーム内の１０のサブフレームのそれぞれが、下りリンクサブフレーム、上りリンクサブフレーム、スペシャルサブフレーム及びサイドリンクサブフレームのいずれかに対応するようにしてもよい。
【０２０７】
基地局装置１は、スペシャルサブフレームのＤｗＰＴＳにおいて、物理下りリンクチャネル及び物理下りリンク信号を送信してもよい。基地局装置１は、スペシャルサブフレームのＤｗＰＴＳにおいて、ＰＢＣＨの送信を制限できる。端末装置２は、スペシャルサブフレームのＵｐＰＴＳにおいて、物理上りリンクチャネル及び物理上りリンク信号を送信してもよい。端末装置２は、スペシャルサブフレームのＵｐＰＴＳにおいて、一部の物理上りリンクチャネル及び物理上りリンク信号の送信を制限できる。
【０２０８】
Ｇ−２．本実施形態におけるＬＴＥのフレーム構成
図２２には、本実施形態におけるＬＴＥの下りリンクサブフレームの一例を示している。同図は、ＬＴＥの下りリンクリソースグリッドとも呼称される。基地局装置１は、端末装置２への下りリンクサブフレームにおいて、ＬＴＥの物理下りリンクチャネル及び／又はＬＴＥの物理下りリンク信号を送信できる。端末装置２は、基地局装置１からの下りリンクサブフレームにおいて、ＬＴＥの物理下りリンクチャネル及び／又はＬＴＥの物理下りリンク信号を受信できる。
【０２０９】
また、図２３には、本実施形態におけるＬＴＥの上りリンクサブフレームの一例を示している。同図は、ＬＴＥの上りリンクリソースグリッドとも呼称される。端末装置２は、基地局装置１への上りリンクサブフレームにおいて、ＬＴＥの物理上りリンクチャネル及び／又はＬＴＥの物理上りリンク信号を送信できる。基地局装置１は、端末装置２からの上りリンクサブフレームにおいて、ＬＴＥの物理上りリンクチャネル及び／又はＬＴＥの物理上りリンク信号を受信できる。
【０２１０】
本実施形態において、ＬＴＥの物理リソースは以下のように定義され得る。１つのスロットは複数のシンボルによって定義される。スロットのそれぞれにおいて送信される物理信号又は物理チャネルは、リソースグリッドによって表現される。下りリンクにおいて、リソースグリッドは、周波数方向に対する複数のサブキャリアと、時間方向に対する複数のＯＦＤＭシンボルによって定義される。上りリンクにおいて、リソースグリッドは、周波数方向に対する複数のサブキャリアと、時間方向に対する複数のＳＣ−ＦＤＭＡシンボルによって定義される。サブキャリア又はリソースブロックの数は、セルの帯域幅に依存して決まるようにしてもよい。１つのスロットにおけるシンボルの数は、ＣＰ（Ｃｙｃｌｉｃ  Ｐｒｅｆｉｘ）のタイプによって決まる。ＣＰのタイプは、ノーマルＣＰ又は拡張ＣＰである。ノーマルＣＰにおいて、１つのスロットを構成するＯＦＤＭシンボル又はＳＣ−ＦＤＭＡシンボルの数は７である。拡張ＣＰにおいて、１つのスロットを構成するＯＦＤＭシンボル又はＳＣ−ＦＤＭＡシンボルの数は６である。リソースグリッド内のエレメントのそれぞれはリソースエレメントと称される。リソースエレメントは、サブキャリアのインデックス（番号）とシンボルのインデックス（番号）とを用いて識別される。なお、本実施形態の説明において、ＯＦＤＭシンボル又はＳＣ−ＦＤＭＡシンボルは単にシンボルとも呼称される。
【０２１１】
リソースブロックは、ある物理チャネル（ＰＤＳＣＨ又はＰＵＳＣＨなど）をリソースエレメントにマッピングするために用いられる。リソースブロックは、仮想リソースブロックと物理リソースブロックを含む。ある物理チャネルは、仮想リソースブロックにマッピングされる。仮想リソースブロックは、物理リソースブロックにマッピングされる。１つの物理リソースブロックは、時間領域において所定数の連続するシンボルで定義される。１つの物理リソースブロックは、周波数領域において所定数の連続するサブキャリアとから定義される。１つの物理リソースブロックにおけるシンボル数及びサブキャリア数は、そのセルにおけるＣＰのタイプ、サブキャリア間隔及び／又は上位層によって設定されるパラメータなどに基づいて決まる。例えば、ＣＰのタイプがノーマルＣＰであり、サブキャリア間隔が１５ｋＨｚである場合、１つの物理リソースブロックにおけるシンボル数は７であり、サブキャリア数は１２である。その場合、１つの物理リソースブロックは（７×１２）個のリソースエレメントから構成される。物理リソースブロックは周波数領域において０から番号が付けられる。また、同一の物理リソースブロック番号が対応する、１つのサブフレーム内の２つのリソースブロックは、物理リソースブロックペア（ＰＲＢペア、ＲＢペア）として定義される。
【０２１２】
ＬＴＥセルのそれぞれにおいて、あるサブフレームでは、１つの所定のパラメータが用いられる。例えば、その所定のパラメータは、送信信号に関するパラメータ（物理パラメータ）である。送信信号に関するパラメータは、ＣＰ長、サブキャリア間隔、１つのサブフレーム（所定の時間長）におけるシンボル数、１つのリソースブロック（所定の周波数帯域）のおけるサブキャリア数、多元接続方式、及び信号波形などを含む。
【０２１３】
すなわち、ＬＴＥセルでは、下りリンク信号及び上りリンク信号は、それぞれ所定の時間長（例えば、サブフレーム）において、１つの所定のパラメータを用いて生成される。換言すると、端末装置２は、基地局装置１から送信される下りリンク信号、及び、基地局装置１に送信する上りリンク信号が、それぞれ所定の時間長において、１つの所定のパラメータで生成される、と想定する。また、基地局装置１は、端末装置２に送信する下りリンク信号、及び、端末装置２から送信される上りリンク信号が、それぞれ所定の時間長において、１つの所定のパラメータで生成されるように設定する。
【０２１４】
Ｇ−３．本実施形態におけるＮＲのフレーム構成
ＮＲセルのそれぞれにおいて、ある所定の時間長（例えば、サブフレーム）では、１つ以上の所定のパラメータが用いられる。すなわち、ＮＲセルでは、下りリンク信号及び上りリンク信号は、それぞれ所定の時間長において、１つ以上の所定のパラメータを用いて生成される。換言すると、端末装置２は、基地局装置１から送信される下りリンク信号、及び、基地局装置１に送信する上りリンク信号が、それぞれ所定の時間長において、１つ以上の所定のパラメータで生成される、と想定する。また、基地局装置１は、端末装置２に送信する下りリンク信号、及び、端末装置２から送信される上りリンク信号が、それぞれ所定の時間長において、１つ以上の所定のパラメータで生成されるように設定できる。複数の所定のパラメータが用いられる場合、それらの所定のパラメータが用いられて生成される信号は、所定の方法により多重される。例えば、所定の方法は、ＦＤＭ（Ｆｒｅｑｕｅｎｃｙ  Ｄｉｖｉｓｉｏｎ  Ｍｕｌｔｉｐｌｅｘｉｎｇ）、ＴＤＭ（Ｔｉｍｅ  ＤＩＶＩＳＩＯＮ  Ｍｕｌｔｉｐｌｅｘｉｎｇ）、ＣＤＭ（Ｃｏｄｅ  Ｄｉｖｉｓｉｏｎ  Ｍｕｌｔｉｐｌｅｘｉｎｇ）及び／又はＳＤＭ（Ｓｐａｔｉａｌ  Ｄｉｖｉｓｉｏｎ  Ｍｕｌｔｉｐｌｅｘｉｎｇ）などを含む。
【０２１５】
ＮＲセルに設定される所定のパラメータの組み合わせは、パラメータセットとして、複数種類をあらかじめ規定できる。
【０２１６】
以下の表６には、ＮＲセルにおける送信信号に関するパラメータセットの一例を示している。同表に示す例では、パラメータセットに含まれる送信信号に関するパラメータは、サブフレーム間隔、ＮＲセルにおけるリソースブロックあたりのサブキャリア数、サブフレームあたりのシンボル数、及び、ＣＰ長タイプである。ＣＰ長タイプは、ＮＲセルで用いられるＣＰ長のタイプである。例えば、ＣＰ長タイプ１はＬＴＥにおけるノーマルＣＰに相当し、ＣＰ長タイプ２はＬＴＥにおける拡張ＣＰに相当する。
【０２１７】
【表６】
2019142524.tif 000008
【０２１８】
ＮＲセルにおける送信信号に関するパラメータセットは、下りリンク及び上りリンクでそれぞれ個別に規定することができる。また、ＮＲセルにおける送信信号に関するパラメータセットは、下りリンク及び上りリンクでそれぞれ独立に設定できる。
【０２１９】
図２４には、本実施形態におけるＮＲの下りリンクサブフレームの一例を示している。同図に示す例では、パラメータセット１、パラメータセット０及びパラメータセット２を用いて生成される信号が、セル（システム帯域幅）において、ＦＤＭにより多重される。同図は、ＮＲの下りリンクリソースグリッドとも呼称される。基地局装置１は、端末装置２への下りリンクサブフレームにおいて、ＮＲの物理下りリンクチャネル及び／又はＮＲの物理下りリンク信号を送信できる。端末装置２は、基地局装置１からの下りリンクサブフレームにおいて、ＮＲの物理下りリンクチャネル及び／又はＮＲの物理下りリンク信号を受信できる。
【０２２０】
図２５には、本実施形態におけるＮＲの上りリンクサブフレームの一例を示している。図２５に示す例では、パラメータセット１、パラメータセット０及びパラメータセット２を用いて生成される信号が、セル（システム帯域幅）において、ＦＤＭにより多重される。同図は、ＮＲの上りリンクリソースグリッドとも呼称される。端末装置２は、基地局装置１への上りリンクサブフレームにおいて、ＮＲの物理上りリンクチャネル及び／又はＮＲの物理上りリンク信号を送信できる。基地局装置１は、端末装置２からの上りリンクサブフレームにおいて、ＮＲの物理上りリンクチャネル及び／又はＮＲの物理上りリンク信号を受信できる。
【０２２１】
Ｇ−４．本実施形態における物理チャネル及び物理信号
本実施形態では、物理チャネル及び物理信号が用いられる。物理チャネルは、物理下りリンクチャネル、物理上りリンクチャネル及び物理サイドリンクチャネルを含む。物理信号は、物理下りリンク信号、物理上りリンク信号及びサイドリンク物理信号を含む。
【０２２２】
ＬＴＥにおける物理チャネル及び物理信号は、それぞれＬＴＥ物理チャネル及びＬＴＥ物理信号とも呼称される。ＮＲにおける物理チャネル及び物理信号は、それぞれＮＲ物理チャネル及びＮＲ物理信号とも呼称される。ＬＴＥ物理チャネル及びＮＲ物理チャネルは、それぞれ異なる物理チャネルとして定義できる。ＬＴＥ物理信号及びＮＲ物理信号は、それぞれ異なる物理信号として定義できる。本実施形態の説明において、ＬＴＥ物理チャネル及びＮＲ物理チャネルは単に物理チャネルとも呼称され、ＬＴＥ物理信号及びＮＲ物理信号は単に物理信号とも呼称される。すなわち、物理チャネルに対する説明は、ＬＴＥ物理チャネル及びＮＲ物理チャネルのいずれに対しても適用できる。物理信号に対する説明は、ＬＴＥ物理信号及びＮＲ物理信号のいずれに対しても適用できる。
【０２２３】
物理下りリンクチャネルは、物理報知チャネル（ＰＢＣＨ：Ｐｈｙｓｉｃａｌ  Ｂｒｏａｄｃａｓｔ  Ｃｈａｎｎｅｌ）、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＨＩＣＨ（Ｐｈｙｓｉｃａｌ  Ｈｙｂｒｉｄ  ａｕｔｏｍａｔｉｃ  ｒｅｐｅａｔ  ｒｅｑｕｅｓｔ  Ｉｎｄｉｃａｔｏｒ  Ｃｈａｎｎｅｌ）、物理下りリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）、拡張物理下りリンク制御チャネル（ＥＰＤＣＣＨ：Ｅｎｈａｎｃｅｄ  ＰＤＣＣＨ）、ＭＴＣ（Ｍａｃｈｉｎｅ  Ｔｙｐｅ  Ｃｏｍｍｕｎｉｃａｔｉｏｎ）物理下りリンク制御チャネル（ＭＰＤＣＣＨ：ＭＴＣ  ＰＤＣＣＨ）、リレー物理下りリンク制御チャネル（Ｒ−ＰＤＣＣＨ：Ｒｅｌａｙ  ＰＤＣＣＨ）、物理下りリンク共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）、及び、ＰＭＣＨ（Ｐｈｙｓｉｃａｌ  Ｍｕｌｔｉｃａｓｔ  Ｃｈａｎｎｅｌ）などを含む。
【０２２４】
物理下りリンク信号は、同期信号（ＳＳ：Ｓｙｎｃｈｒｏｎｉｚａｔｉｏｎ  ｓｉｇｎａｌ）、下りリンク参照信号（ＤＬ−ＲＳ：Ｄｏｗｎｌｉｎｋ  Ｒｅｆｅｒｅｎｃｅ  Ｓｉｇｎａｌ）及び検出信号（ＤＳ：Ｄｉｓｃｏｖｅｒｙ  ｓｉｇｎａｌ）などを含む。
【０２２５】
同期信号は、プライマリー同期信号（ＰＳＳ：Ｐｒｉｍａｒｙ  ｓｙｎｃｈｒｏｎｉｚａｔｉｏｎ  ｓｉｇｎａｌ）及びセカンダリー同期信号（ＳＳＳ：Ｓｅｃｏｎｄａｒｙ  ｓｙｎｃｈｒｏｎｉｚａｔｉｏｎ  ｓｉｇｎａｌ）などを含む。
【０２２６】
下りリンクにおける参照信号は、セル固有参照信号（ＣＲＳ：Ｃｅｌｌ−ｓｐｅｃｉｆｉｃ  ｒｅｆｅｒｅｎｃｅ  ｓｉｇｎａｌ）、ＰＤＳＣＨに関連付けられる端末装置固有参照信号（ＰＤＳＣＨ−ＤＭＲＳ：ＵＥ−ｓｐｅｃｉｆｉｃ  ｒｅｆｅｒｅｎｃｅ  ｓｉｇｎａｌ  ａｓｓｏｃｉａｔｅｄ  ｗｉｔｈ  ＰＤＳＣＨ）、ＥＰＤＣＣＨに関連付けられる復調参照信号（ＥＰＤＣＣＨ−ＤＭＲＳ：Ｄｅｍｏｄｕｌａｔｉｏｎ  ｒｅｆｅｒｅｎｃｅ  ｓｉｇｎａｌ  ａｓｓｏｃｉａｔｅｄ  ｗｉｔｈ  ＥＰＤＣＣＨ）、ＰＲＳ（Ｐｏｓｉｔｉｏｎｉｎｇ  Ｒｅｆｅｒｅｎｃｅ  Ｓｉｇｎａｌ）、ＣＳＩ参照信号（ＣＳＩ−ＲＳ：Ｃｈａｎｎｅｌ  Ｓｔａｔｅ  Ｉｎｆｏｒｍａｔｉｏｎ−ｒｅｆｅｒｅｎｃｅ  ｓｉｇｎａｌ）、及びトラッキング参照信号（ＴＲＳ：Ｔｒａｃｋｉｎｇ  ｒｅｆｅｒｅｎｃｅ  ｓｉｇｎａｌ）などを含む。ＰＤＳＣＨ−ＤＭＲＳは、ＰＤＳＣＨに関連するＵＲＳ又は単にＵＲＳ（ＵＥ−ｓｐｅｃｉｆｉｃ  ｒｅｆｅｒｅｎｃｅ  ｓｉｇｎａｌ）とも呼称される。ＥＰＤＣＣＨ−ＤＭＲＳは、ＥＰＤＣＣＨに関連するＤＭＲＳ又は単にＤＭＲＳとも呼称される。ＰＤＳＣＨ−ＤＭＲＳ及びＥＰＤＣＣＨ−ＤＭＲＳは、単にＤＬ−ＤＭＲＳ又は下りリンク復調参照信号とも呼称される。ＣＳＩ−ＲＳは、ＮＺＰ  ＣＳＩ−ＲＳ（Ｎｏｎ−Ｚｅｒｏ  Ｐｏｗｅｒ  ＣＳＩ−ＲＳ）を含む。また、下りリンクのリソースは、ＺＰ  ＣＳＩ−ＲＳ（Ｚｅｒｏ  Ｐｏｗｅｒ  ＣＳＩ−ＲＳ）、ＣＳＩ−ＩＭ（Ｃｈａｎｎｅｌ  Ｓｔａｔｅ  Ｉｎｆｏｒｍａｔｉｏｎ−Ｉｎｔｅｒｆｅｒｅｎｃｅ  Ｍｅａｓｕｒｅｍｅｎｔ）などを含む。
【０２２７】
物理上りリンクチャネルは、物理上りリンク共有チャネル（ＰＵＳＣＨ）、物理上りリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）、及び物理ランダムアクセスチャネル（ＰＲＡＣＨ）などを含む。
【０２２８】
物理上りリンク信号は、上りリンク参照信号（ＵＬ−ＲＳ：Ｕｐｌｉｎｋ  Ｒｅｆｅｒｅｎｃｅ  Ｓｉｇｎａｌ）を含む。
【０２２９】
上りリンク参照信号は、上りリンク復調信号（ＵＬ−ＤＭＲＳ：Ｕｐｌｉｎｋ  ｄｅｍｏｄｕｌａｔｉｏｎ  ｓｉｇｎａｌ）及びサウンディング参照信号（ＳＲＳ：Ｓｏｕｎｄｉｎｇ  ｒｅｆｅｒｅｎｃｅ  ｓｉｇｎａｌ）などを含む。ＵＬ−ＤＭＲＳは、ＰＵＳＣＨ又はＰＵＣＣＨの送信に関連付けられる。ＳＲＳは、ＰＵＳＣＨ又はＰＵＣＣＨの送信に関連付けられない。
【０２３０】
物理サイドリンクチャネルは、物理サイドリンク報知チャネル（ＰＳＢＣＨ：Ｐｈｙｓｉｃａｌ  Ｓｉｄｅｌｉｎｋ  Ｂｒｏａｄｃａｓｔ  Ｃｈａｎｎｅｌ）、物理サイドリンク制御チャネル（ＰＳＣＣＨ：Ｐｈｙｓｉｃａｌ  Ｓｉｄｅｌｉｎｋ  Ｃｏｎｔｒｏｌ  Ｃｈａｎｎｅｌ）、物理サイドリンク検出チャネル（ＰＳＤＣＨ：Ｐｈｙｓｉｃａｌ  Ｓｉｄｅｌｉｎｋ  Ｄｉｓｃｏｖｅｒｙ  Ｃｈａｎｎｅｌ）、及び物理サイドリンク共有チャネル（ＰＳＳＣＨ：Ｐｈｙｓｉｃａｌ  Ｓｉｄｅｌｉｎｋ  Ｓｈａｒｅｄ  Ｃｈａｎｎｅｌ）などを含む。
【０２３１】
物理チャネル及び物理信号は、単にチャネル及び信号とも呼称される。すなわち、物理下りリンクチャネル、物理上りリンクチャネル、及び物理サイドリンクチャネルは、それぞれ下りリンクチャネル、上りリンクチャネル、及びサイドリンクチャネルとも呼称される。物理下りリンク信号、物理上りリンク信号、及び物理サイドリンク信号は、それぞれ下りリンク信号、上りリンク信号、及びサイドリンク信号とも呼称される。
【０２３２】
ＢＣＨ、ＭＣＨ、ＵＬ−ＳＣＨ、ＤＬ−ＳＣＨ、ＳＬ−ＤＣＨ、ＳＬ−ＢＣＨ及びＳＬ−ＳＣＨは、トランスポートチャネルである。媒体アクセス制御（Ｍｅｄｉｕｍ  Ａｃｃｅｓｓ  Ｃｏｎｔｒｏｌ：ＭＡＣ）層で用いられるチャネルをトランスポートチャネルと称する。ＭＡＣ層で用いられるトランスポートチャネルの単位を、トランスポートブロック（Ｔｒａｎｓｐｏｒｔ  Ｂｌｏｃｋ：ＴＢ）又はＭＡＣ  ＰＤＵ（Ｐｒｏｔｏｃｏｌ  Ｄａｔａ  Ｕｎｉｔ）とも称する。ＭＡＣ層においてトランスポートブロック毎にＨＡＲＱ（Ｈｙｂｒｉｄ  Ａｕｔｏｍａｔｉｃ  Ｒｅｐｅａｔ  ｒｅＱｕｅｓｔ）の制御が行われる。トランスポートブロックは、ＭＡＣ層が物理層に渡す（ｄｅｌｉｖｅｒ）データの単位である。物理層において、トランスポートブロックはコードワードにマップされ、コードワード毎に符号化処理が行われる。
【０２３３】
なお、下りリンク参照信号及び上りリンク参照信号は、単に参照信号（ＲＳ）とも呼称される。
【０２３４】
Ｇ−５．本実施形態におけるＬＴＥ物理チャネル及びＬＴＥ物理信号
既に説明したように、物理チャネル及び物理信号に対する説明は、それぞれＬＴＥ物理チャネル及びＬＴＥ物理信号に対しても適用できる。ＬＴＥ物理チャネル及びＬＴＥ物理信号は、以下のように呼称される。
【０２３５】
ＬＴＥ物理下りリンクチャネルは、ＬＴＥ−ＰＢＣＨ、ＬＴＥ−ＰＣＦＩＣＨ、ＬＴＥ−ＰＨＩＣＨ、ＬＴＥ−ＰＤＣＣＨ、ＬＴＥ−ＥＰＤＣＣＨ、ＬＴＥ−ＭＰＤＣＣＨ、ＬＴＥ−Ｒ−ＰＤＣＣＨ、ＬＴＥ−ＰＤＳＣＨ、及び、ＬＴＥ−ＰＭＣＨなどを含む。
【０２３６】
ＬＴＥ物理下りリンク信号は、ＬＴＥ−ＳＳ、ＬＴＥ−ＤＬ−ＲＳ及びＬＴＥ−ＤＳなどを含む。ＬＴＥ−ＳＳは、ＬＴＥ−ＰＳＳ及びＬＴＥ−ＳＳＳなどを含む。ＬＴＥ−ＲＳは、ＬＴＥ−ＣＲＳ、ＬＴＥ−ＰＤＳＣＨ−ＤＭＲＳ、ＬＴＥ−ＥＰＤＣＣＨ−ＤＭＲＳ、ＬＴＥ−ＰＲＳ、ＬＴＥ−ＣＳＩ−ＲＳ、及びＬＴＥ−ＴＲＳなどを含む。
【０２３７】
ＬＴＥ物理上りリンクチャネルは、ＬＴＥ−ＰＵＳＣＨ、ＬＴＥ−ＰＵＣＣＨ、及びＬＴＥ−ＰＲＡＣＨなどを含む。
【０２３８】
ＬＴＥ物理上りリンク信号は、ＬＴＥ−ＵＬ−ＲＳを含む。ＬＴＥ−ＵＬ−ＲＳは、ＬＴＥ−ＵＬ−ＤＭＲＳ及びＬＴＥ−ＳＲＳなどを含む。
【０２３９】
ＬＴＥ物理サイドリンクチャネルは、ＬＴＥ−ＰＳＢＣＨ、ＬＴＥ−ＰＳＣＣＨ、ＬＴＥ−ＰＳＤＣＨ、及びＬＴＥ−ＰＳＳＣＨなどを含む。
【０２４０】
ＬＴＥ物理サイドリンク信号は、ＬＴＥ−ＳＬ−ＳＳ、ＬＴＥ−ＳＬ−ＤＳ及びＬＴＥ−ＳＬ−ＲＳなどを含む。ＬＴＥ−ＳＬ−ＳＳは、ＬＴＥ−ＳＬ−ＰＳＳ及びＬＴＥ−ＳＬ−ＳＳＳなどを含む。ＬＴＥ−ＳＬ−ＲＳは、ＬＴＥ−ＳＬ−ＤＭＲＳ、ＬＴＥ−ＳＬ−ＳＲＳ、ＬＴＥ−ＳＬ−ＣＳＩ−ＲＳなどを含む。
【０２４１】
Ｇ−６．本実施形態におけるＮＲ物理チャネル及びＮＲ物理信号
既に説明したように、物理チャネル及び物理信号に対する説明は、それぞれＮＲ物理チャネル及びＮＲ物理信号に対しても適用できる。ＮＲ物理チャネル及びＮＲ物理信号は、以下のように呼称される。
【０２４２】
ＮＲ物理下りリンクチャネルは、ＮＲ−ＰＢＣＨ、ＮＲ−ＰＣＦＩＣＨ、ＮＲ−ＰＨＩＣＨ、ＮＲ−ＰＤＣＣＨ、ＮＲ−ＥＰＤＣＣＨ、ＮＲ−ＭＰＤＣＣＨ、ＮＲ−Ｒ−ＰＤＣＣＨ、ＮＲ−ＰＤＳＣＨ、及び、ＮＲ−ＰＭＣＨなどを含む。
ＮＲ物理下りリンク信号は、ＮＲ−ＳＳ、ＮＲ−ＤＬ−ＲＳ及びＮＲ−ＤＳなどを含む。ＮＲ−ＳＳは、ＮＲ−ＰＳＳ及びＮＲ−ＳＳＳなどを含む。ＮＲ−ＲＳは、ＮＲ−ＣＲＳ、ＮＲ−ＰＤＳＣＨ−ＤＭＲＳ、ＮＲ−ＥＰＤＣＣＨ−ＤＭＲＳ、ＮＲ−ＰＲＳ、ＮＲ−ＣＳＩ−ＲＳ、及びＮＲ−ＴＲＳなどを含む。
【０２４３】
ＮＲ物理上りリンクチャネルは、ＮＲ−ＰＵＳＣＨ、ＮＲ−ＰＵＣＣＨ、及びＮＲ−ＰＲＡＣＨなどを含む。
【０２４４】
ＮＲ物理上りリンク信号は、ＮＲ−ＵＬ−ＲＳを含む。ＮＲ−ＵＬ−ＲＳは、ＮＲ−ＵＬ−ＤＭＲＳ及びＮＲ−ＳＲＳなどを含む。
【０２４５】
ＮＲ物理サイドリンクチャネルは、ＮＲ−ＰＳＢＣＨ、ＮＲ−ＰＳＣＣＨ、ＮＲ−ＰＳＤＣＨ、及びＮＲ−ＰＳＳＣＨなどを含む。
【０２４６】
ＮＲ物理サイドリンク信号は、ＮＲ−ＳＬ−ＳＳ、ＮＲ−ＳＬ−ＤＳ及びＮＲ−ＳＬ−ＲＳなどを含む。ＮＲ−ＳＬ−ＳＳは、ＮＲ−ＳＬ−ＰＳＳ及びＮＲ−ＳＬ−ＳＳＳなどを含む。ＮＲ−ＳＬ−ＲＳは、ＮＲ−ＳＬ−ＤＭＲＳ、ＮＲ−ＳＬ−ＳＲＳ、ＮＲ−ＳＬ−ＣＳＩ−ＲＳなどを含む。
【０２４７】
Ｇ−７．本実施形態における物理下りリンクチャネル
ＰＢＣＨは、基地局装置１のサービングセルに固有の報知情報であるＭＩＢ（Ｍａｓｔｅｒ  Ｉｎｆｏｒｍａｔｉｏｎ  Ｂｌｏｃｋ）を報知するために用いられる。ＰＢＣＨは無線フレーム内のサブフレーム０のみで送信される。ＭＩＢは、４０ｍｓ間隔で更新できる。ＰＢＣＨは１０ｍｓ周期で繰り返し送信される。具体的には、ＳＦＮ（Ｓｙｓｔｅｍ  Ｆｒａｍｅ  Ｎｕｍｂｅｒ）を４で割った余りが０である条件を満たす無線フレームにおけるサブフレーム０においてＭＩＢの初期送信が行われ、他のすべての無線フレームにおけるサブフレーム０においてＭＩＢの再送信（ｒｅｐｅｔｉｔｉｏｎ）が行われる。ＳＦＮは無線フレームの番号（システムフレーム番号）である。ＭＩＢはシステム情報である。例えば、ＭＩＢは、ＳＦＮを示す情報を含む。
【０２４８】
ＰＣＦＩＣＨは、ＰＤＣＣＨの送信に用いられるＯＦＤＭシンボルの数に関する情報を送信するために用いられる。ＰＣＦＩＣＨで示される領域は、ＰＤＣＣＨ領域とも呼称される。ＰＣＦＩＣＨで送信される情報は、ＣＦＩ（Ｃｏｎｔｒｏｌ  Ｆｏｒｍａｔ  Ｉｎｄｉｃａｔｏｒ）とも呼称される。
【０２４９】
ＰＨＩＣＨは、基地局装置１が受信した上りリンクデータ（Ｕｐｌｉｎｋ  Ｓｈａｒｅｄ  Ｃｈａｎｎｅｌ：ＵＬ−ＳＣＨ）に対するＡＣＫ（ＡＣＫｎｏｗｌｅｄｇｅｍｅｎｔ）又はＮＡＣＫ（Ｎｅｇａｔｉｖｅ  ＡＣＫｎｏｗｌｅｄｇｅｍｅｎｔ）を示すＨＡＲＱ−ＡＣＫ（ＨＡＲＱインディケータ、ＨＡＲＱフィードバック、応答情報）を送信するために用いられる。例えば、端末装置２がＡＣＫを示すＨＡＲＱ−ＡＣＫを受信した場合は、対応する上りリンクデータを再送しない。例えば、端末装置２がＮＡＣＫを示すＨＡＲＱ−ＡＣＫを受信した場合は、端末装置２は対応する上りリンクデータを所定の上りリンクサブフレームで再送する。あるＰＨＩＣＨは、ある上りリンクデータに対するＨＡＲＱ−ＡＣＫを送信する。基地局装置１は、同一のＰＵＳＣＨに含まれる複数の上りリンクデータに対するＨＡＲＱ−ＡＣＫのそれぞれを複数のＰＨＩＣＨを用いて送信する。
【０２５０】
ＰＤＣＣＨ及びＥＰＤＣＣＨは、下りリンク制御情報（ＤＣＩ）を送信するために用いられる。下りリンク制御情報の情報ビットのマッピングが、ＤＣＩフォーマットとして定義される。下りリンク制御情報は、下りリンクグラント（ｄｏｗｎｌｉｎｋ  ｇｒａｎｔ）及び上りリンクグラント（ｕｐｌｉｎｋ  ｇｒａｎｔ）を含む。下りリンクグラントは、下りリンクアサインメント（Ｄｏｗｎｌｉｎｋ  ａｓｓｉｇｎｍｅｎｔ）又は下りリンク割り当て（ｄｏｗｎｌｉｎｋ  ａｌｌｏｃａｔｉｏｎ）とも称する。
【０２５１】
ＰＤＣＣＨは、連続する１つ又は複数のＣＣＥ（Ｃｏｎｔｒｏｌ  Ｃｈａｎｎｅｌ  Ｅｌｅｍｅｎｔ）の集合によって送信される。ＣＣＥは、９つのＲＥＧ（Ｒｅｓｏｕｒｃｅ  Ｅｌｅｍｅｎｔ  Ｇｒｏｕｐ）で構成される。ＲＥＧは、４つのリソースエレメントで構成される。ＰＤＣＣＨがｎ個の連続するＣＣＥで構成される場合、そのＰＤＣＣＨは、ＣＣＥのインデックス（番号）であるｉをｎで割った余りが０である条件を満たすＣＣＥから始まる。
【０２５２】
ＥＰＤＣＣＨは、連続する１つ又は複数のＥＣＣＥ（Ｅｎｈａｎｃｅｄ  Ｃｏｎｔｒｏｌ  Ｃｈａｎｎｅｌ  Ｅｌｅｍｅｎｔ）の集合によって送信される。ＥＣＣＥは、複数のＥＲＥＧ（Ｅｎｈａｎｃｅｄ  Ｒｅｓｏｕｒｃｅ  Ｅｌｅｍｅｎｔ  Ｇｒｏｕｐ）で構成される。
【０２５３】
下りリンクグラントは、あるセル内のＰＤＳＣＨのスケジューリングに用いられる。下りリンクグラントは、その下りリンクグラントが送信されたサブフレームと同じサブフレーム内のＰＤＳＣＨのスケジューリングに用いられる。上りリンクグラントは、あるセル内のＰＵＳＣＨのスケジューリングに用いられる。上りリンクグラントは、その上りリンクグラントが送信されたサブフレームより４つ以上後のサブフレーム内の単一のＰＵＳＣＨのスケジューリングに用いられる。
【０２５４】
ＤＣＩには、ＣＲＣ（Ｃｙｃｌｉｃ  Ｒｅｄｕｎｄａｎｃｙ  Ｃｈｅｃｋ）パリティビットが付加される。ＣＲＣパリティビットは、ＲＮＴＩ（Ｒａｄｉｏ  Ｎｅｔｗｏｒｋ  Ｔｅｍｐｏｒａｒｙ  Ｉｄｅｎｔｉｆｉｅｒ）でスクランブルされる。ＲＮＴＩは、ＤＣＩの目的などに応じて、規定又は設定できる識別子である。ＲＮＴＩは、仕様であらかじめ規定される識別子、セルに固有の情報として設定される識別子、端末装置２に固有の情報として設定される識別子、又は、端末装置２に属するグループに固有の情報として設定される識別子である。例えば、端末装置２は、ＰＤＣＣＨ又はＥＰＤＣＣＨのモニタリングにおいて、ＤＣＩに付加されたＣＲＣパリティビットに所定のＲＮＴＩでデスクランブルし、ＣＲＣが正しいかどうかを識別する。ＣＲＣが正しい場合、そのＤＣＩは端末装置２のためのＤＣＩであることが分かる。
【０２５５】
ＰＤＳＣＨは、下りリンクデータ（ｄｏｗｎｌｉｎｋ  Ｓｈａｒｅｄ  Ｃｈａｎｎｅｌ：ＤＬ−ＳＣＨ）を送信するために用いられる。また、ＰＤＳＣＨは、上位層の制御情報を送信するためにも用いられる。
【０２５６】
ＰＭＣＨは、マルチキャストデータ（Ｍｕｌｔｉｃａｓｔ  Ｃｈａｎｎｅｌ：ＭＣＨ）を送信するために用いられる。
【０２５７】
ＰＤＣＣＨ領域において、複数のＰＤＣＣＨが周波数、時間、及び／又は、空間多重されてもよい。ＥＰＤＣＣＨ領域において、複数のＥＰＤＣＣＨが周波数、時間、及び／又は、空間多重されてもよい。ＰＤＳＣＨ領域において、複数のＰＤＳＣＨが周波数、時間、及び／又は、空間多重されてもよい。ＰＤＣＣＨ、ＰＤＳＣＨ及び／又はＥＰＤＣＣＨは周波数、時間、及び／又は、空間多重されてもよい。
【０２５８】
Ｇ−８．本実施形態における物理下りリンク信号
同期信号は、端末装置２が下りリンクの周波数領域及び／又は時間領域の同期をとるために用いられる。同期信号は、ＰＳＳ（Ｐｒｉｍａｒｙ  Ｓｙｎｃｈｒｏｎｉｚａｔｉｏｎ  Ｓｉｇｎａｌ）及びＳＳＳ（ＳｅｃｏｎｄａｒｙＳｙｎｃｈｒｏｎｉｚａｔｉｏｎ Ｓｉｇｎａｌ）を含む。同期信号は無線フレーム内の所定のサブフレームに配置される。例えば、ＴＤＤ方式において、同期信号は無線フレーム内のサブフレーム０、１、５、及び６に配置される。ＦＤＤ方式において、同期信号は無線フレーム内のサブフレーム０及び５に配置される。
【０２５９】
ＰＳＳは、粗いフレーム／シンボルタイミング同期（時間領域の同期）やセルグループの同定に用いられてもよい。ＳＳＳは、より正確なフレームタイミング同期やセルの同定に用いられてもよい。つまり、ＰＳＳとＳＳＳを用いることによって、フレームタイミング同期とセル識別を行うことができる。
【０２６０】
下りリンク参照信号は、端末装置２が物理下りリンクチャネルの伝搬路推定、伝搬路補正、下りリンクのＣＳＩ（Ｃｈａｎｎｅｌ  Ｓｔａｔｅ  Ｉｎｆｏｒｍａｔｉｏｎ、チャネル状態情報）の算出、及び／又は、端末装置２のポジショニングの測定を行うために用いられる。
【０２６１】
ＣＲＳは、サブフレームの全帯域で送信される。ＣＲＳは、ＰＢＣＨ、ＰＤＣＣＨ、ＰＨＩＣＨ、ＰＣＦＩＣＨ、及びＰＤＳＣＨの受信（復調）を行うために用いられる。ＣＲＳは、端末装置２が下りリンクのチャネル状態情報を算出するために用いられてもよい。ＰＢＣＨ、ＰＤＣＣＨ、ＰＨＩＣＨ、及びＰＣＦＩＣＨは、ＣＲＳの送信に用いられるアンテナポートで送信される。ＣＲＳは、１、２又は４のアンテナポートの構成をサポートする。ＣＲＳは、アンテナポート０〜３の１つ又は複数で送信される。
【０２６２】
ＰＤＳＣＨに関連するＵＲＳは、ＵＲＳが関連するＰＤＳＣＨの送信に用いられるサブフレーム及び帯域で送信される。ＵＲＳは、ＵＲＳが関連するＰＤＳＣＨの復調を行うために用いられる。ＰＤＳＣＨに関連するＵＲＳは、アンテナポート５、７〜１４の１つ又は複数で送信される。
【０２６３】
ＰＤＳＣＨは、送信モード及びＤＣＩフォーマットに基づいて、ＣＲＳ又はＵＲＳの送信に用いられるアンテナポートで送信される。ＤＣＩフォーマット１Ａは、ＣＲＳの送信に用いられるアンテナポートで送信されるＰＤＳＣＨのスケジューリングに用いられる。ＤＣＩフォーマット２Ｄは、ＵＲＳの送信に用いられるアンテナポートで送信されるＰＤＳＣＨのスケジューリングに用いられる。
【０２６４】
ＥＰＤＣＣＨに関連するＤＭＲＳは、ＤＭＲＳが関連するＥＰＤＣＣＨの送信に用いられるサブフレーム及び帯域で送信される。ＤＭＲＳは、ＤＭＲＳが関連するＥＰＤＣＣＨの復調を行うために用いられる。ＥＰＤＣＣＨは、ＤＭＲＳの送信に用いられるアンテナポートで送信される。ＥＰＤＣＣＨに関連するＤＭＲＳは、アンテナポート１０７〜１１４の１つ又は複数で送信される。
【０２６５】
ＣＳＩ−ＲＳは、設定されたサブフレームで送信される。ＣＳＩ−ＲＳが送信されるリソースは、基地局装置１によって設定される。ＣＳＩ−ＲＳは、端末装置２が下りリンクのチャネル状態情報を算出するために用いられる。端末装置２は、ＣＳＩ−ＲＳを用いて信号測定（チャネル測定）を行う。ＣＳＩ−ＲＳは、１、２、４、８、１２、１６、２４及び３２の一部又は全部のアンテナポートの設定をサポートする。ＣＳＩ−ＲＳは、アンテナポート１５〜４６の１つ又は複数で送信される。なお、サポートされるアンテナポートは、端末装置２の端末装置ケイパビリティ、ＲＲＣパラメータの設定、及び／又は設定される送信モードなどに基づいて決定されてもよい。
【０２６６】
ＺＰ  ＣＳＩ−ＲＳのリソースは、上位層によって設定される。ＺＰ  ＣＳＩ−ＲＳのリソースはゼロ出力の電力で送信される。すなわち、ＺＰ  ＣＳＩ−ＲＳのリソースは何も送信しない。ＺＰ  ＣＳＩ−ＲＳの設定したリソースにおいて、ＰＤＳＣＨ及びＥＰＤＣＣＨは送信されない。例えば、ＺＰ  ＣＳＩ−ＲＳのリソースは隣接セルがＮＺＰ  ＣＳＩ−ＲＳの送信を行うために用いられる。また、例えば、ＺＰ  ＣＳＩ−ＲＳのリソースはＣＳＩ−ＩＭを測定するために用いられる。また、例えば、ＺＰ  ＣＳＩ−ＲＳのリソースはＰＤＳＣＨなどの所定のチャネルが送信されないリソースである。換言すると、所定のチャネルは、ＺＰ  ＣＳＩ−ＲＳのリソースを除いて（レートマッチングして、パンクチャして）マッピングされる。
【０２６７】
ＣＳＩ−ＩＭのリソースは、基地局装置１によって設定される。ＣＳＩ−ＩＭのリソースは、ＣＳＩ測定において、干渉を測定するために用いられるリソースである。ＣＳＩ−ＩＭのリソースは、ＺＰ  ＣＳＩ−ＲＳのリソースの一部と重複（オーバーラップ）して設定できる。例えば、ＣＳＩ−ＩＭのリソースがＺＰ  ＣＳＩ−ＲＳのリソースの一部と重複して設定される場合、そのリソースではＣＳＩ測定を行うセルからの信号は送信されない。換言すると、基地局装置１は、ＣＳＩ−ＩＭの設定したリソースにおいて、ＰＤＳＣＨ又はＥＰＤＣＣＨなどを送信しない。そのため、端末装置２は、効率的にＣＳＩ測定を行うことができる。
【０２６８】
ＭＢＳＦＮ  ＲＳは、ＰＭＣＨの送信に用いられるサブフレームの全帯域で送信される。ＭＢＳＦＮ  ＲＳは、ＰＭＣＨの復調を行うために用いられる。ＰＭＣＨは、ＭＢＳＦＮ  ＲＳの送信用いられるアンテナポートで送信される。ＭＢＳＦＮ  ＲＳは、アンテナポート４で送信される。
【０２６９】
ＰＲＳは、端末装置２が、端末装置２のポジショニングを測定するために用いられる。ＰＲＳは、アンテナポート６で送信される。
【０２７０】
ＴＲＳは、所定のサブフレームのみにマッピングできる。例えば、ＴＲＳは、サブフレーム０及び５にマッピングされる。また、ＴＲＳは、ＣＲＳの一部又は全部と同様の構成を用いることができる。例えば、リソースブロックのそれぞれにおいて、ＴＲＳがマッピングされるリソースエレメントの位置は、アンテナポート０のＣＲＳがマッピングされるリソースエレメントの位置と同じにすることができる。また、ＴＲＳに用いられる系列（値）は、ＰＢＣＨ、ＰＤＣＣＨ、ＥＰＤＣＣＨ又はＰＤＳＣＨ（ＲＲＣシグナリング）を通じて設定された情報に基づいて決定できる。ＴＲＳに用いられる系列（値）は、セルＩＤ（例えば、物理レイヤセル識別子）、スロット番号などのパラメータに基づいて決定できる。ＴＲＳに用いられる系列（値）は、アンテナポート０のＣＲＳに用いられる系列（値）とは異なる方法（式）によって決定できる。
【０２７１】
Ｇ−９．本実施形態における物理上りリンクチャネル
ＰＵＣＣＨは、上りリンク制御情報（Ｕｐｌｉｎｋ  Ｃｏｎｔｒｏｌ  Ｉｎｆｏｒｍａｔｉｏｎ：ＵＣＩ）を送信するために用いられる物理チャネルである。上りリンク制御情報は、下りリンクのチャネル状態情報（ＣＳＩ）、ＰＵＳＣＨリソースの要求を示すスケジューリング要求（Ｓｃｈｅｄｕｌｉｎｇ  Ｒｅｑｕｅｓｔ：ＳＲ）、下りリンクデータ（ＴＢ、ＤＬ−ＳＣＨ）に対するＨＡＲＱ−ＡＣＫを含む。ＨＡＲＱ−ＡＣＫは、ＡＣＫ／ＮＡＣＫ、ＨＡＲＱフィードバック、又は、応答情報とも称される。また、下りリンクデータに対するＨＡＲＱ−ＡＣＫは、ＡＣＫ、ＮＡＣＫ、又はＤＴＸを示す。
【０２７２】
ＰＵＳＣＨは、上りリンクデータ（ＵＬ−ＳＣＨ）を送信するために用いられる物理チャネルである。また、ＰＵＳＣＨは、上りリンクデータとともにＨＡＲＱ−ＡＣＫ及び／又はチャネル状態情報を送信するために用いられてもよい。また、ＰＵＳＣＨは、チャネル状態情報のみ、又は、ＨＡＲＱ−ＡＣＫ及びチャネル状態情報のみを送信するために用いられてもよい。
【０２７３】
ＰＲＡＣＨは、ランダムアクセスプリアンブルを送信するために用いられる物理チャネルである。ＰＲＡＣＨは、端末装置２が基地局装置１と時間領域の同期をとるために用いられることができる。また、ＰＲＡＣＨは、初期コネクション構築（ｉｎｉｔｉａｌ  ｃｏｎｎｅｃｔｉｏｎ  ｅｓｔａｂｌｉｓｈｍｅｎｔ）手続き（処理）、ハンドオーバ手続き、コネクション再構築（ｃｏｎｎｅｃｔｉｏｎ  ｒｅ−ｅｓｔａｂｌｉｓｈｍｅｎｔ）手続き、上りリンク送信に対する同期（タイミング調整）、及び／又は、ＰＵＳＣＨリソースの要求を示すためにも用いられる。
【０２７４】
ＰＵＣＣＨ領域において、複数のＰＵＣＣＨが周波数、時間、空間及び／又はコード多重される。ＰＵＳＣＨ領域において、複数のＰＵＳＣＨが周波数、時間、空間及び／又はコード多重されてもよい。ＰＵＣＣＨ及びＰＵＳＣＨは周波数、時間、空間及び／又はコード多重されてもよい。ＰＲＡＣＨは単一のサブフレーム又は２つのサブフレームにわたって配置されてもよい。複数のＰＲＡＣＨが符号多重されてもよい。
【０２７５】
Ｇ−１０．本実施形態における物理上りリンク信号
上りリンクＤＭＲＳは、ＰＵＳＣＨ又はＰＵＣＣＨの送信に関連する。ＤＭＲＳは、ＰＵＳＣＨ又はＰＵＣＣＨと時間多重される。基地局装置１は、ＰＵＳＣＨ又はＰＵＣＣＨの伝搬路補正を行うためにＤＭＲＳを用いてもよい。本実施形態の説明において、ＰＵＳＣＨの送信は、ＰＵＳＣＨとＤＭＲＳを多重して送信することも含む。本実施形態の説明において、ＰＵＣＣＨの送信は、ＰＵＣＣＨとＤＭＲＳを多重して送信することも含む。なお、上りリンクＤＭＲＳは、ＵＬ−ＤＭＲＳとも呼称される。ＳＲＳは、ＰＵＳＣＨ又はＰＵＣＣＨの送信に関連しない。基地局装置１は、上りリンクのチャネル状態を測定するためにＳＲＳを用いてもよい。
【０２７６】
ＳＲＳは上りリンクサブフレーム内の最後のＳＣ−ＦＤＭＡシンボルを用いて送信される。つまり、ＳＲＳは上りリンクサブフレーム内の最後のＳＣ−ＦＤＭＡシンボルに配置される。端末装置２は、あるセルのあるＳＣ−ＦＤＭＡシンボルにおいて、ＳＲＳと、ＰＵＣＣＨ、ＰＵＳＣＨ及び／又はＰＲＡＣＨとの同時送信を制限できる。端末装置２は、あるセルのある上りリンクサブフレームにおいて、その上りリンクサブフレーム内の最後のＳＣ−ＦＤＭＡシンボルを除くＳＣ−ＦＤＭＡシンボルを用いてＰＵＳＣＨ及び／又はＰＵＣＣＨを送信し、その上りリンクサブフレーム内の最後のＳＣ−ＦＤＭＡシンボルを用いてＳＲＳを送信することができる。つまり、あるセルのある上りリンクサブフレームにおいて、端末装置２は、ＳＲＳと、ＰＵＳＣＨ及びＰＵＣＣＨと、を送信することができる。
【０２７７】
ＳＲＳにおいて、トリガータイプの異なるＳＲＳとして、トリガータイプ０ＳＲＳ及びトリガータイプ１ＳＲＳが定義される。トリガータイプ０ＳＲＳは、上位層シグナリングによって、トリガータイプ０ＳＲＳに関するパラメータが設定される場合に送信される。トリガータイプ１ＳＲＳは、上位層シグナリングによって、トリガータイプ１ＳＲＳに関するパラメータが設定され、ＤＣＩフォーマット０、１Ａ、２Ｂ、２Ｃ、２Ｄ、又は４に含まれるＳＲＳリクエストによって送信が要求された場合に送信される。なお、ＳＲＳリクエストは、ＤＣＩフォーマット０、１Ａ、又は４についてはＦＤＤとＴＤＤの両方に含まれ、ＤＣＩフォーマット２Ｂ、２Ｃ、又は２ＤについてはＴＤＤにのみ含まれる。同じサービングセルの同じサブフレームでトリガータイプ０ＳＲＳの送信とトリガータイプ１ＳＲＳの送信が生じる場合、トリガータイプ１ＳＲＳの送信が優先される。
【０２７８】
Ｇ−１１．本実施形態における制御チャネルのための物理リソース
リソースエレメントグループ（ＲＥＧ：Ｒｅｓｏｕｒｃｅ  Ｅｌｅｍｅｎｔ  Ｇｒｏｕｐ）は、リソースエレメントと制御チャネルのマッピングを定義するために用いられる。例えば、ＲＥＧは、ＰＤＣＣＨ、ＰＨＩＣＨ、又はＰＣＦＩＣＨのマッピングに用いられる。ＲＥＧは、同一のＯＦＤＭシンボル内であり、同一のリソースブロック内において、ＣＲＳのために用いられない４つの連続したリソースエレメントで構成される。また、ＲＥＧは、あるサブフレーム内の１番目のスロットにおける１番目のＯＦＤＭシンボルから４番目のＯＦＤＭシンボルの中で構成される。
【０２７９】
拡張リソースエレメントグループ（ＥＲＥＧ：Ｅｎｈａｎｃｅｄ  Ｒｅｓｏｕｒｃｅ  Ｅｌｅｍｅｎｔ  Ｇｒｏｕｐ）は、リソースエレメントと拡張制御チャネルのマッピングを定義するために用いられる。例えば、ＥＲＥＧは、ＥＰＤＣＣＨのマッピングに用いられる。１つのリソースブロックペアは１６のＥＲＥＧで構成される。それぞれのＥＲＥＧはリソースブロックペア毎に０から１５の番号が付される。それぞれのＥＲＥＧは、１つのリソースブロックペアにおいて、ＥＰＤＣＣＨに関連付けられたＤＭ−ＲＳのために用いられるリソースエレメントを除いた９つのリソースエレメントで構成される。
【０２８０】
Ｇ−１２．本実施形態における基地局装置１の構成例
図２６には、本実施形態の基地局装置１の構成を概略的に示している。図示の基地局装置１は、上位層処理部１０１と、制御部１０３と、受信部１０５と、送信部１０７と、送受信アンテナ１０９を含んで構成される。また、受信部１０５は、復号化部１０５１と、復調部１０５３と、多重分離部１０５５と、無線受信部１０５７と、チャネル測定部１０５９を含んで構成される。また、送信部１０７は、符号化部１０７１と、変調部１０７３と、多重部１０７５と、無線送信部１０７７と、下りリンク参照信号生成部１０７９を含んで構成される。
【０２８１】
既に説明したように、基地局装置１は、１つ以上のＲＡＴをサポートできる。図２６に示す基地局装置１に含まれる各部の一部又は全部は、ＲＡＴに応じて個別に構成され得る。例えば、受信部１０５及び送信部１０７は、ＬＴＥとＮＲとで個別に構成される。また、ＮＲセルにおいて、図２６に示す基地局装置１に含まれる各部の一部又は全部は、送信信号に関するパラメータセットに応じて個別に構成され得る。例えば、あるＮＲセルにおいて、無線受信部１０５７及び無線送信部１０７７は、送信信号に関するパラメータセットに応じて個別に構成され得る。
【０２８２】
上位層処理部１０１は、媒体アクセス制御（ＭＡＣ）層、パケットデータ統合プロトコル（Ｐａｃｋｅｔ  Ｄａｔａ  Ｃｏｎｖｅｒｇｅｎｃｅ  Ｐｒｏｔｏｃｏｌ：ＰＤＣＰ）層、無線リンク制御（Ｒａｄｉｏ  Ｌｉｎｋ  Ｃｏｎｔｒｏｌ：ＲＬＣ）層、無線リソース制御（ＲＲＣ）層の処理を行う。また、上位層処理部１０１は、受信部１０５及び送信部１０７の制御を行うために制御情報を生成し、制御部１０３に出力する。
【０２８３】
制御部１０３は、上位層処理部１０１からの制御情報に基づいて、受信部１０５及び送信部１０７の制御を行う。制御部１０３は、上位層処理部１０１への制御情報を生成し、上位層処理部１０１に出力する。制御部１０３は、復号化部１０５１からの復号化された信号及びチャネル測定部１０５９からのチャネル推定結果を入力する。制御部１０３は、符号化する信号を符号化部１０７１へ出力する。また、制御部１０３は、基地局装置１の全体又は一部を制御するために用いられる。
【０２８４】
上位層処理部１０１は、ＲＡＴ制御、無線リソース制御、サブフレーム設定、スケジューリング制御、及び／又は、ＣＳＩ報告制御に関する処理及び管理を行う。上位層処理部１０１における処理及び管理は、端末装置毎、又は基地局装置に接続している端末装置共通に行われる。上位層処理部１０１における処理及び管理は、上位層処理部１０１のみで行われてもよいし、上位ノード又は他の基地局装置から取得してもよい。また、上位層処理部１０１における処理及び管理は、ＲＡＴに応じて個別に行われてもよい。例えば、上位層処理部１０１は、ＬＴＥにおける処理及び管理と、ＮＲにおける処理及び管理とを個別に行う。
【０２８５】
上位層処理部１０１におけるＲＡＴ制御では、ＲＡＴに関する管理が行われる。例えば、ＲＡＴ制御では、ＬＴＥに関する管理及び／又はＮＲに関する管理が行われる。ＮＲに関する管理は、ＮＲセルにおける送信信号に関するパラメータセットの設定及び処理を含む。
【０２８６】
上位層処理部１０１における無線リソース制御では、下りリンクデータ（トランスポートブロック）、システムインフォメーション、ＲＲＣメッセージ（ＲＲＣパラメータ）、及び／又は、ＭＡＣ制御エレメント（ＣＥ：Ｃｏｎｔｒｏｌ  Ｅｌｅｍｅｎｔ）の生成及び／又は管理が行われる。
【０２８７】
上位層処理部１０１におけるサブフレーム設定では、サブフレーム設定、サブフレームパターン設定、上りリンク−下りリンク設定、上りリンク参照ＵＬ−ＤＬ設定、及び／又は、下りリンク参照ＵＬ−ＤＬ設定の管理が行われる。なお、上位層処理部１０１におけるサブフレーム設定は、基地局サブフレーム設定とも呼称される。また、上位層処理部１０１におけるサブフレーム設定は、上りリンクのトラフィック量及び下りリンクのトラフィック量に基づいて決定できる。また、上位層処理部１０１におけるサブフレーム設定は、上位層処理部１０１におけるスケジューリング制御のスケジューリング結果に基づいて決定できる。
【０２８８】
上位層処理部１０１におけるスケジューリング制御では、受信したチャネル状態情報及びチャネル測定部１０５９から入力された伝搬路の推定値やチャネルの品質などに基づいて、物理チャネルを割り当てる周波数及びサブフレーム、物理チャネルの符号化率及び変調方式及び送信電力などが決定される。例えば、制御部１０３は、上位層処理部１０１におけるスケジューリング制御のスケジューリング結果に基づいて、制御情報（ＤＣＩフォーマット）を生成する。
【０２８９】
上位層処理部１０１におけるＣＳＩ報告制御では、端末装置２のＣＳＩ報告が制御される。例えば、端末装置２においてＣＳＩを算出するために想定するためのＣＳＩ参照リソースに関する設定が制御される。
【０２９０】
受信部１０５は、制御部１０３からの制御に従って、送受信アンテナ１０９を介して端末装置２から送信された信号を受信し、さらに分離、復調、復号などの受信処理を行い、受信処理された情報を制御部１０３に出力する。なお、受信部１０５における受信処理は、あらかじめ規定された設定、又は基地局装置１が端末装置２に通知した設定に基づいて行われる。
【０２９１】
無線受信部１０５７は、送受信アンテナ１０９を介して受信された上りリンクの信号に対して、中間周波数への変換（ダウンコンバート）、不要な周波数成分の除去、信号レベルが適切に維持されるように増幅レベルの制御、受信された信号の同相成分及び直交成分に基づく直交復調、アナログ信号からディジタル信号への変換、ガードインターバル（Ｇｕａｒｄ  Ｉｎｔｅｒｖａｌ：ＧＩ）の除去、及び／又は、高速フーリエ変換（Ｆａｓｔ  Ｆｏｕｒｉｅｒ  Ｔｒａｎｓｆｏｒｍ：ＦＦＴ）による周波数領域信号の抽出を行う。
【０２９２】
多重分離部１０５５は、無線受信部１０５７から入力された信号から、ＰＵＣＣＨ又はＰＵＳＣＨなどの上りリンクチャネル及び／又は上りリンク参照信号を分離する。多重分離部１０５５は、上りリンク参照信号をチャネル測定部１０５９に出力する。多重分離部１０５５は、チャネル測定部１０５９から入力された伝搬路の推定値から、上りリンクチャネルに対する伝搬路の補償を行う。
【０２９３】
復調部１０５３は、上りリンクチャネルの変調シンボルに対して、ＢＰＳＫ（Ｂｉｎａｒｙ  Ｐｈａｓｅ  Ｓｈｉｆｔ  Ｋｅｙｉｎｇ）、ＱＰＳＫ（ｑｕａｄｒａｔｕｒｅ  Ｐｈａｓｅ  ｓｈｉｆｔ  Ｋｅｙｉｎｇ）、１６ＱＡＭ（Ｑｕａｄｒａｔｕｒｅ  Ａｍｐｌｉｔｕｄｅ  Ｍｏｄｕｌａｔｉｏｎ）、６４ＱＡＭ、２５６ＱＡＭなどの変調方式を用いて受信信号の復調を行う。復調部１０５３は、ＭＩＭＯ多重された上りリンクチャネルの分離及び復調も行う。
【０２９４】
復号化部１０５１は、復調された上りリンクチャネルの符号化ビットに対して、復号処理を行う。復号された上りリンクデータ及び／又は上りリンク制御情報は制御部１０３へ出力される。復号化部１０５１は、ＰＵＳＣＨに対しては、トランスポートブロック毎に復号処理を行う。
【０２９５】
チャネル測定部１０５９は、多重分離部１０５５から入力された上りリンク参照信号から伝搬路の推定値及び／又はチャネルの品質などを測定し、多重分離部１０５５及び／又は制御部１０３に出力する。例えば、ＵＬ−ＤＭＲＳはＰＵＣＣＨ又はＰＵＳＣＨに対する伝搬路補償を行うための伝搬路の推定値を測定し、ＳＲＳは上りリンクにおけるチャネルの品質を測定する。
【０２９６】
送信部１０７は、制御部１０３からの制御に従って、上位層処理部１０１から入力された下りリンク制御情報及び下りリンクデータに対して、符号化、変調及び多重などの送信処理を行う。例えば、送信部１０７は、ＰＨＩＣＨ、ＰＤＣＣＨ、ＥＰＤＣＣＨ、ＰＤＳＣＨ、及び下りリンク参照信号を生成及び多重し、送信信号を生成する。なお、送信部１０７における送信処理は、あらかじめ規定された設定、基地局装置１が端末装置２に通知した設定、又は、同一のサブフレームで送信されるＰＤＣＣＨ又はＥＰＤＣＣＨを通じて通知される設定に基づいて行われる。
【０２９７】
符号化部１０７１は、制御部１０３から入力されたＨＡＲＱインディケータ（ＨＡＲＱ−ＡＣＫ）、下りリンク制御情報、及び下りリンクデータを、ブロック符号化、畳み込み符号化、ターボ符号化などの所定の符号化方式を用いて符号化を行う。変調部１０７３は、符号化部１０７１から入力された符号化ビットをＢＰＳＫ、ＱＰＳＫ、１６ＱＡＭ、６４ＱＡＭ、２５６ＱＡＭなどの所定の変調方式で変調する。下りリンク参照信号生成部１０７９は、物理セル識別子（ＰＣＩ：Ｐｈｙｓｉｃａｌ  ｃｅｌｌ  ｉｄｅｎｔｉｆｉｃａｔｉｏｎ）、端末装置２に設定されたＲＲＣパラメータなどに基づいて、下りリンク参照信号を生成する。多重部１０７５は、各チャネルの変調シンボルと下りリンク参照信号を多重し、所定のリソースエレメントに配置する。
【０２９８】
無線送信部１０７７は、多重部１０７５からの信号に対して、逆高速フーリエ変換（Ｉｎｖｅｒｓｅ  Ｆａｓｔ  Ｆｏｕｒｉｅｒ  Ｔｒａｎｓｆｏｒｍ：ＩＦＦＴ）による時間領域の信号への変換、ガードインターバルの付加、ベースバンドのディジタル信号の生成、アナログ信号への変換、直交変調、中間周波数の信号から高周波数の信号への変換（アップコンバート）、余分な周波数成分の除去、電力の増幅などの処理を行い、送信信号を生成する。無線送信部１０７７が出力した送信信号は、送受信アンテナ１０９から送信される。
【０２９９】
Ｇ−１３．本実施形態における端末装置２の構成例
図２７には、本実施形態の端末装置２に構成を概略的に示している。図示の端末装置２は、上位層処理部２０１と、制御部２０３と、受信部２０５と、送信部２０７と、送受信アンテナ２０９を含んで構成される。また、受信部２０５は、復号化部２０５１と、復調部２０５３と、多重分離部２０５５と、無線受信部２０５７と、チャネル測定部２０５９を含んで構成される。また、送信部２０７は、符号化部２０７１と、変調部２０７３と、多重部２０７５と、無線送信部２０７７と、上りリンク参照信号生成部２０７９を含んで構成される。
【０３００】
既に説明したように、端末装置２は、１つ以上のＲＡＴをサポートできる。図２７に示す端末装置２に含まれる各部の一部又は全部は、ＲＡＴに応じて個別に構成されうる。例えば、受信部２０５及び送信部２０７は、ＬＴＥとＮＲとで個別に構成される。また、ＮＲセルにおいて、図２７に示す端末装置２に含まれる各部の一部又は全部は、送信信号に関するパラメータセットに応じて個別に構成されうる。例えば、あるＮＲセルにおいて、無線受信部２０５７及び無線送信部２０７７は、送信信号に関するパラメータセットに応じて個別に構成されうる。
【０３０１】
上位層処理部２０１は、上りリンクデータ（トランスポートブロック）を、制御部２０３に出力する。上位層処理部２０１は、媒体アクセス制御（ＭＡＣ）層、パケットデータ統合プロトコル（ＰＤＣＰ）層、無線リンク制御（ＲＬＣ）層、無線リソース制御（ＲＲＣ）層の処理を行う。また、上位層処理部２０１は、受信部２０５、及び送信部２０７の制御を行うために制御情報を生成し、制御部２０３に出力する。
【０３０２】
制御部２０３は、上位層処理部２０１からの制御情報に基づいて、受信部２０５及び送信部２０７の制御を行う。制御部２０３は、上位層処理部２０１への制御情報を生成し、上位層処理部２０１に出力する。制御部２０３は、復号化部２０５１からの復号化された信号及びチャネル測定部２０５９からのチャネル推定結果を入力する。制御部２０３は、符号化する信号を符号化部２０７１へ出力する。また、制御部２０３は、端末装置２の全体又は一部を制御するために用いられてもよい。
【０３０３】
上位層処理部２０１は、ＲＡＴ制御、無線リソース制御、サブフレーム設定、スケジューリング制御、及び／又は、ＣＳＩ報告制御に関する処理及び管理を行う。上位層処理部２０１における処理及び管理は、あらかじめ規定される設定、及び／又は、基地局装置１から設定又は通知される制御情報に基づく設定に基づいて行われる。例えば、基地局装置１からの制御情報は、ＲＲＣパラメータ、ＭＡＣ制御エレメント又はＤＣＩを含む。また、上位層処理部２０１における処理及び管理は、ＲＡＴに応じて個別に行われてもよい。例えば、上位層処理部２０１は、ＬＴＥにおける処理及び管理と、ＮＲにおける処理及び管理とを個別に行う。
【０３０４】
上位層処理部２０１におけるＲＡＴ制御では、ＲＡＴに関する管理が行われる。例えば、ＲＡＴ制御では、ＬＴＥに関する管理及び／又はＮＲに関する管理が行われる。ＮＲに関する管理は、ＮＲセルにおける送信信号に関するパラメータセットの設定及び処理を含む。
【０３０５】
上位層処理部２０１における無線リソース制御では、自装置における設定情報の管理が行われる。上位層処理部２０１における無線リソース制御では、上りリンクデータ（トランスポートブロック）、システムインフォメーション、ＲＲＣメッセージ（ＲＲＣパラメータ）、及び／又は、ＭＡＣ制御エレメント（ＣＥ）の生成及び／又は管理が行われる。
【０３０６】
上位層処理部２０１におけるサブフレーム設定では、基地局装置１及び／又は基地局装置１とは異なる基地局装置におけるサブフレーム設定が管理される。サブフレーム設定は、サブフレームに対する上りリンク又は下りリンクの設定、サブフレームパターン設定、上りリンク−下りリンク設定、上りリンク参照ＵＬ−ＤＬ設定、及び／又は、下りリンク参照ＵＬ−ＤＬ設定を含む。なお、上位層処理部２０１におけるサブフレーム設定は、端末サブフレーム設定とも呼称される。
【０３０７】
上位層処理部２０１におけるスケジューリング制御では、基地局装置１からのＤＣＩ（スケジューリング情報）に基づいて、受信部２０５及び送信部２０７に対するスケジューリングに関する制御を行うための制御情報が生成される。
【０３０８】
上位層処理部２０１におけるＣＳＩ報告制御では、基地局装置１に対するＣＳＩの報告に関する制御が行われる。例えば、ＣＳＩ報告制御では、チャネル測定部２０５９でＣＳＩを算出するために想定するためのＣＳＩ参照リソースに関する設定が制御される。ＣＳＩ報告制御では、ＤＣＩ及び／又はＲＲＣパラメータに基づいて、ＣＳＩを報告するために用いられるリソース（タイミング）を制御する。
【０３０９】
受信部２０５は、制御部２０３からの制御に従って、送受信アンテナ２０９を介して基地局装置１から送信された信号を受信し、さらに分離、復調、復号などの受信処理を行い、受信処理された情報を制御部２０３に出力する。なお、受信部２０５における受信処理は、あらかじめ規定された設定、又は基地局装置１からの通知又は設定に基づいて行われる。
【０３１０】
無線受信部２０５７は、送受信アンテナ２０９を介して受信された上りリンクの信号に対して、中間周波数への変換（ダウンコンバート）、不要な周波数成分の除去、信号レベルが適切に維持されるように増幅レベルの制御、受信された信号の同相成分及び直交成分に基づく直交復調、アナログ信号からディジタル信号への変換、ガードインターバル（ＧＩ）の除去、及び／又は、高速フーリエ変換（ＦＦＴ）による周波数領域の信号の抽出を行う。
【０３１１】
多重分離部２０５５は、無線受信部２０５７から入力された信号から、ＰＨＩＣＨ、ＰＤＣＣＨ、ＥＰＤＣＣＨ又はＰＤＳＣＨなどの下りリンクチャネル、下りリンク同期信号及び／又は下りリンク参照信号を分離する。多重分離部２０５５は、下りリンク参照信号をチャネル測定部２０５９に出力する。多重分離部２０５５は、チャネル測定部２０５９から入力された伝搬路の推定値から、下りリンクチャネルに対する伝搬路の補償を行う。
【０３１２】
復調部２０５３は、下りリンクチャネルの変調シンボルに対して、ＢＰＳＫ、ＱＰＳＫ、１６ＱＡＭ、６４ＱＡＭ、２５６ＱＡＭなどの変調方式を用いて受信信号の復調を行う。復調部２０５３は、ＭＩＭＯ多重された下りリンクチャネルの分離及び復調を行う。
【０３１３】
復号化部２０５１は、復調された下りリンクチャネルの符号化ビットに対して、復号処理を行う。復号された下りリンクデータ及び／又は下りリンク制御情報は制御部２０３へ出力される。復号化部２０５１は、ＰＤＳＣＨに対しては、トランスポートブロック毎に復号処理を行う。
【０３１４】
チャネル測定部２０５９は、多重分離部２０５５から入力された下りリンク参照信号から伝搬路の推定値及び／又はチャネルの品質などを測定し、多重分離部２０５５及び／又は制御部２０３に出力する。チャネル測定部２０５９が測定に用いる下りリンク参照信号は、少なくともＲＲＣパラメータによって設定される送信モード及び／又は他のＲＲＣパラメータに基づいて決定されてもよい。例えば、ＤＬ−ＤＭＲＳはＰＤＳＣＨ又はＥＰＤＣＣＨに対する伝搬路補償を行うための伝搬路の推定値を測定する。ＣＲＳはＰＤＣＣＨ又はＰＤＳＣＨに対する伝搬路補償を行うための伝搬路の推定値、及び／又は、ＣＳＩを報告するための下りリンクにおけるチャネルを測定する。ＣＳＩ−ＲＳは、ＣＳＩを報告するための下りリンクにおけるチャネルを測定する。チャネル測定部２０５９は、ＣＲＳ、ＣＳＩ−ＲＳ又は検出信号に基づいて、ＲＳＲＰ及び／又はＲＳＲＱを算出し、上位層処理部２０１へ出力する。
【０３１５】
送信部２０７は、制御部２０３からの制御に従って、上位層処理部２０１から入力された上りリンク制御情報及び上りリンクデータに対して、符号化、変調及び多重などの送信処理を行う。例えば、送信部２０７は、ＰＵＳＣＨ又はＰＵＣＣＨなどの上りリンクチャネル及び／又は上りリンク参照信号を生成及び多重し、送信信号を生成する。なお、送信部２０７における送信処理は、あらかじめ規定された設定、又は、基地局装置１から設定又は通知に基づいて行われる。
【０３１６】
符号化部２０７１は、制御部２０３から入力されたＨＡＲＱインディケータ（ＨＡＲＱ−ＡＣＫ）、上りリンク制御情報、及び上りリンクデータを、ブロック符号化、畳み込み符号化、ターボ符号化などの所定の符号化方式を用いて符号化を行う。変調部２０７３は、符号化部２０７１から入力された符号化ビットをＢＰＳＫ、ＱＰＳＫ、１６ＱＡＭ、６４ＱＡＭ、２５６ＱＡＭなどの所定の変調方式で変調する。上りリンク参照信号生成部２０７９は、端末装置２に設定されたＲＲＣパラメータなどに基づいて、上りリンク参照信号を生成する。多重部２０７５は、各チャネルの変調シンボルと上りリンク参照信号を多重し、所定のリソースエレメントに配置する。
【０３１７】
無線送信部２０７７は、多重部２０７５からの信号に対して、逆高速フーリエ変換（ＩＦＦＴ）による時間領域の信号への変換、ガードインターバルの付加、ベースバンドのディジタル信号の生成、アナログ信号への変換、直交変調、中間周波数の信号から高周波数の信号への変換（アップコンバート）、余分な周波数成分の除去、電力の増幅などの処理を行い、送信信号を生成する。無線送信部２０７７が出力した送信信号は、送受信アンテナ２０９から送信される。
【０３１８】
Ｇ−１４．本実施形態における制御情報のシグナリング
基地局装置１及び端末装置２は、それぞれ制御情報のシグナリング（通知、報知、設定）のために、さまざまな方法を用いることができる。制御情報のシグナリングは、様々な層（レイヤー）で行うことができる。制御情報のシグナリングは、物理層を通じたシグナリングである物理層シグナリング、ＲＲＣ層を通じたシグナリングであるＲＲＣシグナリング、及び、ＭＡＣ層を通じたシグナリングであるＭＡＣシグナリングなどを含む。ＲＲＣシグナリングは、端末装置２に固有の制御情報を通知する専用のＲＲＣシグナリング（Ｄｅｄｉｃａｔｅｄ  ＲＲＣ  ｓｉｇｎａｌｉｎｇ）、又は、基地局装置１に固有の制御情報を通知する共通のＲＲＣシグナリング（Ｃｏｍｍｏｎ  ＲＲＣ  ｓｉｇｎａｌｉｎｇ）である。ＲＲＣシグナリングやＭＡＣシグナリングなど、物理層から見て上位の層が用いるシグナリングは上位層シグナリングとも呼称される。
【０３１９】
ＲＲＣシグナリングは、ＲＲＣパラメータをシグナリングすることにより実現される。ＭＡＣシグナリングは、ＭＡＣ制御エレメントをシグナリングすることにより実現される。物理層シグナリングは、下りリンク制御情報（ＤＣＩ）又は上りリンクリンク制御情報（ＵＣＩ）をシグナリングすることにより実現される。ＲＲＣパラメータ及びＭＡＣ制御エレメントは、ＰＤＳＣＨ又はＰＵＳＣＨを用いて送信される。ＤＣＩは、ＰＤＣＣＨ又はＥＰＤＣＣＨを用いて送信される。ＵＣＩは、ＰＵＣＣＨ又はＰＵＳＣＨを用いて送信される。ＲＲＣシグナリング及びＭＡＣシグナリングは、準静的な制御情報をシグナリングするために用いられ、準静的シグナリングとも呼称される。物理層シグナリングは、動的（ｄｙｎａｍｉｃ）な制御情報をシグナリングするために用いられ、動的シグナリングとも呼称される。ＤＣＩは、ＰＤＳＣＨのスケジューリング又はＰＵＳＣＨのスケジューリングなどのために用いられる。ＵＣＩは、ＣＳＩ報告、ＨＡＲＱ−ＡＣＫ報告、及び／又はスケジューリング要求（ＳＲ）などのために用いられる。
【０３２０】
Ｇ−１５．本実施形態における下りリンク制御情報の詳細
ＤＣＩはあらかじめ規定されるフィールドを有するＤＣＩフォーマットを用いて通知される。ＤＣＩフォーマットに規定されるフィールドは、所定の情報ビットがマッピングされる。ＤＣＩは、下りリンクスケジューリング情報、上りリンクスケジューリング情報、サイドリンクスケジューリング情報、非周期的ＣＳＩ報告の要求、又は、上りリンク送信電力コマンドを通知する。
【０３２１】
端末装置２がモニタするＤＣＩフォーマットは、サービングセル毎に設定された送信モードによって決まる。すなわち、端末装置２がモニタするＤＣＩフォーマットの一部は、送信モードによって異なることができる。例えば、下りリンク送信モード１が設定された端末装置２は、ＤＣＩフォーマット１ＡとＤＣＩフォーマット１をモニタする。例えば、下りリンク送信モード４が設定された端末装置２は、ＤＣＩフォーマット１ＡとＤＣＩフォーマット２をモニタする。例えば、上りリンク送信モード１が設定された端末装置２は、ＤＣＩフォーマット０をモニタする。例えば、上りリンク送信モード２が設定された端末装置２は、ＤＣＩフォーマット０とＤＣＩフォーマット４をモニタする。
【０３２２】
端末装置２に対するＤＣＩを通知するＰＤＣＣＨが配置される制御領域は通知されず、端末装置２は端末装置２に対するＤＣＩをブラインドデコーディング（ブラインド検出）により検出する。具体的には、端末装置２は、サービングセルにおいて、ＰＤＣＣＨ候補のセットをモニタする。モニタリングは、そのセットの中のＰＤＣＣＨのそれぞれに対して、すべてのモニタされるＤＣＩフォーマットによって復号を試みることを意味する。例えば、端末装置２は、端末装置２宛に送信される可能性があるすべてのアグリゲーションレベル、ＰＤＣＣＨ候補、及び、ＤＣＩフォーマットについてデコードを試みる。端末装置２は、デコード（検出）が成功したＤＣＩ（ＰＤＣＣＨ）を端末装置２に対するＤＣＩ（ＰＤＣＣＨ）として認識する。
【０３２３】
ＤＣＩに対して、巡回冗長検査（ＣＲＣ）が付加される。ＣＲＣは、ＤＣＩのエラー検出及びＤＣＩのブラインド検出のために用いられる。ＣＲＣ（ＣＲＣパリティビット）は、ＲＮＴＩによってスクランブルされる。端末装置２は、ＲＮＴＩに基づいて、端末装置２に対するＤＣＩかどうかを検出する。具体的には、端末装置２は、ＣＲＣに対応するビットに対して、所定のＲＮＴＩでデスクランブルを行い、ＣＲＣを抽出し、対応するＤＣＩが正しいかどうかを検出する。
【０３２４】
ＲＮＴＩは、ＤＣＩの目的や用途に応じて規定又は設定される。ＲＮＴＩは、Ｃ−ＲＮＴＩ（Ｃｅｌｌ−ＲＮＴＩ）、ＳＰＳ  Ｃ−ＲＮＴＩ（Ｓｅｍｉ  Ｐｅｒｓｉｓｔｅｎｔ  Ｓｃｈｅｄｕｌｉｎｇ  Ｃ−ＲＮＴＩ）、ＳＩ−ＲＮＴＩ（Ｓｙｓｔｅｍ  Ｉｎｆｏｒｍａｔｉｏｎ−ＲＮＴＩ）、Ｐ−ＲＮＴＩ（Ｐａｇｉｎｇ−ＲＮＴＩ）、ＲＡ−ＲＮＴＩ（Ｒａｎｄｏｍ  Ａｃｃｅｓｓ−ＲＮＴＩ）、ＴＰＣ−ＰＵＣＣＨ−ＲＮＴＩ（Ｔｒａｎｓｍｉｔ  Ｐｏｗｅｒ  Ｃｏｎｔｒｏｌ−ＰＵＣＣＨ−ＲＮＴＩ）、ＴＰＣ−ＰＵＳＣＨ−ＲＮＴＩ（Ｔｒａｎｓｍｉｔ  Ｐｏｗｅｒ  Ｃｏｎｔｒｏｌ−ＰＵＳＣＨ−ＲＮＴＩ）、一時的Ｃ−ＲＮＴＩ、Ｍ−ＲＮＴＩ（ＭＢＭＳ  （Ｍｕｌｔｉｍｅｄｉａ  Ｂｒｏａｄｃａｓｔ  Ｍｕｔｉｃａｓｔ  Ｓｅｒｖｉｃｅｓ）−ＲＮＴＩ）、及び、ｅＩＭＴＡ−ＲＮＴＩを含む。
【０３２５】
Ｃ−ＲＮＴＩ及びＳＰＳ  Ｃ−ＲＮＴＩは、基地局装置１（セル）内において端末装置２に固有のＲＮＴＩであり、端末装置２を識別するための識別子である。Ｃ−ＲＮＴＩは、あるサブフレームにおけるＰＤＳＣＨ又はＰＵＳＣＨをスケジューリングするために用いられる。ＳＰＳ  Ｃ−ＲＮＴＩは、ＰＤＳＣＨ又はＰＵＳＣＨのためのリソースの周期的なスケジューリングをアクティベーション又はリリースするために用いられる。ＳＩ−ＲＮＴＩでスクランブルされたＣＲＣを有する制御チャネルは、ＳＩＢ（Ｓｙｓｔｅｍ  Ｉｎｆｏｒｍａｔｉｏｎ  Ｂｌｏｃｋ）をスケジューリングするために用いられる。Ｐ−ＲＮＴＩでスクランブルされたＣＲＣを有する制御チャネルは、ページングを制御するために用いられる。ＲＡ−ＲＮＴＩでスクランブルされたＣＲＣを有する制御チャネルは、ＲＡＣＨに対するレスポンスをスケジューリングするために用いられる。ＴＰＣ−ＰＵＣＣＨ−ＲＮＴＩでスクランブルされたＣＲＣを有する制御チャネルは、ＰＵＣＣＨの電力制御を行うために用いられる。ＴＰＣ−ＰＵＳＣＨ−ＲＮＴＩでスクランブルされたＣＲＣを有する制御チャネルは、ＰＵＳＣＨの電力制御を行うために用いられる。ＴｅｍｐｏｒａｒｙＣ−ＲＮＴＩでスクランブルされたＣＲＣを有する制御チャネルは、Ｃ−ＲＮＴＩが設定又は認識されていない移動局装置によって用いられる。Ｍ−ＲＮＴＩでスクランブルされたＣＲＣを有する制御チャネルは、ＭＢＭＳをスケジューリングするために用いられる。ｅＩＭＴＡ−ＲＮＴＩでスクランブルされたＣＲＣを有する制御チャネルは、動的ＴＤＤ（ｅＩＭＴＡ）において、ＴＤＤサービングセルのＴＤＤ  ＵＬ／ＤＬ設定に関する情報を通知するために用いられる。なお、上記のＲＮＴＩに限らず、新たなＲＮＴＩによってＤＣＩフォーマットがスクランブルされてもよい。
【０３２６】
スケジューリング情報（下りリンクスケジューリング情報、上りリンクスケジューリング情報、サイドリンクスケジューリング情報）は、周波数領域のスケジューリングとして、リソースブロック又はリソースブロックグループを単位にスケジューリングを行うための情報を含む。リソースブロックグループは、連続するリソースブロックのセットであり、スケジューリングされる端末装置に対する割り当てられるリソースを示す。リソースブロックグループのサイズは、システム帯域幅に応じて決まる。
【０３２７】
Ｇ−１６．本実施形態における下りリング制御チャネルの詳細
ＤＣＩはＰＤＣＣＨ又はＥＰＤＣＣＨなどの制御チャネルを用いて送信される。端末装置２は、ＲＲＣシグナリングによって設定された１つ又は複数のアクティベートされたサービングセルのＰＤＣＣＨ候補のセット及び／又はＥＰＤＣＣＨ候補のセットをモニタする。ここで、モニタリングとは、すべてのモニタされるＤＣＩフォーマットに対応するセット内のＰＤＣＣＨ及び／又はＥＰＤＣＣＨのデコードを試みることである。
【０３２８】
ＰＤＣＣＨ候補のセット又はＥＰＤＣＣＨ候補のセットは、サーチスペースとも呼称される。サーチスペースには、共有サーチスペース（ＣＳＳ）と端末固有サーチスペース（ＵＳＳ）が定義される。ＣＳＳは、ＰＤＣＣＨに関するサーチスペースのみに対して定義されてもよい。
【０３２９】
ＣＳＳ（Ｃｏｍｍｏｎ  Ｓｅａｒｃｈ  Ｓｐａｃｅ）は、基地局装置１に固有のパラメータ及び／又はあらかじめ規定されたパラメータに基づいて設定されるサーチスペースである。例えば、ＣＳＳは、複数の端末装置で共通に用いられるサーチスペースである。そのため、基地局装置１が複数の端末装置で共通の制御チャネルをＣＳＳにマッピングすることにより、制御チャネルを送信するためのリソースが低減される。
【０３３０】
ＵＳＳ（ＵＥ−ｓｐｅｃｉｆｉｃ  Ｓｅａｒｃｈ  Ｓｐａｃｅ）は、少なくとも端末装置２に固有のパラメータを用いて設定されるサーチスペースである。そのため、ＵＳＳは、端末装置２に固有のサーチスペースであり、端末装置２に固有の制御チャネルを個別に送信することができる。そのため、基地局装置１は複数の端末装置に固有の制御チャネルを効率的にマッピングできる。
【０３３１】
ＵＳＳは、複数の端末装置に共通に用いられるように設定されてもよい。複数の端末装置に対して共通のＵＳＳが設定されるために、端末装置２に固有のパラメータは、複数の端末装置の間で同じ値になるように設定される。例えば、複数の端末装置の間で同じパラメータに設定される単位は、セル、送信点、又は所定の端末装置のグループなどである。
【０３３２】
アグリゲーションレベル毎のサーチスペースはＰＤＣＣＨ候補のセットによって定義される。ＰＤＣＣＨのそれぞれは、１つ以上のＣＣＥの集合を用いて送信される。１つのＰＤＣＣＨに用いられるＣＣＥの数は、アグリゲーションレベルとも呼称される。例えば、１つのＰＤＣＣＨに用いられるＣＣＥの数は、１、２、４又は８である。
【０３３３】
アグリゲーションレベル毎のサーチスペースはＥＰＤＣＣＨ候補のセットによって定義される。ＥＰＤＣＣＨのそれぞれは、１つ以上のＥＣＣＥの集合を用いて送信される。１つのＥＰＤＣＣＨに用いられるＥＣＣＥの数は、アグリゲーションレベルとも呼称される。例えば、１つのＥＰＤＣＣＨに用いられるＥＣＣＥの数は、１、２、４、８、１６又は３２である。
【０３３４】
ＰＤＣＣＨ候補の数又はＥＰＤＣＣＨ候補の数は、少なくともサーチスペース及びアグリゲーションレベルに基づいて決まる。例えば、ＣＳＳにおいて、アグリゲーションレベル４及び８におけるＰＤＣＣＨ候補の数はそれぞれ４及び２である。例えば、ＵＳＳにおいて、アグリゲーション１、２、４及び８におけるＰＤＣＣＨ候補の数はそれぞれ６、６、２及び２である。
【０３３５】
それぞれのＥＣＣＥは、複数のＥＲＥＧで構成される。ＥＲＥＧは、ＥＰＤＣＣＨのリソースエレメントに対するマッピングを定義するために用いられる。各ＲＢペアにおいて、０から１５に番号付けされる、１６個のＥＲＥＧが定義される。すなわち、各ＲＢペアにおいて、ＥＲＥＧ０〜ＥＲＥＧ１５が定義される。各ＲＢペアにおいて、ＥＲＥＧ０〜ＥＲＥＧ１５は、所定の信号及び／又はチャネルがマッピングされるリソースエレメント以外のリソースエレメントに対して、周波数方向を優先して、周期的に定義される。例えば、アンテナポート１０７〜１１０で送信されるＥＰＤＣＣＨに関連付けられる復調用参照信号がマッピングされるリソースエレメントは、ＥＲＥＧを定義しない。
【０３３６】
１つのＥＰＤＣＣＨに用いられるＥＣＣＥの数は、ＥＰＤＣＣＨフォーマットに依存し、他のパラメータに基づいて決定される。１つのＥＰＤＣＣＨに用いられるＥＣＣＥの数は、アグリゲーションレベルとも呼称される。例えば、１つのＥＰＤＣＣＨに用いられるＥＣＣＥの数は、１つのＲＢペアにおけるＥＰＤＣＣＨ送信に用いることができるリソースエレメントの数、ＥＰＤＣＣＨの送信方法などに基づいて、決定される。例えば、１つのＥＰＤＣＣＨに用いられるＥＣＣＥの数は、１、２、４、８、１６又は３２である。また、１つのＥＣＣＥに用いられるＥＲＥＧの数は、サブフレームの種類及びサイクリックプレフィックスの種類に基づいて決定され、４又は８である。ＥＰＤＣＣＨの送信方法として、分散送信（Ｄｉｓｔｒｉｂｕｔｅｄ  ｔｒａｎｓｍｉｓｓｉｏｎ）及び局所送信（Ｌｏｃａｌｉｚｅｄ  ｔｒａｎｓｍｉｓｓｉｏｎ）がサポートされる。
【０３３７】
ＥＰＤＣＣＨは、分散送信又は局所送信を用いることができる。分散送信及び局所送信は、ＥＲＥＧ及びＲＢペアに対するＥＣＣＥのマッピングが異なる。例えば、分散送信において、１つのＥＣＣＥは、複数のＲＢペアのＥＲＥＧを用いて構成される。局所送信において、１つのＥＣＣＥは、１つのＲＢペアのＥＲＥＧを用いて構成される。
【０３３８】
基地局装置１は、端末装置２に対して、ＥＰＤＣＣＨに関する設定を行う。端末装置２は、基地局装置１からの設定に基づいて、複数のＥＰＤＣＣＨをモニタリングする。端末装置２がＥＰＤＣＣＨをモニタリングするＲＢペアのセットが、設定されうる。そのＲＢペアのセットは、ＥＰＤＣＣＨセット又はＥＰＤＣＣＨ−ＰＲＢセットとも呼称される。１つの端末装置２に対して、１つ以上のＥＰＤＣＣＨセットが設定できる。各ＥＰＤＣＣＨセットは、１つ以上のＲＢペアで構成される。また、ＥＰＤＣＣＨに関する設定は、ＥＰＤＣＣＨセット毎に個別に行うことができる。
【０３３９】
基地局装置１は、端末装置２に対して、所定数のＥＰＤＣＣＨセットを設定できる。例えば、２つまでのＥＰＤＣＣＨセットが、ＥＰＤＣＣＨセット０及び／又はＥＰＤＣＣＨセット１として、設定できる。ＥＰＤＣＣＨセットのそれぞれは、所定数のＲＢペアで構成できる。各ＥＰＤＣＣＨセットは、複数のＥＣＣＥの１つのセットを構成する。１つのＥＰＤＣＣＨセットに構成されるＥＣＣＥの数は、そのＥＰＤＣＣＨセットとして設定されるＲＢペアの数、及び、１つのＥＣＣＥに用いられるＥＲＥＧの数に基づいて、決定される。１つのＥＰＤＣＣＨセットに構成されるＥＣＣＥの数がＮである場合、各ＥＰＤＣＣＨセットは、０〜Ｎ−１で番号付けされたＥＣＣＥを構成する。例えば、１つのＥＣＣＥに用いられるＥＲＥＧの数が４である場合、４つのＲＢペアで構成されるＥＰＤＣＣＨセットは１６個のＥＣＣＥを構成する。
【０３４０】
Ｇ−１７．本実施形態におけるチャネル状態情報の詳細
端末装置２は基地局装置１にＣＳＩを報告（レポート）する。ＣＳＩを報告するために用いられる時間及び周波数のリソースは、基地局装置１によって制御される。端末装置２は、基地局装置１からＲＲＣシグナリングによってＣＳＩに関する設定が行われる。端末装置２は、所定の送信モードにおいて、１つ以上のＣＳＩプロセスが設定される。端末装置２によって報告されるＣＳＩは、ＣＳＩプロセスに対応する。例えば、ＣＳＩプロセスは、ＣＳＩに関する制御又は設定の単位である。ＣＳＩプロセスのそれぞれは、ＣＳＩ−ＲＳリソース、ＣＳＩ−ＩＭリソース、周期的ＣＳＩ報告に関する設定（例えば、報告の周期とオフセット）、及び／又は、非周期的ＣＳＩ報告に関する設定を独立に設定できる。
【０３４１】
ＣＳＩは、ＣＱＩ、ＰＭＩ、ＰＴＩ（Ｐｒｅｃｏｄｉｎｇ  ｔｙｐｅ  ｉｎｄｉｃａｔｏｒ）、ＲＩ、及び／又はＣＲＩ（ＣＳＩ−ＲＳ  ｒｅｓｏｕｒｃｅ  ｉｎｄｉｃａｔｏｒ）で構成される。ＲＩは、送信レイヤの数（ランク数）を示す。ＰＭＩは、あらかじめ規定されたプレコーディング行列を示す情報である。ＰＭＩは、１つの情報又は２つの情報により、１つのプレコーディング行列を示す。２つの情報を用いる場合のＰＭＩは、第１のＰＭＩと第２のＰＭＩとも呼称される。ＣＱＩは、あらかじめ規定された変調方式と符号化率との組み合わせを示す情報である。ＣＲＩは、１つのＣＳＩプロセスにおいてＣＳＩ−ＲＳリソースが２つ以上設定された場合に、それらのＣＳＩ−ＲＳリソースから選択される１つのＣＳＩ−ＲＳリソースを示す情報（シングルインスタンス）である。端末装置２は、基地局装置１に推奨するＣＳＩを報告する。端末装置２は、トランスポートブロック（コードワード）毎に、所定の受信品質を満たすＣＱＩを報告する。
【０３４２】
ＣＲＩの報告において、設定されるＣＳＩ−ＲＳリソースから１つのＣＳＩ−ＲＳリソースが選択される。ＣＲＩが報告された場合、報告されるＰＭＩ、ＣＱＩ及びＲＩは、その報告されたＣＲＩに基づいて算出（選択）される。例えば、設定されるＣＳＩ−ＲＳリソースがそれぞれプレコーディングされる場合、端末装置２がＣＲＩを報告することにより、端末装置２に好適なプレコーディング（ビーム）が報告される。
【０３４３】
周期的ＣＳＩ報告が可能なサブフレーム（ｒｅｐｏｒｔｉｎｇ  ｉｎｓｔａｎｃｅｓ）は、上位層のパラメータ（ＣＱＩＰＭＩインデックス、ＲＩインデックス、ＣＲＩインデックス）により設定される、報告の周期及びサブフレームオフセットによって決定される。なお、上位層のパラメータは、ＣＳＩを測定するために設定されるサブフレームセットに独立に設定できる。複数のサブフレームセットに対して１つの情報しか設定されない場合、その情報は、サブフレームセット間で共通とすることができる。それぞれのサービングセルにおいて、１つ以上の周期的ＣＳＩ報告は、上位層のシグナリングによって設定される。
【０３４４】
ＣＳＩ報告タイプは、ＰＵＣＣＨ  ＣＳＩ報告モードをサポートしている。ＣＳＩ報告タイプは、ＰＵＣＣＨ報告タイプとも呼称される。タイプ１報告は、端末選択サブバンドに対するＣＱＩのフィードバックをサポートしている。タイプ１ａ報告は、サブバンドＣＱＩと第２のＰＭＩのフィードバンクをサポートしている。タイプ２、タイプ２ｂ、タイプ２ｃ報告は、ワイドバンドＣＱＩとＰＭＩのフィードバックをサポートしている。タイプ２ａ報告は、ワイドバンドＰＭＩのフィードバンクをサポートしている。タイプ３報告は、ＲＩのフィードバックをサポートしている。タイプ４報告は、ワイドバンドＣＱＩのフィードバックをサポートしている。タイプ５報告は、ＲＩとワイドバンドＰＭＩのフィードバックをサポートしている。タイプ６報告は、ＲＩとＰＴＩのフィードバックをサポートしている。タイプ７報告は、ＣＲＩとＲＩのフィードバックをサポートしている。タイプ８報告は、ＣＲＩとＲＩとワイドバンドＰＭＩのフィードバックをサポートしている。タイプ９報告は、ＣＲＩとＲＩとＰＴＩのフィードバックをサポートしている。タイプ１０報告は、ＣＲＩのフィードバックをサポートしている。
【０３４５】
端末装置２は、基地局装置１からＣＳＩ測定及びＣＳＩ報告に関する情報が設定される。ＣＳＩ測定は、参照信号及び／又は参照リソース（例えば、ＣＲＳ、ＣＳＩ−ＲＳ、ＣＳＩ−ＩＭリソース、及び／又はＤＲＳ）に基づいて行われる。ＣＳＩ測定に用いられる参照信号は、送信モードの設定などに基づいて決まる。ＣＳＩ測定は、チャネル測定と干渉測定とに基づいて行われる。例えば、チャネル測定は、所望のセルの電力を測定する。干渉測定は、所望のセル以外の電力と雑音電力とを測定する。
【０３４６】
例えば、ＣＳＩ測定において、端末装置２は、ＣＲＳに基づいてチャネル測定と干渉測定とを行う。例えば、ＣＳＩ測定において、端末装置２は、ＣＳＩ−ＲＳに基づいてチャネル測定を行い、ＣＲＳに基づいて干渉測定を行う。例えば、ＣＳＩ測定において、端末装置２は、ＣＳＩ−ＲＳに基づいてチャネル測定を行い、ＣＳＩ−ＩＭリソースに基づいて干渉測定を行う。
【０３４７】
ＣＳＩプロセスは、上位層のシグナリングによって端末装置２に固有の情報として設定される。端末装置２は、１つ以上のＣＳＩプロセスが設定され、そのＣＳＩプロセスの設定に基づいてＣＳＩ測定及びＣＳＩ報告を行う。例えば、端末装置２は、複数のＣＳＩプロセスが設定された場合、それらのＣＳＩプロセスに基づく複数のＣＳＩを独立に報告する。それぞれのＣＳＩプロセスは、セル状態情報のための設定、ＣＳＩプロセスの識別子、ＣＳＩ−ＲＳに関する設定情報、ＣＳＩ−ＩＭに関する設定情報、ＣＳＩ報告のために設定されるサブフレームパターン、周期的なＣＳＩ報告に関する設定情報、及び／又は、非周期的なＣＳＩ報告に関する設定情報を含む。なお、セル状態情報のための設定は、複数のＣＳＩプロセスに対して共通であってもよい。
【０３４８】
端末装置２は、ＣＳＩ測定を行うためにＣＳＩ参照リソースを用いる。例えば、端末装置２は、ＣＳＩ参照リソースで示される下りリンク物理リソースブロックのグループを用いて、ＰＤＳＣＨが送信される場合のＣＳＩを測定する。ＣＳＩサブフレームセットが上位層のシグナリングによって設定された場合、それぞれのＣＳＩ参照リソースは、ＣＳＩサブフレームセットのいずれかに属し、ＣＳＩサブフレームセットの両方に属しない。
【０３４９】
周波数方向において、ＣＳＩ参照リソースは、測定されるＣＱＩの値に関連するバンドに対応する下りリンク物理リソースブロックのグループによって定義される。
【０３５０】
レイヤ方向（空間方向）において、ＣＳＩ参照リソースは、測定されるＣＱＩが条件をつけるＲＩ及びＰＭＩによって定義される。すなわち、レイヤ方向（空間方向）において、ＣＳＩ参照リソースは、ＣＱＩを測定する時に想定又は生成されたＲＩ及びＰＭＩによって定義される。
【０３５１】
時間方向において、ＣＳＩ参照リソースは、所定の１つ以上の下りリンクサブフレームによって定義される。具体的には、ＣＳＩ参照リソースは、ＣＳＩ報告するサブフレームより所定数前の有効なサブフレームによって定義される。ＣＳＩ参照リソースを定義する所定のサブフレーム数は、送信モード、フレーム構成タイプ、設定されるＣＳＩプロセスの数、及び／又は、ＣＳＩ報告モードなどに基づいて決まる。例えば、端末装置２に対して、１つのＣＳＩプロセスと周期的なＣＳＩ報告のモードが設定される場合、ＣＳＩ参照リソースを定義する所定のサブフレーム数は、有効な下りリンクサブフレームのうち、４以上の最小値である。
【０３５２】
有効なサブフレームは、所定の条件を満たすサブフレームである。あるサービングセルにおける下りリンクサブフレームは、以下の条件の一部又は全部が当てはまる場合、有効であると考えられる。
【０３５３】
（１）有効な下りリンクサブフレームは、ＯＮ状態及びＯＦＦ状態に関するＲＲＣパラメータに基づいて決まる。端末装置２において、有効な下りリンクサブフレームは、ＯＮ状態のサブフレームである。
（２）有効な下りリンクサブフレームは、端末装置２において下りリンクサブフレームとして設定される。
（３）有効な下りリンクサブフレームは、所定の送信モードにおいて、ＭＢＳＦＮ（Ｍｕｌｔｉｍｅｄｉａ  Ｂｒｏａｄｃａｓｔ  ｍｕｌｔｉｃａｓｔ  ｓｅｒｖｉｃｅ  Ｓｉｎｇｌｅ  Ｆｒｅｑｕｅｎｃｙ  Ｎｅｔｗｏｒｋ）サブフレームではない。
（４）有効な下りリンクサブフレームは、端末装置２に設定された測定間隔（ｍｅａｓｕｒｅｍｅｎｔ  ｇａｐ）の範囲に含まれない。
（５）有効な下りリンクサブフレームは、周期的なＣＳＩ報告において、端末装置２にＣＳＩサブフレームセットが設定される時、周期的なＣＳＩ報告にリンクされるＣＳＩサブフレームセットの要素又は一部である。
（６）有効な下りリンクサブフレームは、ＣＳＩプロセスに対する非周期的ＣＳＩ報告において、上りリンクのＤＣＩフォーマット内の対応するＣＳＩリクエストを伴う下りリンクサブフレームにリンクされるＣＳＩサブフレームセットの要素又は一部である。その条件において、端末装置２に所定の送信モードと、複数のＣＳＩプロセスと、ＣＳＩプロセスに対するＣＳＩサブフレームセットとが設定される。
【０３５４】
Ｇ−１８．本実施形態におけるマルチキャリア送信の詳細
端末装置２は複数のセルが設定され、マルチキャリア送信を行うことができる。端末装置２が複数のセルを用いる通信は、ＣＡ（キャリアアグリゲーション）又はＤＣ（デュアルコネクティビティ）と称される。本実施形態に記載の内容は、端末装置２に対して設定される複数のセルのそれぞれ又は一部に適用できる。端末装置２に設定されるセルを、サービングセルとも称する。
【０３５５】
ＣＡおいて、設定される複数のサービングセルは、１つのプライマリーセル（ＰＣｅｌｌ：Ｐｒｉｍａｒｙ  Ｃｅｌｌ）と１つ以上のセカンダリーセル（ＳＣｅｌｌ：Ｓｅｃｏｎｄａｒｙ  Ｃｅｌｌ）とを含む。ＣＡをサポートしている端末装置２に対して、１つのプライマリーセルと１つ以上のセカンダリーセルが設定され得る。
【０３５６】
プライマリーセルは、初期コネクション構築（ｉｎｉｔｉａｌ  ｃｏｎｎｅｃｔｉｏｎ  ｅｓｔａｂｌｉｓｈｍｅｎｔ）手続きが行われたサービングセル、コネクション再構築（ｃｏｎｎｅｃｔｉｏｎ  ｒｅ−ｅｓｔａｂｌｉｓｈｍｅｎｔ）手続きを開始したサービングセル、又は、ハンドオーバ手続きにおいてプライマリーセルと指示されたセルである。プライマリーセルは、プライマリー周波数でオペレーションする。セカンダリーセルは、コネクションの構築又は再構築以降に設定されうる。セカンダリーセルは、セカンダリー周波数でオペレーションする。なお、コネクションは、ＲＲＣコネクションとも称される。
【０３５７】
ＤＣは、少なくとも２つの異なるネットワークポイントから提供される無線リソースを所定の端末装置２が消費するオペレーションである。ネットワークポイントは、マスター基地局装置（ＭｅＮＢ：Ｍａｓｔｅｒ  ｅＮＢ）とセカンダリー基地局装置（ＳｅＮＢ：Ｓｅｃｏｎｄａｒｙ  ｅＮＢ）である。デュアルコネクティビティは、端末装置２が、少なくとも２つのネットワークポイントでＲＲＣ接続を行うことである。デュアルコネクティビティにおいて、２つのネットワークポイントは、非理想的バックホール（ｎｏｎ−ｉｄｅａｌ  ｂａｃｋｈａｕｌ）によって接続されてもよい。
【０３５８】
ＤＣにおいて、少なくともＳ１−ＭＭＥ（Ｍｏｂｉｌｉｔｙ  Ｍａｎａｇｅｍｅｎｔ  Ｅｎｔｉｔｙ）に接続され、コアネットワークのモビリティアンカーの役割を果たす基地局装置１をマスター基地局装置と称される。また、端末装置２に対して追加の無線リソースを提供するマスター基地局装置ではない基地局装置１をセカンダリー基地局装置と称される。マスター基地局装置に関連されるサービングセルのグループは、マスターセルグループ（ＭＣＧ：Ｍａｓｔｅｒ  Ｃｅｌｌ  Ｇｒｏｕｐ）とも呼称される。セカンダリー基地局装置に関連されるサービングセルのグループは、セカンダリーセルグループ（ＳＣＧ：Ｓｅｃｏｎｄａｒｙ  Ｃｅｌｌ  Ｇｒｏｕｐ）とも呼称される。
【０３５９】
ＤＣにおいて、プライマリーセルは、ＭＣＧに属する。また、ＳＣＧにおいて、プライマリーセルに相当するセカンダリーセルをプライマリーセカンダリーセル（ＰＳＣｅｌｌ：Ｐｒｉｍａｒｙ  Ｓｅｃｏｎｄａｒｙ  Ｃｅｌｌ）と称する。ＰＳＣｅｌｌ（ＰＳＣｅｌｌを構成する基地局装置）には、ＰＣｅｌｌ（ＰＣｅｌｌを構成する基地局装置）と同等の機能（能力、性能）がサポートされてもよい。また、ＰＳＣｅｌｌには、ＰＣｅｌｌの一部の機能だけがサポートされてもよい。例えば、ＰＳＣｅｌｌには、ＣＳＳ又はＵＳＳとは異なるサーチスペースを用いて、ＰＤＣＣＨ送信を行う機能がサポートされてもよい。また、ＰＳＣｅｌｌは、常にアクティベーションの状態であってもよい。また、ＰＳＣｅｌｌは、ＰＵＣＣＨを受信できるセルである。
【０３６０】
ＤＣにおいて、無線ベアラ（データ無線ベアラ（ＤＲＢ：Ｄａｔｅ  Ｒａｄｉｏ  Ｂｅａｒｅｒ）及び／又はシグナリング無線ベアラ（ＳＲＢ：Ｓｉｇｎａｌｉｎｇ  Ｒａｄｉｏ  Ｂｅａｒｅｒ））は、ＭｅＮＢとＳｅＮＢで個別に割り当てられてもよい。ＭＣＧ（ＰＣｅｌｌ）とＳＣＧ（ＰＳＣｅｌｌ）に対して、それぞれ個別にデュプレックスモードが設定されてもよい。ＭＣＧ（ＰＣｅｌｌ）とＳＣＧ（ＰＳＣｅｌｌ）は、互いに同期されなくてもよい。ＭＣＧ（ＰＣｅｌｌ）とＳＣＧ（ＰＳＣｅｌｌ）に対して、複数のタイミング調整のためのパラメータ（ＴＡＧ：Ｔｉｍｉｎｇ  Ａｄｖａｎｃｅ  Ｇｒｏｕｐ）が独立に設定されてもよい。デュアルコネクティビティにおいて、端末装置２は、ＭＣＧ内のセルに対応するＵＣＩをＭｅＮＢ（ＰＣｅｌｌ）のみで送信し、ＳＣＧ内のセルに対応するＵＣＩをＳｅＮＢ（ｐＳＣｅｌｌ）のみで送信する。それぞれのＵＣＩの送信において、ＰＵＣＣＨ及び／又はＰＵＳＣＨを用いた送信方法はそれぞれのセルグループで適用される。
【０３６１】
ＰＵＣＣＨ及びＰＢＣＨ（ＭＩＢ）は、ＰＣｅｌｌ又はＰＳＣｅｌｌのみで送信される。また、ＰＲＡＣＨは、ＣＧ内のセル間で複数のＴＡＧが設定されない限り、ＰＣｅｌｌ又はＰＳＣｅｌｌのみで送信される。
【０３６２】
ＰＣｅｌｌ又はＰＳＣｅｌｌでは、ＳＰＳ（Ｓｅｍｉ−Ｐｅｒｓｉｓｔｅｎｔ  Ｓｃｈｅｄｕｌｉｎｇ）やＤＲＸ（Ｄｉｓｃｏｎｔｉｎｕｏｕｓ  Ｔｒａｎｓｍｉｓｓｉｏｎ）を行ってもよい。セカンダリーセルでは、同じセルグループのＰＣｅｌｌ又はＰＳＣｅｌｌと同じＤＲＸを行ってもよい。
【０３６３】
セカンダリーセルにおいて、ＭＡＣの設定に関する情報／パラメータは、基本的に、同じセルグループのＰＣｅｌｌ又はＰＳＣｅｌｌと共有している。一部のパラメータは、セカンダリーセル毎に設定されてもよい。一部のタイマーやカウンタが、ＰＣｅｌｌ又はＰＳＣｅｌｌのみに対して適用されてもよい。
【０３６４】
ＣＡにおいて、ＴＤＤ方式が適用されるセルとＦＤＤ方式が適用されるセルが集約されてもよい。ＴＤＤが適用されるセルとＦＤＤが適用されるセルとが集約される場合に、ＴＤＤが適用されるセル及びＦＤＤが適用されるセルのいずれか一方に対して本明細書で開示する技術を適用することができる。
【０３６５】
端末装置２は、端末装置２によってＣＡがサポートされているバンドの組合せを示す情報を、基地局装置１に送信する。端末装置２は、バンドの組合せのそれぞれに対して、異なる複数のバンドにおける前記複数のサービングセルにおける同時送信及び受信をサポートしているかどうかを指示する情報を、基地局装置１に送信する。
【０３６６】
Ｇ−１９．本実施形態におけるリソース割り当ての詳細
基地局装置１は、端末装置２にＰＤＳＣＨ及び／又はＰＵＳＣＨのリソース割り当ての方法として、複数の方法を用いることができる。リソース割り当ての方法は、動的スケジューリング、セミパーシステントスケジューリング、マルチサブフレームスケジューリング、及びクロスサブフレームスケジューリングを含む。
【０３６７】
動的スケジューリングにおいて、１つのＤＣＩは１つのサブフレームにおけるリソース割り当てを行う。具体的には、あるサブフレームにおけるＰＤＣＣＨ又はＥＰＤＣＣＨは、そのサブフレームにおけるＰＤＳＣＨに対するスケジューリングを行う。あるサブフレームにおけるＰＤＣＣＨ又はＥＰＤＣＣＨは、そのサブフレームより後の所定のサブフレームにおけるＰＵＳＣＨに対するスケジューリングを行う。
【０３６８】
マルチサブフレームスケジューリングにおいて、１つのＤＣＩは１つ以上のサブフレームにおけるリソース割り当てを行う。具体的には、あるサブフレームにおけるＰＤＣＣＨ又はＥＰＤＣＣＨは、そのサブフレームより所定数後の１つ以上のサブフレームにおけるＰＤＳＣＨに対するスケジューリングを行う。あるサブフレームにおけるＰＤＣＣＨ又はＥＰＤＣＣＨは、そのサブフレームより所定数後の１つ以上のサブフレームにおけるＰＵＳＣＨに対するスケジューリングを行う。その所定数はゼロ以上の整数にすることができる。その所定数は、あらかじめ規定されてもよいし、物理層シグナリング及び／又はＲＲＣシグナリングに基づいて決められてもよい。マルチサブフレームスケジューリングにおいて、連続したサブフレームがスケジューリングされてもよいし、所定の周期を有するサブフレームがスケジューリングされてもよい。スケジューリングされるサブフレームの数は、あらかじめ規定されてもよいし、物理層シグナリング及び／又はＲＲＣシグナリングに基づいて決められてもよい。
【０３６９】
クロスサブフレームスケジューリングにおいて、１つのＤＣＩは１つのサブフレームにおけるリソース割り当てを行う。具体的には、あるサブフレームにおけるＰＤＣＣＨ又はＥＰＤＣＣＨは、そのサブフレームより所定数後の１つのサブフレームにおけるＰＤＳＣＨに対するスケジューリングを行う。あるサブフレームにおけるＰＤＣＣＨ又はＥＰＤＣＣＨは、そのサブフレームより所定数後の１つのサブフレームにおけるＰＵＳＣＨに対するスケジューリングを行う。その所定数はゼロ以上の整数にすることができる。その所定数は、あらかじめ規定されてもよいし、物理層シグナリング及び／又はＲＲＣシグナリングに基づいて決められてもよい。クロスサブフレームスケジューリングにおいて、連続したサブフレームがスケジューリングされてもよいし、所定の周期を有するサブフレームがスケジューリングされてもよい。
【０３７０】
セミパーシステントスケジューリング（ＳＰＳ）において、１つのＤＣＩは１つ以上のサブフレームにおけるリソース割り当てを行う。端末装置２は、ＲＲＣシグナリングによってＳＰＳに関する情報が設定され、ＳＰＳを有効にするためのＰＤＣＣＨ又はＥＰＤＣＣＨを検出した場合、ＳＰＳに関する処理を有効にし、ＳＰＳに関する設定に基づいて所定のＰＤＳＣＨ及び／又はＰＵＳＣＨを受信する。端末装置２は、ＳＰＳが有効である時にＳＰＳをリリースするためのＰＤＣＣＨ又はＥＰＤＣＣＨを検出した場合、ＳＰＳをリリース（無効に）し、所定のＰＤＳＣＨ及び／又はＰＵＳＣＨの受信を止める。ＳＰＳのリリースは、所定の条件を満たした場合に基づいて行ってもよい。例えば、所定数の空送信のデータを受信した場合に、ＳＰＳはリリースされる。ＳＰＳをリリースするためのデータの空送信は、ゼロＭＡＣ  ＳＤＵ（Ｓｅｒｖｉｃｅ  Ｄａｔａ  Ｕｎｉｔ）を含むＭＡＣ  ＰＤＵに対応する。
【０３７１】
ＲＲＣシグナリングによるＳＰＳに関する情報は、ＳＰＳのＲＮＴＩであるＳＰＳ  Ｃ−ＲＮＴＩ、ＰＤＳＣＨのスケジューリングされる周期（インターバル）に関する情報、ＰＵＳＣＨのスケジューリングされる周期（インターバル）に関する情報、ＳＰＳをリリースするための設定に関する情報、及び／又は、ＳＰＳにおけるＨＡＲＱプロセスの番号を含む。ＳＰＳは、プライマリーセル及び／又はプライマリーセカンダリーセルのみにサポートされる。
【０３７２】
Ｇ−２０．本実施形態におけるＨＡＲＱ
本実施形態において、ＨＡＲＱはさまざまな特徴を有する。ＨＡＲＱはトランスポートブロックを送信及び再送する。ＨＡＲＱにおいて、所定数のプロセス（ＨＡＲＱプロセス）が用いられ（設定され）、プロセスのそれぞれはストップアンドウェイト方式で独立に動作する。
【０３７３】
下りリンクにおいて、ＨＡＲＱは非同期であり、適応的に動作する。すなわち、下りリンクにおいて、再送は常にＰＤＣＣＨを通じてスケジューリングされる。下りリンク送信に対応する上りリンクＨＡＲＱ−ＡＣＫ（応答情報）はＰＵＣＣＨ又はＰＵＳＣＨで送信される。下りリンクにおいて、ＰＤＣＣＨは、そのＨＡＲＱプロセスを示すＨＡＲＱプロセス番号、及び、その送信が初送か再送かを示す情報を通知する。
【０３７４】
上りリンクにおいて、ＨＡＲＱは同期又は非同期に動作する。上りリンク送信に対応する下りリンクＨＡＲＱ−ＡＣＫ（応答情報）はＰＨＩＣＨで送信される。上りリンクＨＡＲＱにおいて、端末装置の動作は、その端末装置によって受信されるＨＡＲＱフィードバック及び／又はその端末装置によって受信されるＰＤＣＣＨに基づいて決まる。例えば、ＰＤＣＣＨは受信されず、ＨＡＲＱフィードバックがＡＣＫである場合、端末装置は送信（再送）を行わず、ＨＡＲＱバッファ内のデータを保持する。その場合、ＰＤＣＣＨが再送を再開するために送信されるかもしれない。また、例えば、ＰＤＣＣＨは受信されず、ＨＡＲＱフィードバックがＮＡＣＫである場合、端末装置は所定の上りリンクサブフレームで非適応的に再送を行う。また、例えば、ＰＤＣＣＨが受信された場合、ＨＡＲＱフィードバックの内容に関わらず、端末装置はそのＰＤＣＣＨで通知される内容に基づいて、送信又は再送を行う。
【０３７５】
なお、上りリンクにおいて、所定の条件（設定）を満たした場合、ＨＡＲＱは非同期のみで動作するようにしてもよい。すなわち、下りリンクＨＡＲＱ−ＡＣＫは送信されず、上りリンクにおける再送は常にＰＤＣＣＨを通じてスケジューリングされてもよい。
【０３７６】
ＨＡＲＱ−ＡＣＫ報告において、ＨＡＲＱ−ＡＣＫは、ＡＣＫ、ＮＡＣＫ、又はＤＴＸを示す。ＨＡＲＱ−ＡＣＫがＡＣＫである場合、そのＨＡＲＱ−ＡＣＫに対応するトランスポートブロック（コードワード、チャネル）は正しく受信（デコード）できたことを示す。ＨＡＲＱ−ＡＣＫがＮＡＣＫである場合、そのＨＡＲＱ−ＡＣＫに対応するトランスポートブロック（コードワード、チャネル）は正しく受信（デコード）できなかったことを示す。ＨＡＲＱ−ＡＣＫがＤＴＸである場合、そのＨＡＲＱ−ＡＣＫに対応するトランスポートブロック（コードワード、チャネル）は存在しない（送信されていない）ことを示す。
【０３７７】
下りリンク及び上りリンクのそれぞれにおいて、所定数のＨＡＲＱプロセスが設定（規定）される。例えば、ＦＤＤにおいて、サービングセル毎に最大８つのＨＡＲＱプロセスが用いられる。また、例えば、ＴＤＤにおいて、ＨＡＲＱプロセスの最大数は、上りリンク／下りリンク設定によって決定される。ＨＡＲＱプロセスの最大数は、ＲＴＴ（Ｒｏｕｎｄ  Ｔｒｉｐ  Ｔｉｍｅ）に基づいて決定されてもよい。例えば、ＲＴＴが８ＴＴＩ（Ｔｒａｎｓｍｉｓｓｉｏｎ  Ｔｉｍｅ  Ｉｎｔｅｒｖａｌ）である場合、ＨＡＲＱプロセスの最大数は８にすることができる。
【０３７８】
本実施形態において、ＨＡＲＱ情報は、少なくともＮＤＩ（Ｎｅｗ  Ｄａｔａ  Ｉｎｄｉｃａｔｏｒ）及びＴＢＳ（トランスポートブロックサイズ）で構成される。ＮＤＩは、そのＨＡＲＱ情報に対応するトランスポートブロックが初送か再送かを示す情報である。ＴＢＳはトランスポートブロックのサイズである。トランスポートブロックは、トランスポートチャネル（トランスポートレイヤー）におけるデータのブロックであり、ＨＡＲＱを行う単位とすることができる。ＤＬ−ＳＣＨ送信において、ＨＡＲＱ情報は、さらにＨＡＲＱプロセスＩＤ（ＨＡＲＱプロセス番号）を含む。ＵＬ−ＳＣＨ送信において、ＨＡＲＱ情報は、さらにトランスポートブロックに対する符号化後の情報ビットとパリティビットを指定するための情報であるＲＶ（Ｒｅｄｕｎｄａｎｃｙ  Ｖｅｒｓｉｏｎ）を含む。ＤＬ−ＳＣＨにおいて空間多重の場合、そのＨＡＲＱ情報は、それぞれのトランスポートブロックに対してＮＤＩ及びＴＢＳのセットを含む。
【０３７９】
Ｈ．まとめ
本明細書で開示する技術によれば、ＦＤの実施と不実施が混在する通信システムにおいて、細かい粒度で柔軟なＦＤの切り替えを実現することができる。また、さまざまな状況において適切なＦＤを実施することができ、通信システム全体として周波数利用効率や低遅延通信の性能（遅延削減効果）が向上する。
【０３８０】
より具体的には、通信装置は、ＡＣＫ／ＮＡＣＫの送受信を少ない無線リソースで即時的に実施することができるため、ＦＤを実施することによる低遅延化を達成することが可能となる。また、割り当てられた無線リソースを、ＴＢ、ＣＢ、ＣＢＧなどと紐付けて分割することで、通信装置は、ＦＤの実施時にＡＣＫ／ＮＡＣＫを送受信し易くすることができ、さらに、ＦＤ受信時の自己干渉キャンセラの動作制御を柔軟に行うことも可能となる。
【０３８１】
また、本明細書で開示する技術によれば、共有チャネルとランダムアクセスチャネルのように、種別の異なるチャネルを用いてＦＤを実施することも可能であり、従来に比べて、システム視点での無線リソースの利用効率を高めることが可能となる。
【産業上の利用可能性】
【０３８２】
以上、特定の実施形態を参照しながら、本明細書で開示する技術について詳細に説明してきた。しかしながら、本明細書で開示する技術の要旨を逸脱しない範囲で当業者が該実施形態の修正や代用を成し得ることは自明である。【０３８３】
本明細書では、本明細書で開示する技術を主にセルラシステムに適用した実施形態を中心に説明してきたが、本明細書で開示する技術の要旨はこれに限定されるものではない。全二重通信を実施するその他のさまざまな無線通信システムにも同様に本明細書で開示する技術を適用することができる。【０３８４】
要するに、例示という形態により本明細書で開示する技術について説明してきたのであり、本明細書の記載内容を限定的に解釈するべきではない。本明細書で開示する技術の要旨を判断するためには、特許請求の範囲を参酌すべきである。【０３８５】
なお、本明細書の開示の技術は、以下のような構成をとることも可能である。
（１）他の通信装置に対して、所定の周波数チャネル内で、受信用無線リソースを割り当てるとともに、時間軸上で少なくとも一部が前記受信用無線リソースと重複する送信用無線リソースを割り当てるリソース割り当て部と、
前記受信用無線リソース及び前記送信用無線リソースに関する情報を他の通信装置に通知する通知部と、
を具備する通信装置。
（１−１）前記通信装置は基地局として動作し、
前記通知部は、前記基地局に接続する端末としての他の通信装置に、無線リソースの割り当て毎に動的に通知し、あるいはシステム情報（Ｓｙｓｔｅｍ  Ｉｎｆｏｒｍａｔｉｏｎ）又はＲＲＣ（Ｒａｄｉｏ  Ｒｅｓｏｕｒｃｅ  Ｃｏｎｔｒｏｌ）シグナリングで準静的に通知する、
上記（１）に記載の通信装置。
（２）前記リソース割り当て部は、さらに周波数軸上で少なくとも一部が前記受信用無線リソースと重複する送信用無線リソースを割り当てる、
上記（１）に記載の通信装置。
（３）前記リソース割り当て部は、前記通信装置から他の通信装置へのデータを送信するために使用される前記受信用無線リソースを割り当てるとともに、他の通信装置から前記通信装置へ前記データに対する応答を送信するために使用される前記送信用無線リソースを割り当てる、
上記（１）又は（２）のいずれかに記載の通信装置。
（３−１）前記通信装置から他の通信装置へのデータは、Ｔｒａｎｓｐｏｒｔ  Ｂｌｏｃｋ、Ｃｏｄｅ  Ｂｌｏｃｋ、又はＣｏｄｅ  Ｂｌｏｃｋ  Ｇｒｏｕｐであり、
前記データに対する応答はＡＣＫ又はＮＡＣＫである、
上記（３）に記載の通信装置。
（４）前記リソース割り当て部は、前記受信用無線リソースの個数と前記送信用無線リソースの個数を同数とする、
上記（１）又は（２）のいずれかに記載の通信装置。
（５）前記リソース割り当て部は、無線リソースを割り当てる所定の時間単位が複数に分割された時間単位で、受信用無線リソース及び送信用無線リソースの割り当てを行う、
上記（１）又は（２）のいずれかに記載の通信装置。
（６）前記リソース割り当て部は、前記分割された時間単位の中で、受信用無線リソース及び送信用無線リソースを割り当てる他の通信装置を１回又は２回以上切り替える、
上記（５）に記載の通信装置。
（７）前記リソース割り当て部は、前記分割された時間単位の前半で、前記通信装置からデータを送信するための受信用無線リソースと時間軸上で重複して、前記通信装置へデータを送信するための送信用無線リソースを割り当てるとともに、前記分割された時間単位の後半で、データに対する応答を送信するための受信用無線リソース又は送信用無線リソースのうち少なくとも一方を割り当てる、
上記（５）に記載の通信装置。
（７−１）前記リソース割り当て部は、前記分割された時間単位内で、時間的な長さが同一となる前記受信用無線リソースと前記送信用無線リソースを割り当てる、
上記（７）に記載の通信装置。
（８）前記リソース割り当て部は、前記通信装置からデータを送信するための受信用無線リソースと重複する、前記通信装置へデータを送信するための送信用無線リソースを割り当てる通信装置を少なくとも１回切り替える、
請求項７に記載の通信装置。
（９）前記リソース割り当て部は、受信用無線リソースと時間軸上で重複する送信用無線リソースを２以上割り当てる場合に、送信用無線リソースのデータの個数を受信用無線リソースと同数とする、
上記（１）又は（２）のいずれかに記載の通信装置。
（１０）送信用無線リソースを割り当てる通信装置の切り替えに合わせて、受信用無線リソースで前記通信装置からデータを送信するための送信パラメータの切り替えを行う、
上記（８）に記載の通信装置。
（１０−１）受信用無線リソースで前記通信装置から送信するデータをＴｒａｎｓｐｏｒｔ  Ｂｌｏｃｋ、Ｃｏｄｅ  Ｂｌｏｃｋ、又はＣｏｄｅ  Ｂｌｏｃｋ  Ｇｒｏｕｐとして分けた境界において、送信パラメータの切り替えを行う、
上記（１０）に記載の通信装置。
（１１）前記通知部は、他の通信装置への受信用無線リソースの割り当ての通知と、他の通信装置への送信用無線リソースの割り当ての通知を、それぞれ異なるチャネルを通じて行う、
上記（１）又は（２）のいずれかに記載の通信装置。
（１２）前記リソース割り当て部は、前記通信装置から他の通信装置へのデータを送信するための受信用無線リソースの割り当て中に、前記通信装置へ前記データに対する応答を送信するための送信用無線リソースを１回又は複数回割り当てる、
上記（１）又は（２）のいずれかに記載の通信装置。
（１３）前記リソース割り当て部は、前記受信用無線リソースが２以上ある場合に、時間的に最後の受信用無線リソースと対になる送信用無線リソースは重複しないように割り当てる、
上記（１２）に記載の通信装置。
（１４）前記リソース割り当て部は、受信用無線リソースで前記通信装置が送信するデータのＴｒａｎｓｐｏｒｔ  Ｂｌｏｃｋ、Ｃｏｄｅ  Ｂｌｏｃｋ、又はＣｏｄｅ  Ｂｌｏｃｋ  Ｇｒｏｕｐに対する応答を送信するための送信用無線リソースを、受信用無線リソースの割り当て中に１回又は複数回割り当てる、
上記（１２）又は（１３）のいずれかに記載の通信装置。
（１５）前記リソース割り当て部は、無線リソースを割り当てる所定の時間単位が複数に分割された時間単位と、受信用無線リソースで送信するデータのＴｒａｎｓｐｏｒｔ  Ｂｌｏｃｋ、Ｃｏｄｅ  Ｂｌｏｃｋ、又はＣｏｄｅ  Ｂｌｏｃｋ  Ｇｒｏｕｐの境界を関連付ける、
上記（１４）に記載の通信装置。
（１６）前記リソース割り当て部は、分割された時間単位で前記通信装置から他の通信装置に送信されるデータに対する応答を送信するための送信用無線リソースを、それ以降の他の分割された時間単位の中に割り当てる、
上記（１５）に記載の通信装置。
（１６−１）前記リソース割り当て部は、前記他の通信装置に割り当てられた受信用無線リソース内となる前記他の分割された時間単位の中に、前記データに対する応答を送信するための送信用無線リソースを割り当てる、
上記（１６）に記載の通信装置。
（１６−２）前記リソース割り当て部は、前記他の通信装置以外の通信装置に割り当てられた受信用無線リソース内となる前記他の分割された時間単位の中に、前記データに対する応答を送信するための送信用無線リソースを割り当てる、
上記（１６）に記載の通信装置。
（１７）前記リソース割り当て部は、他の通信装置に対して、前記受信用無線リソースと少なくとも一部が重複する無線リソースにおいて、送信用無線リソースの割り当てなしに所定の信号を送信することを許容する、
上記（１）又は（２）のいずれかに記載の通信装置。
（１８）前記所定の信号は、ランダムアクセス、Ｇｒａｎｔ−ｆｒｅｅアクセス、又はＧｒａｎｔ−ｌｅｓｓアクセスのうち少なくとも１つの信号である、
上記（１７）に記載の通信装置。
（１８−１）前記リソース割り当て部は、無線リソースを割り当てる所定の時間単位が複数に分割された時間単位の境界付近でのみ、前記所定の信号の送信を許容する、
上記（１７）に記載の通信装置。
（１９）前記リソース割り当て部は、第１の通信装置へ信号を送信しているときに、第２の通信装置から信号を受信する場合と受信してもリンク通信品質又はデータレートへの影響が小さい場合に、前記第１の通信装置に受信用無線リソースを割り当てるとともに前記第２の通信装置に送信用無線リソースを割り当てる、
上記（１）乃至（１８）のいずれかに記載の通信装置。
（２０）他の通信装置に対して、所定の周波数チャネル内で、受信用無線リソースを割り当てるとともに、時間軸上で少なくとも一部が前記受信用無線リソースと重複する送信用無線リソースを割り当てるリソース割り当てステップと、
前記受信用無線リソース及び前記送信用無線リソースに関する情報を他の通信装置に通知する通知ステップと、
を有する通信方法。
（２１）所定の周波数チャネル内で割り当てられた受信用無線リソース、及び時間軸上で少なくとも一部が前記受信用無線リソースと重複して割り当てられた送信用無線リソースに関する情報の通知を他の通信装置から受け取る受け取り部と、
前記受信用無線リソースにおいて無線信号の受信処理を行うとともに前記送信用無線リソースにおいて無線信号の送信処理を行う通信部と、
を具備する通信装置。
（２２）前記通信部は、前記受信用無線リソースにおいて前記他の通信装置から送信されたデータを受信処理するとともに、前記送信用無線リソースを用いて前記データに対する応答の送信処理を行う、
上記（２１）に記載の通信装置。
（２３）前記通信部は、無線リソースを割り当てる所定の時間単位が複数に分割された時間単位で割り当てられた前記受信用無線リソース及び前記送信用無線リソースを用いて前記他の通信装置から送信された信号の受信処理及び前記他の通信装置への信号の送信処理を行う、
上記（２１）又は（２２）のいずれかに記載の通信装置。
（２４）前記通信部は、前記分割された時間単位の前半で割り当てられた受信用無線リソースにおいて前記他の通信装置から送信されたデータを受信処理するとともに、前記分割された時間単位の後半で割り当てられた送信用無線リソースを用いて前記データに対する応答の送信処理を行う、
上記（２３）に記載の通信装置。
（２４）前記通信部は、前記受信用無線リソースにおいて前記他の通信装置から送信されたデータを受信処理するとともに、前記受信用無線リソースと重複する前記送信用無線リソースを用いて前記他の通信装置へのデータの送信処理を行う、
上記（２４）に記載の通信装置。
（２６）前記受け取り部は、前記受信用無線リソースの割り当ての通知と前記送信用無線リソースの割り当ての通知を、それぞれ異なるチャネルを通じて受け取る、
上記（２１）に記載の通信装置。
（２７）前記通信部は、前記受信用無線リソースにおいて前記他の通信装置から送信されたデータの受信処理を行うとともに、前記受信用無線リソースの割り当て中に一回又は複数回割り当てられた送信用無線リソースにおいて前記他の通信装置へ前記データに対する応答の送信処理を行う、
上記（２１）に記載の通信装置。
（２８）前記通信部は、前記受信用無線リソースにおいて受信したデータのＴｒａｎｓｐｏｒｔ  Ｂｌｏｃｋ、Ｃｏｄｅ  Ｂｌｏｃｋ、又はＣｏｄｅ  Ｂｌｏｃｋ  Ｇｒｏｕｐに対応して割り当てられた１回又は複数回の無線用送信リソースを用いて、Ｔｒａｎｓｐｏｒｔ  Ｂｌｏｃｋ、Ｃｏｄｅ  Ｂｌｏｃｋ、又はＣｏｄｅ  Ｂｌｏｃｋ  Ｇｒｏｕｐに対する応答の送信処理を行う、
上記（２７）に記載の通信装置。
（２９）前記通信部は、前記受信用無線リソースにおいて、Ｔｒａｎｓｐｏｒｔ  Ｂｌｏｃｋ、Ｃｏｄｅ  Ｂｌｏｃｋ、又はＣｏｄｅ  Ｂｌｏｃｋ  Ｇｒｏｕｐの境界が無線リソースを割り当てる所定の時間単位が複数に分割された時間単位と関連付けられたデータの受信処理を行うとともに、受信時以降の他の分割された時間単位の中に割り当てられた送信用無線リソースを用いて受信データに対する応答の送信処理を行う、
上記（２８）に記載の通信装置。
（３０）前記通信部は、前記通信装置に割り当てられた受信用無線リソース内となる前記他の分割された時間単位に割り当てられた送信用無線リソースを用いて、前記受信データに対する応答の送信処理を行う、
上記（２９）に記載の通信装置。
（３１）前記通信部は、前記通信装置以外に割り当てられた受信用無線リソース内となる前記他の分割された時間単位に割り当てられた送信用無線リソースを用いて、前記受信データに対する応答の送信処理を行う、
上記（２９）に記載の通信装置。
（３２）前記受け取り部は、前記通信装置又は他の通信装置に対して割り当てられた受信用無線リソースと少なくとも一部が重複する無線リソースを利用して、送信用無線リソースの割り当てなしに所定の信号を送信することが許容される旨の通知を受け取る、
上記（２１）に記載の通信装置。
（３３）前記所定の信号は、ランダムアクセス、Ｇｒａｎｔ−ｆｒｅｅアクセス、又はＧｒａｎｔ−ｌｅｓｓアクセスのうち少なくとも１つの信号である、
上記（３２）に記載の通信装置。
（３４）所定の周波数チャネル内で割り当てられた受信用無線リソース、及び時間軸上で少なくとも一部が前記受信用無線リソースと重複して割り当てられた送信用無線リソースに関する情報の通知を他の通信装置から受け取る受け取りステップと、
前記受信用無線リソースにおいて無線信号の受信処理を行うとともに前記送信用無線リソースにおいて無線信号の送信処理を行う通信ステップと、
を有する通信方法。
【符号の説明】
【０３８６】
６００…通信装置、６０１…ＣＲＣ符号化部、６０２…ＦＥＣ符号化部
６０３…符号化率調整部、６０４…スクランブラ／インタリーバ
６０５…変調部、６０６…直並列変換部、６０７…空間信号処理部
６０８…波形整形部、６０９…アナログＲＦ送信処理部
６１１…物理層送信制御部
６２１…アナログＲＦ受信処理部、６２２…波形復調部
６２３…等化部、６２４…並直列変換部、６２５…復調部
６２６…デスクランブラ／デインタリーバ、６２７…復号率調整部
６２８…ＦＥＣ復号部、６２９…ＣＲＣ復号部
６３１…物理層受信制御部
１…基地局装置、１０１…上位層処理部、１０３…制御部
１０５…受信部、１０５１…復号化部、１０５３…復調部
１０５５…多重分離部、１０５７…無線受信部
１０５９…チャネル測定部
１０７…送信部、１０７１…符号化部、１０７３…変調部
１０７５…多重部、１０７７…無線送信部
１０７９…下りリンク参照信号生成部、１０９…送受信アンテナ
２…端末装置、２０１…上位層処理部、２０３…制御部
２０５…受信部、２０５１…復号化部、２０５３…復調部
２０５５…多重分離部、２０５７…無線受信部
２０５９…チャネル測定部
２０７…送信部、２０７１…符号化部、２０７３…変調部
２０７５…多重部、２０７７…無線送信部
２０７９…上りリンク参照信号生成部、２０９…送受信アンテナ
【図１】
2019142524.tif 000009
【図２】
2019142524.tif 000010
【図３】
2019142524.tif 000011
【図４】
2019142524.tif 000012
【図５】
2019142524.tif 000013
【図６】
2019142524.tif 000014
【図７】
2019142524.tif 000015
【図８】
2019142524.tif 000016
【図９】
2019142524.tif 000017
【図１０】
2019142524.tif 000018
【図１１】
2019142524.tif 000019
【図１２】
2019142524.tif 000020
【図１３】
2019142524.tif 000021
【図１４】
2019142524.tif 000022
【図１５】
2019142524.tif 000023
【図１６】
2019142524.tif 000024
【図１７】
2019142524.tif 000025
【図１８】
2019142524.tif 000026
【図１９】
2019142524.tif 000027
【図２０】
2019142524.tif 000028
【図２１】
2019142524.tif 000029
【図２２】
2019142524.tif 000030
【図２３】
2019142524.tif 000031
【図２４】
2019142524.tif 000032
【図２５】
2019142524.tif 000033
【図２６】
2019142524.tif 000034
【図２７】
2019142524.tif 000035
【国際調査報告】
2019142524.tif 000036
2019142524.tif 000037
2019142524.tif 000038
2019142524.tif 000039